(57)【要約】被介護者と臥床面の間全面に渡る空間を形成し、被介護者には質の高いケアーを行い、介護者や救助者も臥床者Ｋや被災者の重量から解放され、腰痛防止にも貢献する。挿入部材１１、１２、１３は、少なくとも一部に可撓性を有すると共に、平板で矩形形状である挿入支持部材１１、１２を含むものであり、挿入支持部材１１、１２は、臥床者Ｋと臥床面１５ａとの間への挿入方向での挿入先端部の挿入先端角部位及び挿入先端稜線部位の一方又は両方が面取り加工され、臥床者Ｋと臥床面１５ａとの間への挿入状態にある挿入支持部材１１、１２を支持する荷重支持部材１４を備え、荷重支持部材１４に支持され挿入状態にある挿入支持部材１１、１２と臥床面１５ａとの間を離間させる昇降機構１５を備え、昇降機構１５を働かせて、臥床者Ｋと臥床面１５ａとの間に医療、看護、又は介護を含む処置を行う空間を形成する。
2019027037.tif 000002
【特許請求の範囲】
【請求項１】
医療、看護、又は介護を含む処置に使用され、臥床面に接触している臥床者と前記臥床面との間へ挿入される挿入部材を有する身体リフトシステムであって、
前記挿入部材は、少なくとも一部に可撓性を有すると共に、平板で矩形形状である挿入支持部材を含むものであり、
前記挿入支持部材は、前記臥床者と前記臥床面との間への挿入方向での挿入先端部の挿入先端角部位及び挿入先端稜線部位の一方又は両方が面取り加工され、
前記臥床者と前記臥床面との間への挿入状態にある前記挿入支持部材を支持する荷重支持部材を備え、
前記荷重支持部材に支持され前記挿入状態にある前記挿入支持部材と前記臥床面との間を離間させる昇降機構を備え、前記昇降機構を働かせて、前記臥床者と前記臥床面との間に医療、看護、又は介護を含む処置を行う空間を形成する身体リフトシステム。
【請求項２】
前記挿入支持部材は、前記臥床者と前記臥床面との間に挿入される挿入補助板と、前記挿入補助板の前記挿入状態において、前記臥床者と前記臥床面との間で前記挿入補助板の下方に前記挿入補助板にてガイドされて挿入される支持板とを有し、
前記挿入補助板の挿入面内で、挿入する方向に直交する方向での幅は、前記支持板の前記挿入面内で、挿入する方向に直交する方向での幅よりも幅狭に形成されている請求項１に記載の身体リフトシステム。
【請求項３】
前記挿入補助板は、前記支持板に対して挿入抵抗が低く構成されていると共に、
前記支持板の剛性が前記挿入補助板の剛性以上に構成されている、又は前記支持板の厚みが前記挿入補助板の厚み以上に構成されている請求項２に記載の身体リフトシステム。
【請求項４】
前記挿入部材は、前記臥床者と前記臥床面との間への前記挿入支持部材の前記挿入状態において、前記臥床者と前記臥床面との間で前記挿入支持部材の下方に配設される支持補助板を含むものであり、
前記支持補助板の剛性は前記支持板の剛性以上に構成されている、又は前記支持補助板の厚みは前記支持板の厚み以上に構成されており、
前記荷重支持部材は、前記支持補助板を介して前記挿入支持部材を支持する請求項２又は３に記載の身体リフトシステム。
【請求項５】
前記支持補助板は、平板で矩形形状であり、挿入先端部の挿入先端角部位及び挿入先端稜線部位の一方又は両方が面取り加工されている請求項４に記載の身体リフトシステム。
【請求項６】
前記挿入支持部材は、前記臥床面に沿う方向で、前記臥床者と前記臥床面との間に複数枚併設して設けられ、複数の前記挿入支持部材は、前記臥床面に沿う方向で、前記挿入支持部材が互いに近接した近接状態から、互いに離間した離間状態との間で調整自在に構成されている請求項１〜５の何れか一項に記載の身体リフトシステム。
【請求項７】
医療、看護、又は介護を含む処置に使用され、臥床者と臥床面との間へ挿入される挿入部材を有する身体リフトシステムであって、
前記臥床者と前記臥床面との間に介在可能な柔軟部材を備え、
前記柔軟部材は、前記臥床者と前記臥床面との間に介在している状態において、前記臥床面との間に所定の厚みを有する長尺状の空間形成部材の複数を前記臥床面に沿う方向で間隔を隔てて挿入されたときに、複数の当該空間形成部材の間で且つ前記臥床者との間に挿入空間を形成する柔軟性を有し、
少なくとも一部に可撓性を有すると共に、平板で矩形形状である挿入支持部材を前記挿入部材として備え、
前記挿入空間への挿入状態にある前記挿入支持部材を支持する荷重支持部材を備え、
前記荷重支持部材に支持され前記挿入状態にある前記挿入支持部材と前記臥床面との間を離間させる昇降機構を備え、前記昇降機構を働かせて、前記臥床者と前記臥床面との間に医療、看護、又は介護を含む処置を行う空間を形成する身体リフトシステム。
【請求項８】
前記荷重支持部材は、前記挿入状態にある前記挿入部材の前記挿入方向での両端部を支持する一対の荷重支持部位を有する請求項１〜７の何れか一項に記載の身体リフトシステム。
【請求項９】
前記挿入部材は、プラスチック、木材、又は金属の少なくとも一つから成る請求項１〜８の何れか一項に記載の身体リフトシステム。
【請求項１０】
前記挿入部材は、平板で矩形形状であり、厚みが、０．５ｍｍ以上５０ｍｍ以下、幅が５ｍｍ以上１２００ｍｍ以下、長さが２００ｍｍ以上３０００ｍｍ以下である請求項１〜９の何れか一項に記載の身体リフトシステム。
【請求項１１】
前記臥床面は、ベッドの上面、室内床の上面、前記ベッド又は前記室内床に敷かれた寝具の上面、及び屋外の路面の少なくとも１つを含む請求項１〜１０の何れか一項に記載の身体リフトシステム。
【請求項１２】
前記荷重支持部材は、プラスチック、木材、金属、コンクリート、屋内壁を構成する左官材料、及びこれらの複合材料から構成される請求項１〜１１の何れか一項に記載の身体リフトシステム。
【請求項１３】
前記昇降機構は、前記臥床面を、直接昇降させる臥床面昇降機構から構成されている請求項１〜１２の何れか一項に記載の身体リフトシステム。
【請求項１４】
前記臥床面昇降機構は、前記臥床面の一部を部分的に昇降する部分昇降部を有する請求項１３に記載の身体リフトシステム。
【請求項１５】
医療、看護、又は介護を含む処置に使用され、臥床面に接触している臥床者と前記臥床面との間へ挿入される挿入部材を用いて臥床者をリフトする身体リフト方法であって、
前記挿入部材が、少なくとも一部に可撓性を有すると共に、平板で矩形形状である挿入支持部材を含むものであり、
前記臥床者と前記臥床面との間への挿入方向での挿入先端部の挿入先端角部位及び挿入先端稜線部位の一方又は両方が面取り加工された前記挿入支持部材を、前記臥床者と前記臥床面との間へ挿入する挿入工程と、
前記臥床者と前記臥床面との間への挿入状態にある前記挿入支持部材を荷重支持部材、により支持する支持工程と、
前記荷重支持部材に支持され前記挿入状態にある前記挿入支持部材と前記臥床面との間を離間させる昇降機構により、前記臥床者と前記臥床面との間に医療、看護、又は介護を含む処置を行う空間を形成する空間形成工程とを含む身体リフト方法。
【請求項１６】
前記臥床者の操作対象としての人及び動物の体温の近傍温度で、人では、５℃以上４８℃以下の範囲に、動物では、５℃以上（動物の体温＋１０℃）以下の範囲に、硬軟化変化閾値温度としての軟化温度又は融点、又は、難結晶性の高分子材料にあってはガラス転移温度を持ち、硬さが変化する主材料を有し、前記人又は前記動物の全体又は一部分である操作対象部位に対し、支持、固定、把持、被覆、或いは移動を伴う医療又は看護又は介護を含む処置を行う際に使用できるものであり、
前記操作対象部位を把持又は被覆し前記操作対象部位の形状に応じて賦形し、前記主材料を加熱して軟化させる場合に、前記主材料を低温加熱するとき、前記人を対象とする場合は４６℃以下を前記操作対象部位に接触する部分の温度とし、前記動物を対象とする場合は（動物の体温＋１０℃）以下を前記操作対象部位に接触する部分の温度とし、且つ軟化させるときの前記主材料の温度は前記硬軟化変化閾値温度以上の温度であり、
外部から前記操作対象部位への応力を遮断又は低減するときで、前記主材料を冷却して硬化させる場合に、冷却温度が、前記硬軟化変化閾値温度未満の温度であり、
前記低温加熱による軟化及び前記冷却による硬化を繰り返し実行することが自在な身体ホルダーを併用する場合の身体リフト方法であり、
前記空間形成工程の後に、前記身体ホルダーを前記臥床者の身体直下に挿入し、前記昇降機構にて前記臥床面を前記空間形成工程の前の位置まで昇降させ、前記挿入支持部材を前記臥床面上に挿入された前記身体ホルダーに接触させ、荷重を前記身体ホルダーと前記身体ホルダーを支える前記臥床面に移動させた後、前記挿入支持部材を抜き、前記身体ホルダーにて前記操作対象部位を把持又は被覆し、且つ前記身体ホルダーを前記操作対象部位の形状に応じて賦形させる請求項１５に記載の身体リフト方法。
【請求項１７】
前記空間形成工程において、前記荷重支持部材、又は前記昇降機構のどちらか一方に医療機器を固定又は一体的に設置し、前記臥床者と前記医療機器との昇降方向での位置関係を維持して昇降し、又は、
前記空間形成工程の後に、前記臥床者の衣服や下着の脱衣又は着衣、前記臥床者の健康状態のモニターに用いられる体重計の挿入、前記臥床者のオムツの交換、床上排泄用便器の前記空間への挿入、陰部洗浄器具の前記空間への挿入、前記臥床者の車椅子への移乗の少なくとも１つを行う請求項１５又は１６に記載の身体リフト方法。
【発明の詳細な説明】
【技術分野】
【０００１】
本発明は、医療、看護、又は介護を含む処置に使用され、臥床面に接触している臥床者と前記臥床面との間へ挿入される挿入部材を有する身体リフトシステム、医療、看護、又は介護を含む処置に使用され、臥床者と臥床面との間へ挿入される挿入部材を有する身体リフトシステム、及び身体リフト方法に関する。
【背景技術】
【０００２】
平成２８年の日本高齢化白書によると、日本の高齢化人口比率は２６．７％であり、２００７年から６５歳以上の人口は２１％を超え、日本は超高齢社会となったことは良く知られている。又、該日本高齢化白書に記載されている高齢者介護のデータからは、介護なしに日常生活を営むことが困難な要介護４、ほぼ不可能な要介護５の方々の合計が日本の総人口比率１％と算出され、日本国内では約１３０万人の方々が看護師や介護者の密なる援助を受けながら生活されておられると推計される。ベッド上や布団の上で一時的に、又は、常時生活しておられる方々（本明細書では臥床者と呼ぶ）は、少しは動ける方々から寝たきりの方々まであり、特に寝たきり臥床者の場合、食事、清潔、排泄など生活面での重要な活動全般に、看護、介護の補助が必要とされ、寝たきり臥床者御本人の生活の質（ＱＯＬ）の向上と、看護師や介護者などケアーを担当される方々の介助作業の軽減が社会的課題となっていた。【０００３】
寝たきり臥床者は、自由に動くことが困難で、自らベッド上で部分的にでも身体を変形させ任意の身体部分をベッドから浮かすことが必ずしも容易ではない方も多い。その結果、下着のベッド面との接触部分、又、布団のシーツとの接触部分が、常時、臥床者身体の特定部分で押えられ、清拭や排泄時などの下着の部分的脱衣、入浴や下着交換時の完全脱衣、便器やおむつ挿入時などに必要なベッドと身体特定箇所との間の空間の確保が難しい。又、シーツの交換やシーツのしわの除去に必要な、一時的であっても形成したいベッドと身体直下との間の全域にわたる自由な空間の確保が、寝たきり臥床者故に困難を極めている。看護師や介護者は、例えば、臥床者の肩から頸部を支えるように上肢を差し入れ、腰部の少し上あたりなどに手を差し入れ（非特許文献１）、空間を作って看護、介護を実施し、臥床者のニーズに鋭意対応しているが、全てのニーズには対応しきれていない現状にある。又、身体の微小回転が難しい寝たきり臥床者もおり、これら臥床者においては、身体の同一箇所にいつも体重がかるため、褥瘡の原因となる。日本褥瘡学会では、体重がかかる箇所を変更するために、２時間を超えない範囲での看護・介護者による体位変換を推奨している（非特許文献２）。【０００４】
成人臥床者の体重は、６０ｋｇ程度あるため、看護師や介護者のハンドケアーでは、６０ｋｇ程度の体重の少なくとも一部を両手又は片手で支える必要がしばしばあり、看護師や介護者からは両手を自由に使用して排泄などのケアーを実施したいとの要望は多い。現状は、臥床者への侵襲を避けるために、往々にして看護師や介護者自身が、例えば片手で重量を支える折、力学的に不安定な体位を取る場面が多く、看護師や介護者の予想しない箇所へ、予想しない力や、力のモーメントがかかり、看護師や介護者が腰痛に見舞われることが多く、腰痛防止が重要な課題となっている。１９９８年にオーストラリア看護連盟（ビクトリア州）が看護師の腰痛防止のためにノーリフティングポリシー（被介護者を持ち上げないポリシー）を提言し、日本でも日本ノーリフト協会が活動していることは良く知られている（非特許文献３）。腰痛防止は、昨今増えつつある在宅介護において、必ずしも腰痛防止の体位などの専門的トレーニングを受けておられない介護者においては、より厳しい問題である。中には、高齢者が高齢者を介護されている場合もあり、ベッドなどの臥床面と臥床者身体直下との間の自由な空間の確保が容易にできる技術の提供が社会的課題となっていた。【０００５】
臥床者とベッドの間に看護師や介護者が手を入れずに、又は、短時間だけ手を入れて、体を部分的に持ち上げ、清拭、排泄、移動などに活用できる各種の装置、方法が提案されている。排泄時などにベッドと臀部の間に空間を作る方法として、特許文献１では、パイプやモータを使用した駆動装置からなる、膝裏で足にかかる膝掛けを後ろへ反転して上昇する円軌道に沿って足を持ち上げ得ると共に、随所で停止し得るように構成した寝たきり老人のおむつ取替用尻上げ装置が提案されている。当該おむつ取替用尻上げ装置は、上半身は臥床状態を保ちながら、下半身の両膝を装置で吊り上げ、反転中心を股関節から腰部へ移動しながらベッドと臀部の間に空間を作る装置が提案されている。
又、特許文献２においても、パイプで形成されたＵ字状、又はＬ字状のテコと呼ばれるフレームに軸着された左右の脚保持台に下腿を載せ、テコを持ち上げることで下脚、大腿、臀部が上がり、局部の清拭やおむつ交換の空間を作る方法が提案されている。【０００６】
又、腰を上げる方法としては、特許文献３にて、上半身の下にビニールやゴムシートの周囲を溶着又は接着して作った楔形エアーバッグを敷き、エアポンプで膨らませ、腰部を最も高く、背部から肩部に向かって穏やかな傾斜を付けるようにし、間接的に臀部も持ち上げ、ベッド床面と臥床者臀部の間に空間を作り、おむつ交換と臀部の清拭に使用する方法が提案されている。
特許文献４にも、腰部持ち上げ装置が提案されており、当該腰部持ち上げ装置では、綿布から構成されるベルトが予めベッドのシーツの上に置かれてあり、被介護人の腰部の下に敷かれ、臥床者を上から跨ぐように置かれたパイプや電動モータからなる持ち上げ装置でベルトを持ち上げ、ベッド床面と臥床者臀部の間に空間を作り、おむつ交換や陰部の清拭に用いることができる。【０００７】
臀部や腰部の身体の一部分のみならず、体全体を持ち上げる方法も提案されている。特許文献５では、頭、胸、腰、尻、下腿部などに平行に複数本の膨縮自在なエアー袋を配置し、エアー供給、排気により被介護者を上昇・下降させ介護者の労働を軽減しつつ被介護者の床ずれを防止する方法を提案している。当該方法では、エアー袋を配置していない部分に、ベッド床面と臥床者身体との間の空間が形成できる。
又、シーツ交換も可能な、全身を持ち上げる方法としては、特許文献６では、腰上部、大腿部、足首上部など病人とベッドの間の手を差し込み易い部分にのみ、自動車のシートベルトのようなベルトを通して臥床者から見て天井側にあるＴ定規様の部材にベルトを掛け、Ｔ字形部材を吊上機で吊り上げ、介護者が労力を使用することなく老人又は病人をベッドから移動する方法が提案されている。【０００８】
特許文献７には、寝たきり患者用移動キャリアの記載がある。患者の下にネットを敷き、患者の下に該ネットを敷く方法の記載はないが、ネットをフックワイヤーにかけワイヤーの巻上げを行うことにより、ベッドより寝たきり患者を持ち上げることができ、シーツ交換やベッドメイク、入浴などの作業を１人の看護師で行うことができるとある。
又、特許文献８には、シーツ交換を容易に行えるベッドについての記載があり、リフトバーに臥床する病人の下に敷いたネットまたは布を結びつけて、リフトバー上昇下降により病人をベッド上の布団またはマット上面から浮沈させ病人を人力で持ち上げることなくシーツの交換を可能とするとある。尚、本文献では、ネット吊り具を手に持ち病人の体の下に手を差し入れて、機織りの杼のようにネット吊り具を病人の体の下を通過させることができるとある。【０００９】
特許文献９では、固体様物体をベッドと臥床者の間に挿入し空間を作る方法が提案されている。具体的には、持ち上げ台と呼ばれるビーム状のものを反りの内側を上にして病人の腰部下へ差し入れ、オイルジャッキで尻を１０ｃｍ位持ち上げ、持ち上げ台の前後に、ベッド床面と臥床者身体の間に空間を作り、紙おむつの交換に使用する方法が提案されている。
又、特許文献１０では、体の下に縦５０ｃｍ、横１２０ｃｍ程のベニヤ板もしくはポリプロピレン系の板を中芯として使用し、その上下に薄いスポンジをかぶせ、表皮にポリエステル系素材等で覆われた厚さ５ｍｍ程度の板を差し込み、板を上げる事でそのまま体を横に倒し、横に倒すことにより、ベッド床面と臀部の間に空間を作り、オシメ交換、シーツ交換が可能であることが開示されている。又、ベッドからベッドへ移すときに担架としての機能を果たすとある。
特許文献１１では、ベッド間、ベッドとストレッチャー間などの移し替え具として、被介護者の下面に差し込まれる移し替え具としての板状部の記載がある。差し込み方法についての記載はないが、移し替え具に転置された被介護者を横に配置したベッドなどに引っ張り移動する方法が提案されている。
特許文献１２には、仰臥位、または半座位の状態の患者のベッドに接触する当接面に複数枚に分割した摺動具を介在させるもので臥床状態にある被介護者を斜め横に向けてボードを差込み、スライドボードの利用によって多少の凹凸や段差、間隙や傾斜があっても、また、利用者が円背状態であって水平位になれなくても、被介護者を容易に迅速にスライドさせることができるとある。【００１０】
特許文献１３では、傷害者を主な対象とし、平たい縦長の強度のある荷重を支える腕木を、フレームの左右の端を形成するパイプを貫通する形で有し、まずは、腕木をフレームの外側に引き出しておき、フレームの内部の空域を患者に被せ、その後、腕木を左右両端から患者の下に滑りこませ、両側から挿入された腕木は、患者を挟むことがないように両板の邂逅を避け、何枚かの腕木は左右のフレームを支点に片持ちの状態で患者を支え、その後フレームを持ち上げ移動する方法が提案されている。本装置の部品は金属、プラスチック、木材、又は、適当な材料と記載されている。
又、特許文献１４では、特許文献１３と同じ発明者が特許文献１３のフレームを用い、本文献では、腕木には、スチールやアルミ、その他の合金で体重を支持するのに極めて剛く強い材料からなり、上下する装置と組み合わせ、又、上げてから前に出す装置と組み合わせ患者の移動と手術台への移動を提案している。
特許文献１５では、特許文献１３、１４と同じく、人を持ち上げる装置が提案されており、引っ込めることの出来る腕木をベッド上の患者の下に、ベッドと患者の間に機械的に挿入することが提案されており、特許文献１３、１４とは異なり、片方からのみ挿入し、反対側は支持しない片持ち方式で、又、背中のケアーには、片持ちの支点をピボット方式にして、脚を片側だけ下降させ、できたすき間を使用して実施するなどが記載されている。
【先行技術文献】
【特許文献】
【００１１】
【特許文献１】実開昭６３−２０１５３２号公報
【特許文献２】特開平４−７５６５７号公報
【特許文献３】特開２００１−１４９３９５号公報
【特許文献４】特開平１０−２４８８６号公報
【特許文献５】特開２００７−１９０１５０号公報
【特許文献６】特開平１１−３４２１６３号公報
【特許文献７】特開平６−６３０７９号公報
【特許文献８】特開平９−１９４６２号公報
【特許文献９】特開平９−１９２１７８号公報
【特許文献１０】実用新案登録第３１３４１８５号公報
【特許文献１１】特開平８−４７５１３号公報
【特許文献１２】特開２００８−２１２１８６号公報
【特許文献１３】米国特許第２，３９１，９２８号明細書
【特許文献１４】米国特許第３，０１５，１１４号明細書
【特許文献１５】米国特許第５，３２３，４９８号明細書
【非特許文献】
【００１２】
【非特許文献１】阿曽洋子、井上智子、氏家幸子著、「基礎看護技術」、第７版、日本、医学書院、２０１１年２月１５日、Ｐ８７−９３
【非特許文献２】「褥瘡の予防について、１．体位変換の方法と時間間隔」、［ｏｎｌｉｎｅ］、日本褥瘡学会、［２０１６年１１月２０日検索］、インターネット＜ＵＲＬ：ｈｔｔｐ：／／ｗｗｗ．ｊｓｐｕ．ｏｒｇ／ｊｐｎ／ｐａｔｉｅｎｔ／ｐｒｏｔｅｃｔ．ｈｔｍｌ＞
【非特許文献３】「設立の趣旨及び目的」、［ｏｎｌｉｎｅ］、日本ノーリフト協会、［２０１６年１２月１０日検索］、インターネット＜ＵＲＬ：ｈｔｔｐ：／／ｗｗｗ．ｎｏｌｉｆｔ．ｊｐ／ａｂｏｕｔｕｓ／＞
【発明の概要】
【発明が解決しようとする課題】
【００１３】
乳幼児、心身障害者、高齢者を問わず、寝たきり臥床者のＱＯＬの向上には、清潔の確保が必要である。できれば毎日、寝具のシーツ交換や臥床者の清拭、１日に何回か必要になる排泄、又、褥瘡予防のための２時間に１回程度の体位変換などの看護・介護のケアーが必要である。乳幼児では体重が軽いため、それ程苦にはならないが、６０ｋｇ程度の体重を有する臥床成人では、看護師や介護者一人では持ち上がらず、それでも無理をする場合も多く、看護師や介護者の腰痛予防も重要な課題となっている。【００１４】
例えば、臥床者向けに毎日実施したいシーツ交換やシーツ上のしわ除去では、ベッドの臥床面と臥床者直下との間の全域にわたる非接触の自由な空間が１分程度保持できると容易く実施できる。又、清拭では、例えば臥床者が仰臥位で横たわっている時、ベッドの臥床面と臥床者直下との間の必要な部分、例えば、臀部、又は、腰部、又は、肩部などの各部に非接触の自由空間が１分程度形成できると、蒸しタオルで軟らかく拭うなどのケアーが容易く実施できる。又、排泄では、ベッドの臥床面と臥床者の臀部や陰部の間に空間が５分〜１０分程度できると、下半身の下着の着脱、便器の挿入やおむつの交換、陰部洗浄など、排泄ケアーが、シーツを汚す恐れもなく容易くできる。又、これら自由な空間により看護師や介護者も両手を使って床上排泄のケアーなどが可能となり、被介護者に対し、より良いケアーが実施できる。又、ベッドの臥床面と臥床者直下の間の全域に、所要時間、自由な空間ができると、ベッドを臥床者直下から移動し、代わりに車椅子を臥床者の臀部直下におくことにより、寝たきり臥床者を車椅子上に移乗することも可能となる。【００１５】
ベッドと臥床者の身体の間の一部に空間を作り、看護・介護に用いる方法は、既に多数提案されており、伝統的には、看護師や介護者が手掌や腕を腰部に差し入れたりする。しかしながら、手掌の厚み自体、成人では３０ｍｍ程度あり、又幅は１２０ｍｍ程度、介護者の腕を付け根まで挿入すると約５００ｍｍ、臥床者の身体には３０ｍｍ×１２０ｍｍ×５００ｍｍ程度の直方体で近似できるが、これら突起物挿入の侵襲がかかっている。【００１６】
特許文献１、２では、これら文献の図にあるように、上半身はベッドの上にあり、臥床者の下腿、大腿、臀部、腰部は上方へ弓なりに曲げられ、ベッド床面から臀部を浮かし、空間を作り、おむつを取り換える方法が提供されているが、おむつ交換が順調に行えればシーツの汚れはないが、排泄物は液状から固体状など、臥床者の健康状態に応じ性状が各種変化する性質のものであり、予期せぬ漏洩や臀部へ付着した排泄物の拭き取りなど、ベッドのシーツを汚すことがよくある。シーツがよごれた場合のシーツ替えなどの対処方法も合せて必要とされるが、該特許文献１，２には記載されていない。又、臥床者の下腿、大腿、臀部、腰部は上方へ弓なりに曲げられるため、臥床者への侵襲が大きく、下腿〜腰部の下半身に障害を有する臥床者には適用困難である。【００１７】
特許文献３は、エアーバッグを臥床者の背部・肩部に敷き、エアーバッグを膨らませ、又、特許文献４は、支持部材のベルトを臥床者の腰部の下に敷き、該ベルトを持ち上げ、その折り布団と臥床者の身体は、臀部の部分にも空間を作り、おむつ交換や陰部清掃に用いるものである。しかしながら、両文献とも、患者が既にベッド上に臥床している場合において必要となる、エアーバッグや支持部材であるベルトの敷き込み方法の記載がなく、身体とベッドの間に空間を形成するのが難しい寝たきり者には敷き込みが困難であり適用が難しい。又、特許文献１、２と同じく、身体の一部、背や腰部などを持ち上げるので、これら部分に障害を有する臥床者には適用が困難である。又、全身を持ち上げる技術ではないため、おむつ交換などの排泄援助に使用した折り、シーツを汚した場合のシーツ交換も困難である。【００１８】
特許文献５では、ベッドの上にエアー袋体５つが配置され、被介護者がその上に仰臥した状態でエアー袋体の位置を調整し、その後エアーが供給され、身体を穏やかに持ち上げ、ベッド床面と臥床者身体の間に空間をつくりおむつ交換時の腰部持ち上げが出来る。しかしながら、エアー袋体はベッドの上にあり、患者に敷かれる形になっており、又、本法では身体全域にわたり空間をつくることが困難なため、シーツ交換に適用するのは困難である。加えて、寝たきり臥床者が、エアー袋体が配置されたベッドに臥床する必要があり、寝たきり者などが臥床しているベッドの臥床者の下に敷き込む方法の記載がなく、既に臥床している寝たきり臥床者に適用するのは困難である。
又、特許文献６では、身体の下にベルトを通して全体を持ち上げるので、排泄介助でシーツを汚した時はシーツの交換などは容易であるが、身体を持ち上げるベルトは、病人とベッド間の手の差し込み易い部分に装着するとあり、頭部、脇の下部、腰骨上部、大腿部、足首上部などであり、ベルトで吊り上げられた時、その部分に応力が集中し、ベルトのかかった部分が優先的に上方へ上がり、体の各部所に凹凸の変形が生じ、特に軟らかい部分にベルトが食い込むリスクがあり、病人の身体への侵襲が大きいことと、又、これら部分に障害を有する臥床者には適用が困難である。【００１９】
特許文献７では、寝たきり患者の下に敷いたネットのフックを移動キャリアのワイヤーにかけ、寝たきり患者をネットにより持ち上げ、シーツ交換やベッドメイク、入浴などを行うと、寝たきり患者を持ち上げる必要性は認識されているが、肝心のネットを寝たきり患者の下にしきこむ方法の記載がない。
又、特許文献８も、病人をシーツから浮かせてシーツの交換を行える介護用ベッドと、臥床病人を浮かせる必要性は認識されているが、ネット吊り具を手に持ち病人の体の下に手を差し入れて、機織りの杼のようにネット吊り具を病人の体の下を通過させることができるとあり、手を差し入れる侵襲の低減は提案されていない。【００２０】
特許文献９〜１２は、臥床者の身体とベッドの間に棒や板を挿入する技術が提案されており、特許文献９では、持ち上げ台と呼ばれる棒状の物体を病人の腰部と布団の間に１本挿入し持ち上げるものであるが、持ち上げ台に支えられた部分を凸に身体が変形し、持ち上げ台に支えられた部分に応力が集中し、体の変形と応力集中による侵襲が大きく、又、おむつ交換の用途が記載されているが、身体の部分的な持ち上げ方法のため、シーツを排泄物で汚染した場合などに必要なシーツ交換などには適していない。
又、特許文献１０では、縦６０ｃｍ、横１２０ｃｍ程のベニヤ板もしくはポリプロピレン系の板を中芯としたものを使用しており、板を差し込み、患者を横向きにしながら使用するもので、回転運動を伴い、体の背面や腹面の片側に障害を持つ臥床者には侵襲が大きく使用し難い。
特許文献１１では、プラスチックボードなどの引っ張りの手段を備えている長さ方向の寸法１２２０ｍｍ、幅方向の寸法５２０ｍｍ、板厚３ｍｍ、側縁は丸みを持った円滑な差し込みをなし得る構成の例えばテフロン（登録商標）樹脂ボードなどのプラスチックボードなどの板状部を、差し込み方法については記載されていないが、ベッドなどに臥している被介護者の下面から円滑に押し入れできるとあり、図からは横に配置したベッドなどに引っ張り移動するベッド間や、ベッドとストレッチャー間の移し替えに使用するものであり、被介護者の身体全体を移し替え具ごと摺動移動するので、被介護者の身体の変形や回転による侵襲はない。しかしながら、引っ張り移動では、少なくとも、被介護者と臥床面の一部は常時接触しており、シーツ交換や清拭などに必要な臥床者の直下への空間形成には使い難い。又、被介護者が背中などに傷害を有する時は、該移し替え具が被介護者のベッドと接触している背面の全面を覆うものであり、傷害部分を避けて使用することは難しく、被介護者への大きな侵襲は避け難い問題を有す。
特許文献１２も、被介護者を斜め横に向けてボードを差込むなど、被介護者がベッドに接触する面に傷害を有している時の侵襲防止が難しく、又、摺動移動する仕様のため、シーツを張り替えたベッドへ摺動移動した時のシーツのしわへの対応など難しいと考えられる。【００２１】
特許文献１３〜１５は、傷害者や患者が臥床している面と傷害者や患者の間に腕木を同一方向に何本も挿入する技術であり、問題なく腕木が挿入できれば、傷害者や患者を背面から持ち上げることができ、優れた技術と考えられる。しかしながら、傷害者や患者は、往々にして切傷や褥瘡や色々の疾患を背中に有し、機械に合わせて一方向に板を挿入すると、これら傷害に接触してしまうが、回避する方法の記載がなく、このままでは傷害者や患者の病状を悪くする。
又、特許文献１３では、腕木の材料は、金属、プラスチック、木材、その他適当なものとある。特許文献１３と発明者が同一人である特許文献１４では、腕木は平らで細長く、極めて硬く強い材料で、患者を支持するのに十分な強度を有する鋼、アルミ、その他合金と記載されている。傷害者や患者が臥床している面と傷害者や患者の間に挿入する腕木をこれら特許文献１３、１４のように、一層を横にならべる形では、傷害者や患者の体重を支える必要上、材料は硬くて強い刃物と同様の材料を使わざるを得ず、臥床者のパジャマなど布製品に引っかかったり、巻き込んだり、切断のリスクもある。又、体重による歪を考えた場合、軟らかい材料では必然的に厚みも厚くなり、あまり厚いと挿入よりも臥床者を押してしまいベッドから落下の危険も存在する。特許文献１３、１４の発明は、挿入時の侵襲の懸念と、そもそも挿入可否の問題を含み、これら文献には傷害者や患者が臥床している面と傷害者や患者の間にどのように挿入すれば良いのかの記載がなく、これら発明の後、半世紀が経過しているが、未だ、ベッドサイドでこれらの発明が実行されていることを見かけない。又、特許文献１３、１４の技術では、フレームに腕木を通すため、腕木を敷き詰めることが出来ず、臥床者の体重による応力分散には限界がある。
特許文献１５では、腕木の材料の記載もなく、又、特許文献１３、１４とは異なり、腕木は片持ちの一端から支えるのみの構造であり、特許文献１３、１４に比し、歪を抑え体重を支えるためには、力学的により硬く強い、若しくは、厚みの厚い材料の使用が必要となり、又、特許文献１３、１４と同様に挿入方法の記載がないため、傷害者や患者を対象にする時には必ず付随する傷害者や患者の背中などの臥床面と接触する箇所の障害に対する方法の記載がないため、腕木の挿入により生ずる侵襲により、却って、病状の悪化は避けられず、本発明が主な対象とする寝たきり者、一般的に、皮膚の防御機能が弱い、褥瘡が発生しやすい方が多いが、これらの方々には適応が難しい。
又、特許文献１５の技術は、腕木をピボット式に上下させ、板を動かすメカニズムのため、特許文献１３、１４と同様に腕木を敷き詰めることが出来ず、臥床者の体重による応力分散には限界がある。【００２２】
本発明が解決しようとする課題は、医療又は看護又は介護を含む処置に際し、寝たきり者などの臥床者の不必要な身体の屈曲や回転を避け、臥床者がベッドなどの臥床面に安定体位で臥床しているそのままの姿勢を保ちながら、又、臥床者の体重を支えるための装置の挿入に際しては、伝統的な、看護、介護者がベッドなどの臥床面の間に手や腕を差し込むことで臥床者に与えてしまっている侵襲以下に侵襲を押さえ、寝たきり者などの臥床者が、ベッドと接触している身体の部分に、例えば、褥瘡などの障害を有していても、障害部分を避けて、且つ、臥床者にかかる応力を分散するために、臥床者の必要な部分を臥床面側から覆うことができ、覆った部分に空間形成に必要な臥床者を支える力を作用し、臥床面と接触している直下、即ち、臥床者と臥床面との間に空間を形成することにあり、これら空間を利用し、臥床者への侵襲を極力避けた状態で医療又は看護又は介護を含む処置を実施することにある。
これらの課題を解決する身体リフトシステムを提供し、本装置を応用した、医療又は看護又は介護を含む処置に、例えば、臥床者のＱＯＬに配慮した毎日のシーツ交換やシーツのしわの除去、清拭、排泄の介助、車椅子への移乗やトイレ、浴室への移動などの方法を提供する。
【課題を解決するための手段】
【００２３】
上記目的を達成するための身体リフトシステムは、
医療、看護、又は介護を含む処置に使用され、臥床面に接触している臥床者と前記臥床面との間へ挿入される挿入部材を有する身体リフトシステムであって、その特徴構成は、
前記挿入部材は、少なくとも一部に可撓性を有すると共に、平板で矩形形状である挿入支持部材を含むものであり、
前記挿入支持部材は、前記臥床者と前記臥床面との間への挿入方向での挿入先端部の挿入先端角部位及び挿入先端稜線部位の一方又は両方が面取り加工され、
前記臥床者と前記臥床面との間への挿入状態にある前記挿入支持部材を支持する荷重支持部材を備え、
前記荷重支持部材に支持され前記挿入状態にある前記挿入支持部材と前記臥床面との間を離間させる昇降機構を備え、前記昇降機構を働かせて、前記臥床者と前記臥床面との間に医療、看護、又は介護を含む処置を行う空間を形成する点にある。【００２４】
本願の発明者らは、鋭意検討した結果、家庭のベッドや病院のベッド上の布団やシーツなどの臥床面上に横臥している人や動物などの臥床者の身体をそのまま、身体の各部を可能な限り、不必要に相対的に動かすことなく、又、看護師や介護者の手や腕の挿入、自動車のシートベルトのようなベルトの挿入に比べ、凹凸による侵襲が格段に小さく、又、臥床者の体重支持や持ち上げ時の、臥床者身体への応力集中を避けるために、必要に応じ臥床者の身体直下の全域を覆い応力分散をすることもでき、又、必要に応じ身体直下の一部のみを覆うこともでき、加えて、持ち上げ箇所に障害を有する臥床者には、その直下部分を支持や持ち上げ箇所から外して使用することができる装置で、身体を持ち上げ、又は、身体を支えた状態でベッド上の布団やシーツなどの臥床面を低下させるなどにより、臥床者と臥床面を相対的に上下分離し、臥床者直下と臥床面の間に空間を形成することができる装置及び方法、即ち、身体リフトシステム、及び身体リフト方法を完成した。【００２５】
臥床者直下と臥床面の間に挿入する挿入部材としての挿入支持部材は、１枚でも良く、複数枚使用しても良い。臥床者直下と臥床面の間への挿入において、臥床者への侵襲を低下させるため、何枚かの挿入支持部材に分割して、臥床者直下の水平方向に挿入支持部材をすき間なく並べるように順次挿入し、臥床者の身体直下の全域を挿入した挿入支持部材で被覆することができる。挿入支持部材をすき間なく並べるためには、分割して挿入する挿入支持部材の形状は、幾何学的な要請から、矩形であることが好ましい。更に、挿入支持部材は、挿入時の操作性の観点から可撓性を有することが好ましい。又、臥床者の健康状態などの必要に応じ、臥床者直下と臥床面の間の水平方向の一部にのみ挿入支持部材を挿入し、臥床者の身体直下の一部のみを被覆してもよい。臥床者が成人など大きな人になるに従い、分割した挿入支持部材を用いると挿入が容易である。【００２６】
臥床者直下の水平方向に、分割して挿入する複数枚の略矩形の挿入支持部材は、挿入先端部の挿入先端角部位又は挿入先端稜線部位の少なくとも一方を面取り加工することが好ましい。図４（ａ）に示される挿入先端稜線部位１２ｂ、１２ｃを面取り加工することで、挿入先端稜線部位１２ｂ、１２ｃは、図４（ｃ）に示されるテーパー形状部位１２ｅ、１２ｆとなる。また、図４（ａ）に示される挿入先端角部位１２ａを面取り加工することにより、挿入先端角部位１２ａは、図４（ｂ）（ｃ）に示される面取り部位１２ｄとなる。
挿入支持部材１１、１２の挿入先端部は、テーパー形状部位１２ｆ、１２ｅ、及び面取り部位１２ｄを有することにより、挿入時の抵抗をより小さくしている。又、挿入支持部材を敷き込む時には、臥床者の直下、即ち臥床者と臥床面の間に挿入支持部材を挿入した後、水平方向で且つ挿入方向に略直交方向に、臥床者と臥床面の間を、挿入支持部材を滑らせながら移動することもできるが、テーパー形状部位１２ｆを設けることで、滑り移動が容易になり、結果として、臥床者の全域に板を敷き込む作業が容易になる。【００２７】
本発明の身体リフトシステムにて鉛直方向における臥床者の直下とベッド上の布団やシーツなどの臥床面の間に空間を形成するためには、臥床者の体重を支える機能を有する水平方向の全域、又は、一部に敷き詰められた挿入支持部材は、荷重支持部材と接続される。荷重支持部材としては、臥床者の外側に平行に配置された金属柵、木製柵、コンクリート柵などの転倒しないものが好適に利用でき、具体的には、適当な高さの机、使用していないベッドやストレッチャーなど、臥床面と同程度の高さを有する剛体で近似される台等が使用できる。又、臥床者が使用しているベッドの柵を改良して荷重支持部材とすることもできる。【００２８】
荷重支持部材は、体重を支える機能を有する挿入支持部材などを下から固定的に支える方法が、臥床者の上下方向や水平方向への揺動や振動が少なく安定であるが、既に、ベッドサイドクレーンを有するベッドなどでは、体重を支える機能を有する挿入支持部材等の挿入部材の両端部などを、これら両端部などとのクレーンの結束部を荷重支持部材とし、クレーンと連結して荷重を支持しても良い。
又、室内外の転倒臥床者や、災害時の傷害臥床者などの場合には、救助者の手や腕の挿入部材との連結部を荷重支持部材として用いることにより、荷重を支持しても良い。【００２９】
尚、挿入支持部材を挿入した後には、昇降機構により挿入支持部材と臥床面との間を離間させ、臥床者の直下に空間を形成し、該空間を活用し医療又は看護又は介護を含む処置が終了すると、昇降機構を昇降する以前の位置まで逆方向に移動させ、挿入支持部材を昇降機構上の布団やシーツなどの臥床面に接触させ、荷重を臥床面に移動させた後、挿入支持部材を抜き、臥床者を臥床面上に復帰する。【００３０】
身体リフトシステムの更なる特徴構成は、
前記挿入支持部材は、前記臥床者と前記臥床面との間に挿入される挿入補助板と、前記挿入補助板の前記挿入状態において、前記臥床者と前記臥床面との間で前記挿入補助板の下方に前記挿入補助板にてガイドされて挿入される支持板とを有し、
前記挿入補助板の挿入面内で、挿入する方向に直交する方向での幅は、前記支持板の前記挿入面内で、挿入する方向に直交する方向での幅よりも幅狭に形成されている点にある。【００３１】
支持板を臥床者直下と臥床面の間に挿入する時、布団のシーツのシワや、臥床者の寝衣のシワなどにひっかかり、滑りこませる操作に抵抗を感じる場合がある。このような場合には、支持板の挿入面内で、挿入方向に直交する方向での幅よりも、該方向での幅が幅狭に形成されている挿入補助板を、幅狭を一因として挿入抵抗が低い挿入補助板を、臥床者と臥床面との間に先に挿入し、当該挿入補助板にガイドされる形態で、支持板を、挿入補助板の下方に挿入することが好ましい。
これにより、支持板を、布団のシーツのシワや臥床者の寝衣のシワにひっかけることなく、良好に挿入することができる。【００３２】
身体リフトシステムの更なる特徴構成は、
前記挿入補助板は、前記支持板に対して挿入抵抗が低く構成されていると共に、
前記支持板の剛性が前記挿入補助板の剛性以上に構成されている、又は前記支持板の厚みが前記挿入補助板の厚み以上に構成されている点にある。【００３３】
上記特徴構成によれば、挿入補助板を支持板に比べ、剛性を低く、又は板厚を薄くでき、結果的に、挿入抵抗を低くできるから、挿入補助板を、臥床者と臥床面との間に、良好に滑り込ませることができる。そして、当該挿入補助板をガイドとし、支持板を、臥床者と臥床面との間へ、抵抗を低減した状態で挿入することができる。
更に、臥床者の支持については、挿入補助板よりも、剛性が高い、又は厚みが厚い支持板により担保することができるから、臥床者の安全性を良好に担保できる。
このように、挿入支持部材として、挿入補助板と支持板とを各別に設けることで、臥床者と臥床面との間への支持板の挿入を円滑に行うことができると共に、剛性の高い支持板にて、臥床者の支持を安全性を確保した状態で、適切に行うことができる。【００３４】
身体リフトシステムの更なる特徴構成は、
前記挿入部材は、前記臥床者と前記臥床面との間への前記挿入支持部材の前記挿入状態において、前記臥床者と前記臥床面との間で前記挿入支持部材の下方に配設される支持補助板を含むものであり、
前記支持補助板の剛性は前記支持板の剛性以上に構成されている、又は前記支持補助板の厚みは前記支持板の厚み以上に構成されており、
前記荷重支持部材は、前記支持補助板を介して前記挿入支持部材を支持する点にある。【００３５】
これまで説明してきたように、挿入部材として挿入補助板と支持板とを備える構成のみでは、臥床者の体重を支えることが困難な場合などは、臥床面方向に直交する方向で、支持板の直下に、臥床者の支持を補助する支持補助板を挿入し、臥床者の体重などの荷重支持用に使用してもよい。支持補助板に要求される物性は、必要とする医療、看護、又は介護を含む処置の内容により異なるが、体重を支える機能を付与する時は、弾性率や剛性率の大きい、破壊強度の大きい、材料としては、硬質プラスチック材料や木材、金属、又は、これら材料からなる厚みの大きい板が好ましい。
体重を支える機能を有する支持板及び支持補助板は、例えば、臥床者の外側近傍に設置する荷重支持部材にその両端が支えられることで、敷き込んだ板の自重及び板上の臥床者の体重を支えることができる。荷重支持部材を臥床者の外側両側に設置する時は、体重を支える板は両側に設置された荷重支持部材に届くに足る長さが必要である。【００３６】
以上、挿入補助板、支持板、及び支持補助板と、荷重支持部材及び昇降機構で、本発明の身体直下に空間を形成する身体リフトシステムの必要構成部分は成立する。しかしながら、医療又は看護又は介護を含む処置の中には、例えば、治療や清拭、排泄、入浴などの折りに、臥床者の下着を部分的、又は、完全に着脱する必要が生じる。例えば、臀部の直下に部分的に空間を作るためには、支持補助板と臥床面の間に、もう１枚適当な厚みの支持補助板を挿入し、相対的に臀部を部分的に浮かせるなどの使用法も可能である。【００３７】
尚、これまで説明してきたように、挿入部材は、挿入補助板（挿入支持部材の一例）、支持板（挿入支持部材の一例）、及び支持補助板から構成することができるが、本願に係る身体リフトシステムにあっては、挿入補助板、支持板、及び支持補助板の夫々は、臥床面方向で複数設けても構わない。また、挿入補助板、支持板、及び支持補助板の夫々は、臥床面方向に直交する直交方向において、複数が重層する形態で設ける構成を採用しても構わない。【００３８】
身体リフトシステムは、
前記支持補助板は、平板で矩形形状であり、挿入先端部の挿入先端角部位及び挿入先端稜線部位の一方又は両方が面取り加工されていることが好ましい。【００３９】
即ち、上述した挿入支持部材と同様に、支持補助板の挿入先端部の挿入先端角部位及び挿入先端稜線部位の一方又は両方を面取り加工することで、支持補助板を、臥床者と臥床面との間に、良好に挿入することができる。【００４０】
身体リフトシステムの更なる特徴構成は、
前記挿入支持部材は、前記臥床面に沿う方向で、前記臥床者と前記臥床面との間に複数枚併設して設けられ、複数の前記挿入支持部材は、前記臥床面に沿う方向で、前記挿入支持部材が互いに近接した近接状態から、互いに離間した離間状態との間で調整自在に構成されている点にある。【００４１】
以上の如く、複数の挿入支持部材を、臥床面に沿う方向で、挿入支持部材が互いに近接した近接状態から、互いに離間した離間状態との間で調整可能に構成することで、例えば、臥床者の体重との兼ね合いで、挿入支持部材の数を適切なものに調整して、作業の効率を向上することができる。
尚、前記挿入支持部材は、前記臥床面に沿う方向に略直交する直交方向で、臥床者と臥床面との間に複数併設して設けても構わない。
また、看護又は介護を含む処置が終了すると、例えば、挿入部材が、臥床面方向に直交する直交方向に、複数枚挿入されている時は、臥床面側の最下層の挿入部材から臥床面方向にまず抜き、その後、最下層の挿入部材の一層上の層を、再度臥床面方向に抜き、最終的に、挿入部材の複数本を臥床面方向に全て抜く。
尚、挿入補助板がある時は、支持板を臥床面方向で抜いた後に、挿入補助板を臥床面方向で抜く形が、臥床者への侵襲が少ない。ただし、臥床者の健康状態と医療又は看護又は介護を含む処置の簡便性も配慮し、臥床者に侵襲が少ない形であれば、どのような抜き方をしても良い。全ての挿入部材を抜去することにより、臥床者は元の臥床面上の横臥状態に復帰する。【００４２】
上記目的を達成するための身体リフトシステムは、
医療、看護、又は介護を含む処置に使用され、臥床者と臥床面との間へ挿入される挿入部材を有する身体リフトシステムであって、その特徴構成は、
前記臥床者と前記臥床面との間に介在可能な柔軟部材を備え、
前記柔軟部材は、前記臥床者と前記臥床面との間に介在している状態において、前記臥床面との間に所定の厚みを有する長尺状の空間形成部材の複数を前記臥床面に沿う方向で間隔を隔てて挿入されたときに、複数の当該空間形成部材の間で且つ前記臥床者との間に挿入空間を形成する柔軟性を有し、
少なくとも一部に可撓性を有すると共に、平板で矩形形状である挿入支持部材を前記挿入部材として備え、
前記挿入空間への挿入状態にある前記挿入支持部材を支持する荷重支持部材を備え、
前記荷重支持部材に支持され前記挿入状態にある前記挿入支持部材と前記臥床面との間を離間させる昇降機構を備え、前記昇降機構を働かせて、前記臥床者と前記臥床面との間に医療、看護、又は介護を含む処置を行う空間を形成する点にある。【００４３】
更に、本願の発明者らは、鋭意検討した結果、家庭のベッドや病院のベッド上の布団やシーツなどの臥床面上に横臥している人や動物などの臥床者の身体をそのまま、身体の各部を可能な限り、不必要に相対的に動かすことなく、又、凹凸による侵襲が格段に小さく、又、臥床者の体重支持や持ち上げ時の、臥床者身体への応力集中を避けるために、必要に応じ臥床者の身体直下の全域を覆い応力分散をすることもでき、又、必要に応じ身体直下の一部のみを覆うこともでき、加えて、持ち上げ箇所に障害を有する臥床者には、その直下部分を支持や持ち上げ箇所から外して使用することができる装置で、身体を持ち上げ、又は、身体を支えた状態でベッドの臥床面を低下させるなどにより、臥床者と臥床面を相対的に上下分離し、臥床者と臥床面の間に空間を形成することができる装置及び方法、即ち、身体リフトシステムを完成した。
特に、上記特徴構成によれば、臥床者と臥床面との間に柔軟部材を介在させている状態において、臥床面との間に所定の厚み（例えば、０．５ｍｍ以上５０ｍｍ以下の厚み）を有する長尺状の空間形成部材の複数を臥床面に沿う方向で間隔を隔てて挿入することで、複数の空間形成部材の間で且つ柔軟部材と臥床者との間に挿入空間を形成することができる。このように形成された挿入空間には、比較的剛性の高い硬質ポリ塩化ビニル板や杉の板及び比較的柔軟性の高いスーツケースベルトやシートベルト等から成る挿入支持部材を容易に挿入できると共に、当該挿入に伴う臥床者への侵襲を十分に小さくできる。
因みに、臥床者と臥床面との間に柔軟部材を介在させ、柔軟部材と臥床者との間に挿入空間を形成する時の臥床面とは、介在させた柔軟部材の臥床者とは反対側で柔軟部材と接触する面、例えばベッドの上面を意味し、ベッドの上面に載せられた柔軟部材（布団が介在させた柔軟部材となる場合もある）としての布団等の上面を意味するものではない。
そして、挿入状態にある挿入支持部材を荷重支持部材にて支持した状態で、例えば荷重支持部材を昇降機構により上昇させる、又はベッドの上面等の臥床面を昇降機構により降下させることにより、臥床者と臥床面との間に、医療、看護、又は介護を含む処置を行う空間を良好に形成することができる。
尚、挿入空間の形成に関し、例えば、空間形成部材の長尺方向に沿う両端を荷重支持部材にて支持しながら、昇降方向に持ち上げることで、挿入空間における柔軟材料と臥床面との間の間隔をより大きくとることができ、挿入支持部材の挿入空間への挿入をより容易で且つより侵襲の低い状態で行うことができる。【００４４】
挿入部材としての挿入支持部材は、これまで説明してきたものと同様の性質、形状、材質のものを好適に用いることができる。また、本発明の如く柔軟部材を用いて挿入空間を形成する身体リフトシステムにおいては、挿入支持部材は、柔軟部材により形成された挿入空間に挿入されるものであるから、臥床者の違和感を低減できる意味で、より可撓性の小さい材料も使用でき、また積極的に空間を形成して挿入容易性を向上できる意味から、より可撓性の大きい材料も使用可能となる。
空間形成部材としては、挿入部材としての各種材料及び形状を好適に流用することができ、挿入補助板、支持板、支持補助板の組み合わせ、及び支持板や支持補助板の単体を好適に用いることができる。
柔軟部材としては、医療現場で用いられる布団やシーツ、毛布、その他臥床者と接している柔軟材を好適に用いることができる。【００４５】
本発明の身体リフトシステムにて鉛直方向における臥床者の直下とベッド上の臥床面の間に空間を形成するためには、臥床者の体重を支える機能を有する水平方向の全域、又は、一部に敷き詰められた挿入支持部材は、荷重支持部材と接続される。荷重支持部材としては、これまで説明してきたものと同様の形態で使用できる。尚、荷重支持部材の材料等については、後述する。【００４６】
荷重支持部材は、体重を支える機能を有する挿入支持部材などを下から固定的に支える方法が、臥床者の上下方向や水平方向への揺動や振動が少なく安定であるが、既に、ベッドサイドクレーンを有するベッドなどでは、体重を支える機能を有する挿入支持部材等の挿入部材の両端部などを、これら両端部などとのクレーンの結束部を荷重支持部材とし、クレーンと連結して荷重を支持しても良い。
又、室内外の転倒臥床者や、災害時の傷害臥床者などの場合には、救助者の手や腕の挿入部材との連結部を荷重支持部材として用いることにより、荷重を支持しても良い。【００４７】
尚、挿入支持部材を挿入した後には、昇降機構により挿入支持部材と臥床面との間を離間させ、臥床者の直下に空間を形成し、該空間を活用し医療又は看護又は介護を含む処置が終了すると、昇降機構を昇降する以前の位置まで逆方向に移動させ、挿入支持部材を臥床面（又は柔軟部材）上に接触させ、荷重を臥床面（又は柔軟部材）上に移動させた後、挿入支持部材を抜き、臥床者を臥床面（又は柔軟部材）上に復帰する。【００４８】
身体リフトシステムは、
前記荷重支持部材は、前記挿入状態にある前記挿入部材の前記挿入方向での両端部を支持する一対の荷重支持部位を有することが好ましい。【００４９】
身体リフトシステムの更なる特徴構成は、
前記挿入部材は、プラスチック、木材、又は金属の少なくとも一つから成ることが好ましい。
特に、臥床者と直接接触する挿入補助板や支持板は、可撓性があり、軽く、仮に皮膚と接触しても切傷や棘を刺す恐れの少ないプラスチック材料が好ましい。又、体重を支える支持補助板は、弾性率や剛性率の大きい硬質のプラスチック材料やプラスチックより弾性や剛性が大きい木材や金属の板が好ましい。【００５０】
身体リフトシステムでは、
前記挿入部材は、平板で矩形形状であり、厚みが、０．５ｍｍ以上５０ｍｍ以下、幅が５ｍｍ以上１２００ｍｍ以下、長さが２００ｍｍ以上３０００ｍｍ以下であるものを好適に使用することができる。
尚、挿入部材の厚み、幅、長さに関しては、臥床者の体重、身長や、臥床面の面積等により、適宜変更可能である。【００５１】
身体リフトシステムの更なる特徴構成は、
前記臥床面は、ベッドの上面、室内床の上面、前記ベッド又は前記室内床に敷かれた寝具の上面、及び屋外の路面の少なくとも１つを含む点にある。【００５２】
臥床者が臥床している臥床面としては、ベッド上の布団やシーツのみならず、和室に敷かれた布団、麻酔薬や筋弛緩剤の投与により短時間の寝たきり臥床者状態にある患者が乗っている手術台、家庭生活の場で、例えば、人が転倒した場合のカーペット、畳、ゴザ、災害時の傷害者が臥床している道路、路面、地面など、又、人以外では、医学実験用の豚や羊で麻酔薬や筋弛緩剤が投与され、短時間の寝たきり臥床動物が載っているＸ線撮影台やＭＲＩ撮影台など、人や動物が動けなくなり、又は、ほとんど動けなくなり横たわり、臥床している生活空間中のあらゆる臥床面が含まれる。【００５３】
身体リフトシステムにおいて、
前記荷重支持部材は、プラスチック、木材、金属、コンクリート、屋内壁を構成する左官材料、及びこれらの複合材料から構成されることが好ましい。【００５４】
身体リフトシステムの更なる特徴構成は、
前記昇降機構は、紐状部材を介して、前記挿入支持部材と前記荷重支持部材との結束部を吊り下げ支持すると共に、前記紐状部材を巻き上げ又は巻き下げする形態で前記荷重支持部材を昇降するホイストから構成されている点にある。【００５５】
当該昇降機構としてのホイストにより、挿入支持部材と荷重支持部材との結束部を天地方向に上昇させることで、臥床者の身体直下に空間を形成することができる。具体的には、クレーンと連結された紐や鎖、ワイヤー、ベルト、ロープでなどと、挿入支持部材と荷重支持部材との結束部を連結し、クレーンで紐や鎖、ワイヤー、ベルト、ロープなどを吊り上げることにより、昇降機能を発揮させることができる。
また、ジャッキを荷重支持部材の支持部及び昇降機構として用いる構成を採用しても構わない。【００５６】
身体リフトシステムの更なる特徴構成は、
前記昇降機構は、前記臥床面を、直接昇降させる臥床面昇降機構から構成されている点にある。【００５７】
金属柵や木製柵、コンクリート柵、変形しない台など、臥床面と同程度の高さを有する剛体で近似される荷重支持部材に、挿入部材を載せている時は、臥床者が挿入部材の挿入以前に臥床していた臥床面を、直接降下させることで、臥床面方向に直交する直交方向において、臥床者の身体の下方に、空間を形成することができる。
臥床面昇降機構としては、臥床面の昇降機能付きのベッドやストレッチャー、手術台など公知の装置を使用することができる。【００５８】
身体リフトシステムの更なる特徴構成は、
前記臥床面昇降機構は、前記臥床面の一部を部分的に昇降する部分昇降部を有する点にある。【００５９】
上記特徴構成によれば、臥床面昇降機構として、臥床面の一部を部分的に昇降する部分昇降部を有するものを採用することで、例えば、臥床面に臥床者が臥床している状態において、部分昇降部を臥床面よりも降下させて、形成された空間に挿入部材を挿入することで、挿入部材の挿入に伴って臥床者が感じる違和感を、なるべく小さいものとすることができる。又、部分昇降部を使用するときの挿入支持部材の挿入では、部分昇降部を使用しないときの挿入支持部材の挿入に比較し、臥床者の違和感を低減できることから、より可撓性の小さい材料も挿入支持部材として使用でき、また積極的に空間を形成することにより挿入容易性を向上できることから、より可撓性の大きい材料も挿入支持部材として使用可能となる。【００６０】
上記目的を達成するための身体リフト方法は、
医療、看護、又は介護を含む処置に使用され、臥床面に接触している臥床者と前記臥床面との間へ挿入される挿入部材を用いて臥床者をリフトする身体リフト方法であって、その特徴構成は、
前記挿入部材が、少なくとも一部に可撓性を有すると共に、平板で矩形形状である挿入支持部材を含むものであり、
前記臥床者と前記臥床面との間への挿入方向での挿入先端部の挿入先端角部位及び挿入先端稜線部位の一方又は両方が面取り加工された前記挿入支持部材を、前記臥床者と前記臥床面との間へ挿入する挿入工程と、
前記臥床者と前記臥床面との間への挿入状態にある前記挿入支持部材を荷重支持部材により支持する支持工程と、
前記荷重支持部材に支持され前記挿入状態にある前記挿入支持部材と前記臥床面との間を離間させる昇降機構により、前記臥床者と前記臥床面との間に医療、看護、又は介護を含む処置を行う空間を形成する空間形成工程とを含むことが好ましい。【００６１】
身体リフト方法の更なる特徴構成は、以下の身体ホルダー（特願２０１６−１３７７９９記載）を併用する場合の身体リフト方法であり、
前記臥床者の操作対象としての人及び動物の体温の近傍温度で、人では、５℃以上４８℃以下の範囲に、動物では、５℃以上（動物の体温＋１０℃）以下の範囲に、硬軟化変化閾値温度としての軟化温度又は融点、又は、難結晶性の高分子材料にあってはガラス転移温度を持ち、硬さが変化する主材料を有し、前記人又は前記動物の全体又は一部分である操作対象部位に対し、支持、固定、把持、被覆、或いは移動を伴う医療又は看護又は介護を含む処置を行う際に使用できるものであり、
前記操作対象部位を把持又は被覆し前記操作対象部位の形状に応じて賦形し、前記主材料を加熱して軟化させる場合に、前記主材料を低温加熱するとき、前記人を対象とする場合は４６℃以下を前記操作対象部位に接触する部分の温度とし、前記動物を対象とする場合は（動物の体温＋１０℃）以下を前記操作対象部位に接触する部分の温度とし、且つ軟化させるときの前記主材料の温度は前記硬軟化変化閾値温度以上の温度であり、
外部から前記操作対象部位への応力を遮断又は低減するときで、前記主材料を冷却して硬化させる場合に、冷却温度が、前記硬軟化変化閾値温度未満の温度であり、
前記低温加熱による軟化及び前記冷却による硬化を繰り返し実行することが自在な身体ホルダーを併用する場合の身体リフト方法であり、
前記空間形成工程の後に、前記身体ホルダーを前記臥床者の身体直下に挿入し、前記昇降機構にて前記臥床面を前記空間形成工程の前の位置まで昇降させ、前記挿入支持部材を前記臥床面上に挿入された前記身体ホルダーに接触させ、荷重を前記身体ホルダーと前記身体ホルダーを支える前記臥床面に移動させた後、前記挿入支持部材を抜き、前記身体ホルダーにて前記操作対象部位を把持又は被覆し、且つ前記身体ホルダーを前記操作対象部位の形状に応じて賦形させる点にある。【００６２】
これまで説明してきた身体リフト方法は、上記特徴構成に示す身体ホルダーを併用することで、より一層の相乗効果を期待できる。【００６３】
身体リフト方法としては、
前記空間形成工程において、前記荷重支持部材、又は前記昇降機構のどちらか一方に医療機器を固定又は一体的に設置し、前記臥床者と前記医療機器との昇降方向での位置関係を維持して昇降し、又は、
前記空間形成工程の後に、前記臥床者の衣服や下着の脱衣又は着衣、前記臥床者の健康状態のモニターに用いられる体重計の挿入、前記臥床者のオムツの交換、床上排泄用便器の前記空間への挿入、陰部洗浄器具の前記空間への挿入、前記臥床者の車椅子への移乗の少なくとも１つを行うことが好ましい。
ここで、医療機器とは、医薬品や血液等の輸液を、予め設定した流量で持続的に送液するための輸液ポンプ、及び輸液を含む輸液袋や輸液スタンドも含めた輸液設備を好適に挙げることができる。
その他の例としては、治療目的では肺と胸壁の間の空間（胸腔）に胸腔ドレーンと呼ばれるチューブを挿入する胸腔ドレナージにおいて、肺から肺の外へ漏れ出した体内の空気、滲出液・膿汁等の分泌物或いは洗浄液を低圧（例えば、２５ｃｍＨ２Ｏ以下の任意の圧力）で、長時間にわたり吸引する低圧持続吸引器、及び吸引物を貯留する排液パックから成るドレーン設備がある。
臥床者への医療処置の必要性により、医療機器と身体が連結された臥床者が存在する。臥床者の臥床面と接触する部分、背面などの看護、介護ケアーは、例えば清拭などは、臥床者の身体と連結された医療機器を、昇降方向で位置関係を維持して昇降することが好ましい。現状、臥床者を並進移動すべく、輸液スタンドとストレッチャー面を一体化したストレッチャー
（例えば、AD-6051：<URL: https://www.aandd.co.jp/adhome/pdf/catalog/me/ad6051.pdf＞： [２０１８年７月２５日検索]）は存在するが、臥床者と臥床面との間に空間を形成するには、看護師、介護者が持ち上げたり、臥床者を回転したりすることが必要で、輸液ルート（導管）を脱着して実施し、操作後、再度装着することが好ましい。身体リフトシステムは、荷重支持部材と昇降機構とを備えるが、臥床者と臥床面の空間形成には、少なくとも荷重支持部材、又は昇降機構のどちらか一つを昇降させれば目的を達する。そこで、荷重支持部材又は昇降機構のうち昇降する側に、医療機器を固定又は一体的に設置することで、臥床者を昇降する際に、臥床者と医療機器との昇降方向での位置関係を維持することができ、医療に必要な処置の機能を阻害することなく、臥床者の臥床面と接触している部分をケアーできる。【００６４】
因みに、臥床者の身体と、ベッドの上の布団やシーツなどの臥床面との間の全域に渡り、又は、一部に形成された空間は、医療又は看護又は介護を含む処置において臥床者の背面に施す必要のあるもの、即ち、臥床者の身体が臥床面と接触している面に施す必要のある全ての処置に関し利用できる。全域に渡る空間が必要なものには、シーツの交換やシーツのシワの除去、上記特徴構成に示した身体ホルダーの挿入、寝たきり者の健康状態モニターに必要なベッド上体重計（例えば、くりあイデア、＜ＵＲＬ：ｈｔｔｐ：／／ｏｇｕｒｉｓ．ｎａｍｅ／ｃｏｌｌａｂｏ／？ｐ＝１６５＞、［２０１８年７月２５日検索］）、ベッド上での臥床者の位置の変換、安楽枕などの挿入、安楽枕の挿入と組み合わせた臥床者の体位の変換、車椅子への移乗、市販されているトイレ用車椅子や入浴用車椅子への移乗など、又、一部に形成される空間が必要なものには、下着、衣服の部分脱着、全脱着、臥床者の身体の背中や臀部を含む清拭、オムツの挿入・交換、便器の挿入・取り出しなどの排泄介助、陰部洗浄の用具の挿入・取り出し、陰部洗浄操作などがあるが、これらの例によって臥床者の身体直下に形成された空間の利用方法が限定されるものではない。
臥床者直下とベッドなど臥床面の間に、臥床者と臥床面の接触部分の全域にわたって、医療又は看護又は介護を含む処置に必要十分な時間の間、空間を形成することができ、寝たきり者を含む臥床者の医療又は看護又は介護を含む処置において、看護師や介護者が一人では毎日実施することが難しかった、例えば、シーツの交換、シーツのシワの除去、上記特徴構成に示した身体ホルダーの挿入、寝たきり者の健康状態モニターに必要なベッド上体重計、衣服・下着の交換、全身、又は必要な部分の清拭、スペースを利用した便器挿入・取り出し、陰部洗浄、おむつ交換、車椅子への移乗、トイレ用車椅子への移乗、入浴用車椅子への移乗、結果としての水洗トイレへの移動、入浴への移動も可能となり、寝たきり者を含む臥床者のＱＯＬが向上するとともに、臥床者の体重が挿入した挿入部材で支えられるため、看護・介護者が６０ｋｇ程度の重労働から解放され、看護・介護者の腰痛防止とともに、両手を自由に使用することにより、寝たきり臥床者に対し質の高い看護、介護が可能となる。
【図面の簡単な説明】
【００６５】
【図１】第１実施形態に係る身体リフトシステム１００の使用状態での平面図
【図２】第１実施形態に係る身体リフトシステム１００の使用状態での側面図
【図３】第１実施形態に係る身体リフトシステム１００の使用の流れを示す図
【図４】支持板及び支持補助板の挿入先端部の形状の一例を示す図
【図５】実施例１１に用いた排便用車椅子及びストレッチャーの概略構成図
【図６】実施例１３の説明図
【図７】身体リフトシステム１００と併用される身体ホルダ−にて操作対象を被覆している状態を示す概略構成図
【図８】身体ホルダーの一部拡大図
【図９】図７の一部断面図
【図１０】実施例１６の説明図
【図１１】第２実施形態に係る身体リフトシステム１００の使用の流れを示す図
【図１２】身体リフト方法を説明するための図
【発明を実施するための形態】
【００６６】
以下、実施形態に係る身体リフトシステム１００を、図面を参照しながら説明する。
＜第１実施形態＞
第１実施形態に係る身体リフトシステム１００は、図１、２に示すように、医療、看護、又は介護を含む処置に使用され、臥床面１５ａに接触している臥床者Ｋと臥床面１５ａとの間へ挿入される挿入部材１１、１２、１３を有する身体リフトシステム１００であって、挿入部材１１、１２、１３は、少なくとも一部に可撓性を有すると共に、平板で矩形形状である挿入支持部材１１、１２を含むものであり、挿入支持部材１１、１２は、臥床者Ｋと臥床面１５ａとの間への挿入方向での挿入先端部の挿入先端角部位１２ｄ及び挿入先端稜線部位１２ｅ、１２ｆの一方又は両方が面取り加工され、臥床者Ｋと臥床面１５ａとの間への挿入状態にある挿入支持部材１１、１２を支持する荷重支持部材１４を備え、荷重支持部材１４に支持され挿入状態にある挿入支持部材１１、１２と臥床面１５ａとの間を離間させる昇降機構１５を備え、昇降機構１５を働かせて、臥床者Ｋと臥床面１５ａとの間に医療、看護、又は介護を含む処置を行う空間Ｓ（図２に図示）を形成するものである。
【００６７】
このように、挿入部材１１、１２、１３は、支持機能性及び挿入操作性を高めるため、プラスチック、木材、又は金属の少なくとも一つを含んで構成されている。
挿入部材１１、１２、１３は、詳細な形状については後述するが、全体として、平板で矩形形状であり、厚みが、０．５ｍｍ以上５０ｍｍ以下、幅が５ｍｍ以上１２００ｍｍ以下、長さが２００ｍｍ以上３０００ｍｍ以下である。
挿入支持部材１１、１２は、臥床者Ｋと臥床面１５ａとの間に挿入され可撓性を有する挿入補助板１１と、挿入補助板１１の挿入状態において、臥床者Ｋと臥床面１５ａとの間で挿入補助板１１の下方に挿入補助板１１にてガイドされて挿入される支持板１２とを有する。図１、２に示すように、挿入補助板１１の挿入面内で、挿入する方向（図中、矢印Ｘに沿う方向）に直交する方向（図中、矢印Ｙに沿う方向）での幅は、支持板１２の挿入面内で、挿入する方向に直交する方向での幅よりも幅狭に形成されており、臥床者Ｋと臥床面１５ａとの間への挿入抵抗が小さくなるように設計されている。
更に、挿入補助板１１は、支持板１２に対して挿入抵抗が低く構成されていると共に、支持板１２の剛性が挿入補助板１１の剛性以上に構成されている、又は支持板１２の厚みが挿入補助板１１の厚み以上に構成されている。
【００６８】
具体的には、挿入補助板１１は、臥床者Ｋと、又は、臥床者Ｋの衣服を通して臥床者Ｋと接触するので、その材料としては、可撓性があり、軽く、仮に皮膚と接触しても切傷や棘を刺す恐れの少ないプラスチック材料が好ましい。プラスチック材料としては、高密度ポリエチレン、低密度ポリエチレン、ポリプロピレン、ポリ塩化ビニル、ポリスチレンの５大汎用樹脂、ポリアミド、ポリカーボネート、ポリエステル（ＰＥＴ、ＰＢＴ）、ポリアセタール、変性ＰＰＥの５大汎用エンジニアリングプラスチック、その他、ポリメチル（メタ）アクリレート（所謂アクリル樹脂）、耐薬品性に優れ低摩擦性のポリテトラフルオロエチレン等が使用可能で、又、これらの複合材、ポリマーブレンド材、無機材料とのブレンドプラスチック材、天然繊維や合成繊維、これら繊維で編まれたネット、金属繊維や金網、グレーティング入りのプラスチックの板などの異材料との積層やＦＲＰ、複合材など各種の材料が使用可能である。
【００６９】
臥床者Ｋの直下とベッド（ストレッチャー等の昇降機構１５の一例）の上の布団やシーツなどの臥床面１５ａの間に、必要に応じ挿入する挿入補助板１１は、厚みが看護師や介護者が臥床者Ｋの直下と臥床面１５ａの間に挿入する手掌より薄く、縦横の寸法も手や腕より小さく、臥床者Ｋと臥床面１５ａの間への挿入時や、挿入する挿入補助板１１の凹凸による侵襲が小さい特徴を有し、臥床者Ｋの直下と臥床面１５ａの間の微小な隙間や接触圧力の低い部分を利用しつつ挿入することをその機能とするものであり、臥床者Ｋの身体を臥床面１５ａに沿う方向、例えば、挿入方向（図１、２で矢印Ｘに沿う方向：臥床者Ｋの右側（右手側）から左側（左手側））に貫通できる長さがあればよい。臥床者Ｋのベッド上の圧力分布のデータは良くしられており（例えば、非特許文献１：基礎看護技術、Ｐ１１８、医学書院、２０１１）、後頚部、肩甲骨上部、背部、腰部などは臥床者Ｋによるベッドへの圧力は小さく、又、関節部など可動に問題がない臥床者Ｋは、臥床者Ｋの健康状態にもよるが、頭部、大腿部、下腿部などを少し上げることは可能な場合も多く、これらの部位の直下とベッド上の布団やシーツなどの臥床面１５ａの間へ、看護師や介護者の手や腕より薄い、又、サイズの小さい板は、看護師や介護者の手や腕に比べて、より小さい侵襲で挿入できる。勿論、医療又は看護又は介護を含む処置の対象者が乳幼児か成人かにより、挿入補助板１１の大きさの適正は異なるが、看護者や介護者の手や腕より小さく、凹凸の少ないものであれば、挿入補助板１１として使用可能である。
【００７０】
成人の看護師や介護者の手や腕は、概略、厚み３０ｍｍ、幅１２０ｍｍ、長さ５００ｍｍの直方体で近似される。従って、挿入補助板１１は、厚み、幅、長さともにこれらの寸法以下であれば、問題なく挿入でき、挿入補助板１１は、市販の文房具のプラスチック定規でも良く、取り扱い性の観点から、厚み０．５ｍｍ〜１５ｍｍ、幅５ｍｍ〜６５ｍｍ、臥床者身体を挿入方向（図１、２で矢印Ｘに沿う方向：臥床者Ｋの右側（右手側）から左側（左手側））へ貫通することが必要なため、長さは２００〜５００ｍｍが好ましい。
【００７１】
挿入補助板１１の挿入において、挿入補助板１１は、臥床者Ｋの衣服の布を滑りながら、ベッド上の布団やシーツの布を滑りながら進行して行くと考えられるが、挿入時の抵抗を小さくするために先端にテーパーを付けるのが好ましく、又、侵襲は極力回避するとの観点から、挿入補助板１１の挿入先端の角部位は、面取りをするのが好ましい。テーパーは任意のもので良いが、挿入先端が側面から見て直角２等辺三角形の形にやすりや鋸で加工しても良い。又、挿入先端の角部位も、やすりや鋸でＣ２等にしても良い。
又、挿入補助板１１の挿入抵抗を低減するため、挿入補助板１１にスリップシート（パラマウントベッド株式会社販売マルチグローブなど）を被せて挿入してもよい。
【００７２】
尚、当該挿入先端部の形状特性は、挿入補助板１１、支持板１２、及び後述する支持補助板１３で共通するので、以下、支持板１２を例にとって、図１、２、４に基づいて具体的に説明する。
臥床者Ｋと臥床面１５ａとの間に挿入する支持板１２は、挿入先端部の挿入先端角部位又は挿入先端稜線部位の少なくとも一方を面取り加工することが好ましい。図４（ａ）に示される挿入先端稜線部位１２ｂ、１２ｃを面取り加工することで、挿入先端稜線部位１２ｂ、１２ｃは、図４（ｃ）に示されるテーパー形状部位１２ｅ、１２ｆとなる。また、図４（ａ）に示される挿入先端角部位１２ａを面取り加工することにより、挿入先端角部位１２ａは、図４（ｂ）（ｃ）に示される面取り部位１２ｄとなる。
支持板１２の挿入先端部は、テーパー形状部位１２ｆ、１２ｅ、及び面取り部位１２ｄを有することにより、挿入時の抵抗をより小さくしている。又、支持板１２を敷き込む時には、臥床者Ｋの直下、即ち臥床者Ｋと臥床面１５ａの間に支持板１２を挿入した後、水平方向で且つ挿入方向に略直交方向に、臥床者Ｋと臥床面１５ａの間を、支持板１２を滑らせながら移動することもできるが、テーパー形状部位１２ｆを設けることで、滑り移動が容易になり、結果として、臥床者の全域に板を敷き込む作業が容易になる。
【００７３】
支持板１２は、挿入補助板１１の直下とベッド上の布団やシーツなどの臥床面１５ａの間に、挿入補助板１１にてガイドされることで、臥床者Ｋへの侵襲が軽減でき、容易に挿入が可能となる。具体的には、挿入補助板１１は、挿入状態にある挿入補助板１１を挿入方向に直交する直交方向（図１、２で矢印Ｚに沿う方向）に若干押し上げられる形態で、挿入補助板１１と臥床面１５ａとの間に間隙を形成し、支持板１２と臥床面１５ａとの接触抵抗を低減して、支持板１２の挿入をガイドすることになる。
【００７４】
支持板１２の寸法は、挿入補助板１１より厚み、横、縦のいずれかが大きいものを使用する。又、支持板１２も挿入補助板１１と同様に挿入先端はテーパーを付け、先端の角は面取りをすることが好ましく、看護や介護者が手や腕を臥床者とベッドの間に挿入する時に使用するスリップシートで、挿入補助板１１と同様、被覆しても良い。これらの加工やスリップシートでカバーすることにより挿入が容易になり、臥床者Ｋへの侵襲も低減される。又、支持板１２の挿入後は、滑りのないほうが臥床者の位置が安定するので、スリップシートは支持板１２の挿入後に取り外しても良い。支持板１２の機能は、臥床者Ｋの身体全域、又は、医療又は看護又は介護を含む処置に必要な身体の部位をベッドなどの臥床面１５ａ側から覆い、支持板１２のみで臥床者Ｋの体重を支えることが困難な時は、体重を支えるために挿入する支持補助板１３の挿入を容易にするガイドとしての機能、即ち、挿入補助板１１と支持板１２の関係と同様の関係を有し、又は、支持板１２が、乳幼児など体重を支えることができる臥床者Ｋを対象とする場合は、支持板１２の両端が臥床者Ｋや臥床面１５ａの外側などに設置する荷重支持部材１４に届く必要がある。
支持板１２の材料は、挿入補助板１１と同じく、プラスチック材料、金属、木材などいずれも可能であるが、支持板１２も臥床者Ｋと、又は、臥床者Ｋの衣服を通して臥床者Ｋと接触するので、その材料としては、可撓性があり、軽く、仮に皮膚と接触しても切傷や棘を刺す恐れの少ないプラスチック材料が好ましい。
その寸法は、挿入補助板１１の大きさや、成人の看護師や介護者の手や腕の大きさなど、又、ベッドサイドでの使用の簡便性を勘案した場合、厚み０．５ｍｍ〜５０ｍｍ、幅５ｍｍ〜１２００ｍｍ、長さ２００ｍｍ〜両端が荷重支持部材１４に十分届く長さ、大きなベッドを跨ぐ場合は約３０００ｍｍを有する板が好ましい。
【００７５】
尚、支持板１２の挿入が完了すれば、支持板１２上の挿入補助板１１は抜いても良い。又、支持板１２の挿入後、挿入補助板１１を抜き、再度、臥床者Ｋとベッドの上の布団やシーツなどの臥床面１５ａにおいて、支持板１２が挿入されていない箇所で、挿入補助板１１が容易に挿入できる箇所へ挿入補助板１１を挿入し、その後、２枚目の支持板１２を挿入することで、臥床者Ｋの頭部から足部にかけて例えば右側面から左側面に支持板１２を挿入しつつ、支持板１２を敷き詰めていくことができる。
又、ベッド上の布団などの臥床面１５ａと臥床者Ｋの特性により、即ち、ベッドなどの硬軟特性や、臥床者の体表の硬軟特性、臥床者の健康度などにより、挿入補助板１１の挿入を省き、支持板１２の挿入から操作を開始しても良い。
【００７６】
更に、挿入部材１１、１２、１３は、臥床者Ｋと臥床面１５ａとの間への支持板１２の挿入状態（場合によっては、挿入補助板１１の挿入状態も含む）において、臥床者Ｋと臥床面１５ａとの間で支持板１２の下方に配設される支持補助板１３を含むものである。支持補助板１３の剛性は、支持板１２の剛性以上に構成されている、又は支持補助板１３の厚みは、支持板１２の厚み以上に構成されている。
【００７７】
具体的には、支持補助板１３は、支持板１２の直下とベッド上の布団やシーツなどの臥床面１５ａの間に、支持板１２をガイドとすることで、容易に挿入することができる。支持補助板１３の機能としては、支持板１２で全面が覆われた、又は、医療又は看護又は介護を含む処置の必要に応じ、身体の必要な一部分が支持板１２で覆われた、これら支持板１２の直下へ挿入され、臥床者Ｋの体重を支える機能を有す。
【００７８】
支持補助板１３が臥床者Ｋの体重を支える機能を有する時は、その弾性率や剛性率が大きく、破壊強度も大きい、又、ベッドサイドでの使用を勘案し、軽量な材料が好ましい。力学的性質の観点から、プラスチック材料も使用可能であるが、木材、又は、アルミ、チタンなどの弾性率や剛性率、破壊強度の大きい軽量金属などが好ましい。
【００７９】
又、支持補助板１３の寸法に関しては、厚みは、目的の空間Ｓが臥床者Ｋの直下に形成された時、荷重がかかり、支持板１２のみでは、又は、支持板１２と支持補助板１３を重ねて使用した時に、歪が大きい場合、これら板が弓なりに下部の臥床面１５ａ側に変形し、臥床者Ｋが板の上で少し沈んだようになるので、これら板の臥床面１５ａ側への余分な変形を防止するために、支持補助板１３の板厚を歪防止に必要な程度厚くすることが好ましい。一般に、荷重による梁の変形は厚みの３乗に反比例することが知られており、厚みは臥床面１５ａ方向への許容歪から計算でき、又、幅と長さの寸法は、支持板１２がすでに挿入されているので、幅を少し狭くすると挿入は容易であるが、広くすると挿入する枚数も低減でき、幅は、取り扱いの簡便性から、本支持補助板１３の挿入時に既に使用している支持板１２の幅より少し小さいサイズから、１２００ｍｍ程度まで、長さは、支持補助板１３による体重支持が必要な場合は、荷重支持部材１４に届き、荷重支持部材１４で支持補助板１３の両端を支えることが可能な十分な長さが必要で、大きなベッドを跨ぐ場合は約３０００ｍｍを有する板が好ましい。
【００８０】
尚、支持補助板１３も支持板１２の直下とベッド上の布団やシーツなどの臥床面１５ａの間に挿入され前進する訳であるが、挿入補助板１１や支持板１２と同様挿入先端部にテーパーを付け、挿入先端部の角部位は面取りをするとより挿入が容易になる。又、挿入先端を、或いは支持補助板１３そのものをスリップシートで被覆しても良い。
【００８１】
臥床者Ｋと臥床面１５ａの間に空間Ｓを形成するためには、基本的に、挿入補助板１１、支持板１２、支持補助板１３でその目的を達成するが、医療又は看護又は介護を含む処置の要請により、支持補助板１３と寸法が同じ、又は、寸法が異なっても良い板（第４の板という）を支持補助板１３の直下、即ち、支持補助板１３と臥床面１５ａの間に挿入し使用することができる。例えば排泄介助や清拭を行う場合、これらのケアーに先立って、下半身の下着の脱衣が必要となる。支持補助板１３の挿入後、腰部と大腿部に挿入した支持補助板１３の下に、例えば、支持補助板１３と同仕様の第４の板を挿入すると臀部直下に略板厚に相当する空間Ｓが形成でき、本空間Ｓを活用して下半身の下着の脱衣が可能となる。本例に限らず、医療又は看護又は介護を含む処置の内容に応じ、支持補助板１３の下に第４の板、同様に第４の板の下に第５の板、・・・第ｎの板を使用しても良い。
【００８２】
また、支持板１２は、臥床面１５ａに沿う方向で、且つ挿入方向に直交する方向（図１、２で矢印Ｙに沿う方向）で、臥床者Ｋと臥床面１５ａとの間に複数併設して設けることができる。そして、複数の支持板１２は、臥床面１５ａに沿う方向で、且つ支持板１２が互いに近接した近接状態から、互いに離間した離間状態との間で調整自在に構成されている。
尚、当該複数の支持板１２同士の関係は、複数の支持補助板１３同士においても、同様である。
【００８３】
荷重支持部材１４は、挿入状態にある支持板１２又は支持補助板１３（場合によっては、挿入補助板１１を含む）の挿入方向（図１、２で矢印Ｘに沿う方向）での両端部を支持する一対の荷重支持部位１４ａを有する。当該荷重支持部材１４は、プラスチック、木材、金属、コンクリート、屋内壁を構成する左官材料、及びこれらの複合材料から構成されるものである。
更に、具体的には、ストレッチャーや昇降機構付きベッドの両端に設けられる柵を採用することもでき、当該柵を荷重支持部材１４として採用する場合、荷重支持部材１４としての柵を昇降する形態で、又は、ストレッチャーや昇降機構付きベッドの柵（荷重支持部材１４）は固定し、ストレッチャーやベッドの床面が、柵とは独立に昇降機構として機能する場合もある。
【００８４】
当該第１実施形態においては、昇降機構１５は、臥床面１５ａを、直接昇降させるストレッチャーや昇降機能付きベッド（臥床面昇降装置の一例）から構成されている。
これにより、図２（ａ）（ｂ）に示すように、臥床者Ｋと臥床面１５ａとの間に、医療、看護、又は介護を含む処置を行う空間Ｓを、適切に形成することができる。
尚、具体例については、実施例１６に示すが、昇降機構１５は、臥床面１５ａの一部を部分的に昇降させる部分昇降部を有していても構わない。一部を部分的に昇降させる部分昇降部を有している臥床面１５ａは、より可撓性の小さい材料（例えば、杉の板）も挿入支持部材（より具体的には、支持板１２）としての使用を容易にする。当該部分昇降部による臥床面１５ａの一部の部分的な昇降には、臥床面１５ａの一部を傾斜させる機能も含むものとする。
【００８５】
これまで説明してきた身体リフトシステム１００を用いた身体リフト方法は、例えば、図３に示すように、臥床者Ｋと臥床面１５ａとの間への挿入方向（図３で矢印Ｘに沿う方向）での挿入先端部の挿入先端角部位及び挿入先端稜線部位の一方又は両方が面取り加工された挿入補助板１１及び支持板１２を、臥床者Ｋと臥床面１５ａとの間へ挿入する第１挿入工程（図３で（ａ）〜（ｅ））と、臥床者Ｋと臥床面１５ａとの間への挿入方向（図３で矢印Ｘに沿う方向）での挿入先端部の挿入先端角部位及び挿入先端稜線部位の一方又は両方が面取り加工された支持補助板１３を、臥床者Ｋと臥床面１５ａとの間への挿入状態にある支持板１２の下へ挿入する第２挿入工程（図３で（ｆ）〜（ｇ））と、臥床者Ｋと臥床面１５ａとの間への挿入状態にある支持補助板１３（第２挿入工程を実行しない場合は、支持板１２）を荷重支持部材１４により支持する支持工程（図３で（ｈ））と、荷重支持部材１４に支持され挿入状態にある支持補助板１３（第２挿入工程を実行しない場合は、支持板１２）と臥床面１５ａとの間を離間させる昇降機構１５により、臥床者Ｋと臥床面１５ａとの間に医療、看護、又は介護を含む処置を行う空間Ｓを形成する空間形成工程とを含む。
尚、場合によっては、第２挿入工程を省略しても構わない。
【００８６】
上記空間形成工程においては、荷重支持部材１４、又は昇降機構１５のどちらか一方に医療機器Ｐａ、Ｐｍ、Ｓｔを固定又は一体的に設置し、臥床者Ｋと医療機器Ｐａ、Ｐｍ、Ｓｔとの昇降方向での位置関係を維持して昇降することが好ましい。
具体的には、例えば、図１２に示すように、臥床面１５ａを有するベッド７０の両側脇に、昇降機構としてのストレッチャー１５を配設し、当該ストレッチャー１５に設けられる臥床面１５ｂを荷重支持部材１４として使用する構成において、医療機器Ｐａ、Ｐｍ、Ｓｔをストレッチャー１５の昇降部位（図１２の例では、臥床面１５ｂが固定されると共にマットを支持する天板７２）に固定治具Ｔｇにて固定することで、当該ストレッチャー１５を昇降させることにより、臥床者Ｋと医療機器Ｐａ、Ｐｍ、Ｓｔとの昇降方向（図１２で矢印Ｚ方向）での位置関係を維持して昇降する構成を採用することができる。
医療機器としては、図１２に示すように、医薬品や血液等の輸液を、予め設定した流量で持続的に送液するための輸液ポンプＰｍ、及び輸液を含む輸液袋Ｐａや輸液スタンドＳｔも含めた輸液設備を好適に挙げることができる。
その他の医療機器の例としては、治療目的では肺と胸壁の間の空間（胸腔）に胸腔ドレーンと呼ばれるチューブを挿入する胸腔ドレナージにおいて、肺から肺の外へ漏れ出した体内の空気、滲出液・膿汁等の分泌物或いは洗浄液を低圧（例えば、２５ｃｍＨ２Ｏ以下の任意の圧力）で、長時間にわたり吸引する低圧持続吸引器、及び吸引物を貯留する排液パックから成るドレーン設備がある。
このような医療機器を備える場合、医療機器（図１２の構成にあっては、輸液ポンプＰｍ）と臥床者Ｋとがチューブにより連結されることになるが、上記構成を採用すれば、このような構成にあっても、臥床者Ｋへの医療機器（図１２の構成にあっては、輸液ポンプＰｍ）からの液供給を持続させた状態を維持することができるから、医療に必要な処置の機能を阻害することなく、臥床者Ｋの背面の医療ケアー等を実行できる。
【００８７】
そして、当該身体リフト方法にあっては、空間形成工程の後に、臥床者Ｋの衣服や下着の脱衣又は着衣、臥床者Ｋの健康状態のモニターに用いられる体重計の挿入、臥床者Ｋのオムツの交換、床上排泄用便器の空間Ｓへの挿入、陰部洗浄器具の空間Ｓへの挿入、臥床者Ｋの車椅子への移乗の少なくとも１つを行う。
更に、当該身体リフト方法にあっては、空間形成工程の後に、後述する身体ホルダー２００を臥床者Ｋの身体直下に挿入し、昇降機構１５にて臥床面１５ａを空間形成工程の前の位置まで昇降させ、挿入支持部材１１、１２を臥床面１５ａ上に挿入された身体ホルダー２００に接触させ、荷重を身体ホルダー２００と身体ホルダー２００を支える臥床面１５ａに移動させた後、挿入支持部材１１、１２を抜き、操作対象部位を把持又は被覆し、且つ身体ホルダー２００を操作対象部位の形状に応じて賦形させるものも含む。
尚、上記身体リフト方法にあっては、挿入支持部材１１、１２と共に支持補助板１３を用いても構わない。
【００８８】
以下、身体ホルダー２００を、図面を参照しながら説明する。
当該第１実施形態に係る身体ホルダー２００は、図７、８、９に示すように、操作対象Ｋとしての人及び動物の体温の近傍温度で、人では、５℃以上４８℃以下（好ましくは、４６℃以下：以下同様）の範囲に、動物では、５℃以上（動物の体温＋１０℃）以下の範囲に、硬軟化変化閾値温度としての軟化温度又は融点、又は、難結晶性の高分子材料にあってはガラス転移温度を持ち、硬さが変化する主材料５４を有し、人及び動物の全体又は一部分である操作対象部位に対し、支持、固定、把持、被覆、或いは移動を伴う医療又は看護又は介護を含む処置を行う際に使用できるシート形状の身体ホルダー２００である。
当該身体ホルダー２００において、操作対象部位を把持又は被覆し操作対象部位の形状に応じて賦形するときで、主材料５４を加熱して軟化させる場合に、主材料５４を低温加熱するとき、人を対象とする場合は４６℃以下を操作対象部位に接触する部分の温度とし、動物を対象とする場合は（動物の体温＋１０℃）以下を操作対象部位に接触する部分の温度とし、且つ軟化させるときの主材料の温度は硬軟化変化閾値温度以上の温度である。
更に、外部から操作対象部位への応力を遮断又は低減するときで、主材料を冷却して硬化させる場合に、冷却温度が、硬軟化変化閾値温度未満の温度である。
更に、上述した低温加熱による軟化及び冷却による硬化を繰り返し実行することが自在に実施できるかたちに構成されている。
因みに、低温加熱する際の主材料５４の操作対象部位に接触する部分の上限温度は、人を対象とする場合は４６℃とし、動物を対象とする場合は（動物の体温＋１０℃）とすることが好ましい。
【００８９】
更に、上記身体ホルダー２００の使用方法では、操作対象としての人及び動物の体温の近傍温度で、人では、５℃以上４８℃以下の範囲に、動物では、５℃以上（動物の体温＋１０℃）以下の範囲に、硬軟化変化閾値温度としての軟化温度又は融点、又は、難結晶性の高分子材料にあってはガラス転移温度を持ち、硬さが変化する主材料を有し、人又は動物の全体又は一部分である操作対象部位に対し、支持、固定、把持、被覆、或いは移動を伴う医療又は看護又は介護を含む処置を行う際に使用できるものであり、硬軟化変化閾値温度以上で、主材料を低温加熱するとき、人を対象とする場合は４６℃以下を操作対象部位に接触する部分の温度とし、動物を対象とする場合は（動物の体温＋１０℃）以下を操作対象部位に接触する部分の温度として、低温加熱を行って主材料を軟化させ、操作対象部位を把持又は被覆し操作対象部位の形状に応じて賦形し、操作対象部位を把持又は被覆し操作対象部位の形状に応じて賦形した状態で、主材料を硬軟化変化閾値温度未満の温度で冷却して硬化させ、外部から操作対象部位への応力を遮断又は低減した状態で、医療又は看護又は介護を含む処置を行い、主材料を低温加熱して軟化させ、操作対象部位から取り外す一連の操作を繰り返し実行することが自在な使用方法である。
【００９０】
具体的には、身体ホルダー２００は、図８に示すように、人や動物としての操作対象Ｋの操作対象部位を把持又は被覆し前記操作対象部位の形状に応じて賦形した状態において、操作対象部位に近い側から順に、緩衝材５１と、断熱材５２と、軟質の袋様容器５３の内部に充填された主材料５４と、加熱冷却装置５５とから構成されている。
【００９１】
主材料５４の具体例としては、融点が４８℃以下のワックス、例えば日本精蝋（株）製パラフィンワックス１１５Ｆ（Ｐａｒａｆｆｉｎ  Ｗａｘ−１１５）（融点４８℃：“パラフィンワックス”、［ｏｎｌｉｎｅ］、日本精鑞、［２０１６年７月２２日検索］、インターネット＜ｈｔｔｐ：／／ｗｗｗ．ｓｅｉｒｏ．ｃｏ．ｊｐ／ｓｅｉｈｉｎ／ｇｕｉｄｅ／ｇｕｉｄｅ２ａ．ｈｔｍ＞）、融点が４８℃以下の低融点合金、例えば大阪アサヒメタル工場製の低融点合金Ｕ−アロイ１６（融点１６℃）、融点が４８℃以下又はガラス転移温度が４８℃以下のプラスチック材料、ガラス転移温度が４８℃以下のチューインガムベース材料、例えば酢酸ビニル樹脂（ガラス転移温度２８℃、高分子学会編高分子辞典、初版第６刷、朝倉書店、昭和５５年による）、例えば、電気化学工業製のサクノールＳＮ０９Ｔなどを使用することができる。
【００９２】
尚、酢酸ビニル樹脂は、ビニル基の付加重合で合成され、ポリラクトンなどの縮合重合で合成される樹脂とは異なり、加水分解反応による重合度の低下は生起せず、シートに成形した後に、高分子の加水分解反応による重合度の低下がない。重合度と力学強度が正の相関を持つことは良く知られており、人又は動物の全体又は一部分である操作対象部位に対し、支持、固定、把持、被覆、及び移動を含む処置などに使用される外部から力のかかるホルダーにおいては、使用する材料の経時による力学強度の低下は、使用時に操作対象を落下させるなどの事故にもつながりかねず、重合度低下の可能性は材料選定の段階で排除しておいた方が良い。
【００９３】
加熱や冷却により人や動物などの体温の近傍温度で軟らかさや硬さなどが変化する材料５４は、少なくとも人に使用するときは５℃以上４８℃以下の温度範囲において、少なくとも動物に使用するときは５℃以上（動物の体温＋１０℃）以下の温度範囲において軟質な袋様容器５３に封入してシート形状に賦形して使用することもできる。
【００９４】
軟質の袋様容器５３の材料としては、数μ〜数ｃｍ程度の厚みで、常温で折り畳みなどの変形が可能な、公知の有機、無機、金属材料、又は、これら材料の複合材料、例えばプラスチックフィルム（ポリエチレンフィルム、ポリプロピレンフィルムなどのポリオレフィンフィルム、ポリ塩化ビニルフィルム、ポリエステルフィルム、ポリアミドフィルムなど）や有機、無機材料とのラミネートフィルム（ポリエチレンやポリプロピレンのプラスチック織布、又は不織布とポリエチレンやポリ塩化ビニルなどのプラスチックフィルムとのラミネートフィルムや、炭素繊維織布やアルミフォイルなどの無機材料や金属材料とポリエチレンやポリ塩化ビニルなどのプラスチックフィルムとのラミネートフィルムなど）など各種の袋様に加工ができる材料や複合材料が使用できる。但し、これらの例によって、軟質の袋様容器５３の厚みや袋の材料の種類が限定されるものではない。
【００９５】
軟質の袋様容器５３への、人や動物などの体温の近傍温度で軟らかさや硬さなどが変化する材料５４の投入は、袋様容器５３に開口部（図示せず）を設け、プラスチックの栓を付けた形のもの、例えば、大倉工業ＯＫテナーＳ−１０Ｌを使用し、パラフィンワックス１１５Ｆ（Ｐａｒａｆｆｉｎ  Ｗａｘ−１１５）は常温で固体であるので、ナイフで削るなどでフレーク状にして投入し、低融点合金Ｕ−アロイ１６は常温で液体であるので、開口部から注ぎ込み、チューインガムベース材料（電気化学工業製の酢酸ビニル樹脂ＳＮ０９Ｔ）は粒状で流動するので、これも開口部から注ぎ込む形態で実行する。
【００９６】
軟質の袋様容器５３に充填したパラフィンワックス１１５Ｆ（Ｐａｒａｆｆｉｎ  Ｗａｘ−１１５）や、酢酸ビニル樹脂ＳＮ０９Ｔは、前もって約８０℃の熱湯浴に浸漬し、融解させ、その後、平らな床の上で放冷することで平板上に賦形することができ、平板状に賦形することで実験室的検討に使用することができる。又、平板状に賦形後、軟質の袋様容器５３をナイフで切り開き、平板状に賦形された材料５４を取り出すことで、平板状の材料を実験室的検討に使用できる。
【００９７】
操作対象部位への侵襲や浮動不安定性を低減する緩衝材５１は、操作対象部位を把持又は被覆し操作対象部位の形状に応じて賦形した状態において、操作対象部位に接する部位に備えられる。
緩衝材５１の材料としては、公知のタオル地の布（木綿、羊毛、レーヨン、これらと化繊を混紡したものなど）、プラスチックの発泡体（ポリウレタン発泡体、エチレン酢酸ビニル共重合体発泡体、ポリエチレン発泡体など）、気泡入りプラスチックフィルム緩衝材などが使用できる。人の全体や人の体の一部などを被覆する時は、吸湿性材料、例えば木綿や羊毛、レーヨンなどや、これらと化繊を混紡した布やタオル地などが使用できる。但し、これらの例によって、緩衝材が限定されるものではない。
【００９８】
緩衝材５１は、公知の接着などの方法でこれら身体ホルダー２００と一体化して使用することができる。又は、操作対象の特性に応じ、人や動物などの全体或いは人や動物などの体の一部分である操作対象の支持や固定、把捉や被覆、或いは移動を伴う医療又は看護又は介護を含む処置の操作に使用される身体ホルダー２００と操作対象の間にタオル地などの緩衝材をはさんで使用するなど、物理的圧着で緩衝材を介在させることや、物理的圧着を粘着テープで補強して使用することも可能である。また、必要に応じて、マジックテープ（登録商標）を用いても構わない。
【００９９】
断熱材５２は、操作対象部位を把持又は被覆し操作対象部位の形状に応じて賦形した状態において、低温加熱に伴う温熱及び冷却に伴う冷熱が、操作対象部位へ伝導することを抑制する形態で設けられる。具体的には、断熱材５２は、上述した主材料５４と操作対象部位との間に、熱の伝達を抑制する状態で設けられる。
【０１００】
断熱材５２は、公知のプラスチックの発泡体（発泡ポリエチレンシート、発泡ポリスチレンビーズなど）、木綿の布やタオル地（木綿、羊毛、レーヨン、これらと化繊を混紡したものなど）、セルロースファイバーやグラスウールなどが使用できる。但し、これらの例によって断熱材５２の材料が限定されるものではない。
【０１０１】
尚、上記の断熱材５２の形状が粒状やペレット、フレーク状、粉体などの場合には、上述した主材料５４と同様に、軟質の袋様容器５３に封入して使用することもできる。形状が粒状やペレット、フレーク状、粉体などの断熱材５２を袋様容器５３へ封入する方法も、上述した主材料５４を袋様容器へ封入する方法と同様に行える。
【０１０２】
断熱材５２と、身体ホルダー２００を構成する主材料５４や軟質の袋様容器５３との貼り合わせは、公知の接着や熱溶着などの方法で実施でき、又は、操作対象との間に断熱材５２を物理的圧着で介在させることや、物理的圧着を粘着テープで補強して実施できる。断熱材５２と緩衝材５１との貼合せも、接着や熱溶着、縫製などの公知の方法で実施することができる。又、断熱材５２を緩衝材５１と主材料５４との間に物理的圧着で介在させること、又は、断熱材５２を、主材料５４を封入した軟質の袋様容器５３と緩衝材５１との間に物理的圧着で介在させることができ、物理的圧着を粘着テープで補強して使用することも可能である。更に、必要に応じてマジックテープを用いることもできる。
【０１０３】
具体的には、医療又は看護又は介護を含む処置の操作に使用される身体ホルダー２００と操作対象Ｋの間に緩衝材５１をはさんで物理的圧着で介在させる場合を除き、緩衝材５１と緩衝材５１に隣接する身体ホルダー２００の間に、必要に応じて、マジックテープを介在させ、緩衝材５１と緩衝材５１に隣接する身体ホルダー２００を着脱可能とすることができる。マジックテープと主材料５４との貼合せ、又は、マジックテープと軟質の袋様容器５３との貼合せは、公知の接着、熱溶着などの方法で実施できる。又、マジックテープと緩衝材５１との貼合せは、公知の接着、熱溶着、縫製などの方法で実施できる。
【０１０４】
更に、緩衝材５１と断熱材５２と軟質の袋様容器５３の組み合わせにおいて、緩衝材５１と断熱材５２がバスタオル、軟質の袋様容器５３が低密度ポリエチレン製の袋などである時は、ポリエチレンに熱溶着可能なマジックテープ、例えば、クラレファスニング株式会社製（巾２４ｍｍ、Ｓ−Ｅタイプ）は、フック側、ループ側の背面が熱可塑性樹脂でライニングされており、ポリエチエレン製袋と熱溶着が可能で、該マジックテープの片側を軟質の袋様容器５３に貼合せ、もう片側をバスタオルに縫製し、マジックテープを介して着脱可能な構成にし、人や動物などの全体或いは人や動物などの体の一部分の操作対象に接する緩衝材５１及び断熱材５２であるバスタオルを必要に応じ着脱し、洗濯し、清潔な状態で使用することができる。
【０１０５】
主材料５４を低温加熱又は冷却するための加熱冷却装置５５は、操作対象部位を把持又は被覆し操作対象部位の形状に応じて賦形した状態において、操作対象部位が存在する側とは反対側に備える。
更に、具体的には、加熱冷却装置５５は、ペルチェ効果を利用したペルチェ素子発熱吸熱体から成る第１加熱冷却部と、軟質の袋様容器５３に封入され外部から吸熱又は外部へ放熱する熱媒体から成る第２加熱冷却部と、電気抵抗への通電による発熱を利用したジュール熱発熱体から成る第１加熱部と、加熱助剤と当該加熱助剤と混合することで温熱を発生する発熱剤と加熱助剤と発熱剤とを破れ易い仕切部で仕切った状態で封入する第１袋とから成る第２加熱部と、冷却助剤と当該冷却助剤と混合することで冷熱を発生する寒剤と冷却助剤と寒剤とを破れ易い仕切部で仕切った状態で封入する第２袋とから成る第１冷却部と、の少なくとも１つ以上から構成されている。
【０１０６】
尚、加熱冷却装置５５は、主材料の加熱と、主材料の冷却との少なくとも何れか一方を実行するものであるとする。例えば、加熱冷却装置５５として、上述した第１加熱部及び第２加熱部のみを備える場合には、外気に晒すことにより冷却する構成を採用でき、加熱冷却装置５５として、上述した第１冷却部のみを備える場合には、外気に晒すことにより低温加熱する構成を採用できる。
加熱冷却装置５５としては、公知の加熱冷却装置を用いることができる。例えば、ペルチェ素子発熱吸熱体（平板状で縦４５ｍｍ×横４５ｍｍ、表面をセラミックスの平板で覆ったもの：加熱及び冷却用）や、巻くこともできる面状発熱体（加熱用、例えば、サンライズ工業（株）製フィルムヒーター）、電気毛布やマットヒーター（加熱用、例えば、松下電工ミニミニマットなど）、赤外線を利用した輻射型発熱体、室温や恒温室温度、外気、又は、水や冷水、氷水、温水（熱媒体の一例）を用いることができる。
また、水（加熱助剤の一例）と発熱剤、或いは、冷水、氷水、水や水性ゲルや有機系溶剤（冷却助剤の一例）と寒剤とを、軟質の袋様容器に封入し使用することができる。又、医療又は看護又は介護を含む処置の操作を行う前や行った後の身体ホルダー２００の硬軟調整などに、恒温室の室内空気や外気を加熱冷却装置として使用し、操作に必要な軟らかさや硬さが発現している平衡状態から操作を開始してもよいし、再使用のための身体ホルダー２００の硬軟状態調整用にこれら恒温室の室内空気や外気を使用してもよい。
【０１０７】
尚、上記の加熱冷却装置５５において、加熱や冷却用に使用する材料が、液体のものや、形状が粒状やペレット、フレーク状、粉体などのものを、軟質の袋様容器へ封入する方法も、主材料５４を軟質の袋様容器５３へ封入する方法と同様に行える。
【０１０８】
又、発熱剤や寒剤を、破れ易い仕切部を介して、水や水性ゲルや有機系溶剤（加熱助剤又は冷却助剤の一例）と一緒に、袋状の軟質材に封入しておき、加熱や冷却が必要な時に仕切部を破り加熱冷却装置５５として使用する公知の方法も適用できる。水と組み合わせる発熱剤としては、酸化カルシウムや酸化カルシウムと酸化アルミニウムを組み合わせたものなどがある。水や氷と組み合わせる寒剤としては、食塩や塩化アンモニウム、塩化カルシウム、硝酸アンモニウム、尿素などが、又メタノール、エタノールやアセトンとドライアイスを組み合わせても低温を得ることができる。
【０１０９】
尚、身体ホルダー２００の操作対象と接する面の温度を人の場合には５℃以上４６℃以下、動物の場合は、５℃以上（動物の体温＋１０℃）以下にコントロールする方法としては、例えば、ペルチェ素子や面状発熱体、電気毛布、マットヒーターなど電気を用いて加熱冷却を行う場合は、身体ホルダー２００の操作対象と接する面の温度を計測し、公知のサーモスタットやサイリスタによる自動温度制御系を用いることができる。又は、水などの液体や、これら液体と発熱剤や寒剤を使用する系では、物理化学的発熱量や吸熱量と各材料の比熱から、公知の方法で、身体ホルダー２００の操作対象と接する面の温度上昇や温度降下を計算し、適切な量の材料を使用することで、過熱や過冷を回避し、加熱、冷却を行うことができる。
【０１１０】
＜第２実施形態＞
第２実施形態に係る身体リフトシステム１００は、図１１に示すように、医療、看護、又は介護を含む処置に使用され、臥床者Ｋと臥床面１５ａとの間へ挿入される挿入部材を有する身体リフトシステム１００であって、臥床者Ｋと臥床面１５ａとの間に介在可能な柔軟部材６０を備え、柔軟部材６０は、臥床者Ｋと臥床面１５ａとの間に介在している状態において、臥床面１５ａとの間に所定の厚みを有する長尺状の空間形成部材６１の複数を臥床面１５ａに沿う方向で間隔を隔てて挿入されたときに、複数の当該空間形成部材６１の間で且つ臥床者Ｋとの間に挿入空間Ｓｐを形成する柔軟性を有し、少なくとも一部に可撓性を有すると共に、平板で矩形形状である挿入支持部材１２を挿入部材として備え、挿入空間Ｓｐへの挿入状態にある挿入支持部材１２を支持する荷重支持部材１４を備え、荷重支持部材１４に支持され挿入状態にある挿入支持部材１２と臥床面１５ａとの間を離間させる昇降機構（図示せず）を備え、昇降機構を働かせて、臥床者Ｋと臥床面１５ａとの間に医療、看護、又は介護を含む処置を行う空間Ｓを形成する。尚、図１１に示す例では、支持補助板１３を挿入支持部材１２の下方に介在し、臥床者Ｋの支持を補助している。
尚、当該第２実施形態に係る身体リフトシステム１００では、これまで説明してきた第１実施形態に係る挿入補助板１１、支持板１２、支持補助板１３、荷重支持部材１４、ストレッチャーやベッド等の昇降機構は、同一の構成（形状、材料を含む）を採用することができ、以下では、同一の構成については同一の符号を付すと共に、その詳細な構成については説明を割愛する場合がある。
尚、空間形成部材６１は、上述した挿入補助板１１と支持板１２と支持補助板１３とを組み合わせたもの（又は、支持板１２又は支持補助板１３の単体）を好適に採用することができ、空間形成部材６１の挿入方向は、例えば、臥床者Ｋの身長方向（長手方向）と略直交する方向に沿って、挿入されることが好ましい。因みに、当該第２実施形態にあっては、説明の都合上、空間形成部材６１として働く挿入補助板１１は、空間形成挿入補助板６１ａと呼び、空間形成部材６１として働く支持板１２は、空間形成支持板６１ｂと呼び、空間形成部材６１として働く支持補助板１３は、空間形成支持補助板６１ｃと呼ぶ場合がある。
更に、柔軟部材６０としては敷き布団等の寝具を好適に用いることができる。
【０１１１】
当該第２実施形態の身体リフトシステム１００では、図１１に示すように、ベッドやストレッチャー等の臥床面１５ａに柔軟部材６０が敷設され、当該柔軟部材６０の上に臥床者Ｋが臥床している状態（図１１（ａ）に示す状態）で、臥床面１５ａと柔軟部材６０との間に、臥床面１５ａに沿う状態で空間形成部材６１を間隔を隔てて挿入する（図１１（ｂ））。
これにより、図１１（ｃ）に示すように、柔軟部材６０は、空間形成部材６１にて支持される部分と支持されない部分が形成され、空間形成部材６１の間で且つ臥床者Ｋと柔軟部材６０との間の空間形成部材６１の支持されない部分に、挿入空間Ｓｐが形成される。空間形成部材６１の挿入のみにより挿入空間Ｓｐを形成するには、所定の厚み（例えば、０．５ｍｍ以上５０ｍｍ以下の厚み）を有する長尺状の空間形成部材６１を採用することが好ましい。
一方、図示は省略するが、挿入した空間形成部材６１を荷重支持部材１４により支持して持ち上げる場合、当該空間形成部材６１の厚みは薄くても、良好に挿入空間Ｓｐを形成することができる。因みに、複数の空間形成部材６１を十分に薄くする場合、臥床者Ｋが敷き布団等の柔軟部材６０に臥床していても臥床者Ｋに違和感を与えることがないため、１回目の昇降の後に空間形成部材６１を柔軟部材６０の下方へ残したままにすることで、２回目以降に空間形成部材６１の挿入を省略することができる。当該複数の空間形成部材６１は、固定された形の、スノコ状や梯子状、ネット状の構成等を好適に採用することができる。
【０１１２】
次に、図１１（ｄ）に示すように、形成された挿入空間Ｓｐに対して、挿入支持部材としての支持板１２（挿入補助板（図示せず）を入れても構わない）、及び支持補助板１３を挿入する。挿入後には、どのタイミングでも空間形成部材６１を取り除くことができる（図１１（ｅ））。
その後、図１１（ｆ）に示すように、支持板１２及び支持補助板１３を荷重支持部材１４にて支持した状態で、当該荷重支持部材１４を図示しない昇降機構により持ち上げることにより、臥床者Ｋと臥床面１５ａとの間に、医療、看護、又は介護を含む処置を行う空間Ｓを形成する。
尚、このとき、支持板１２及び支持補助板１３を荷重支持部材１４にて支持した状態を維持したまま、ストレッチャーの上面としての臥床面１５ａを下降させることで空間Ｓを形成してもかまわない。
また、図示は省略するが、図１１（ｅ）と（ｆ）との間において、柔軟部材６０を敷いたまま、その後の工程を実行しても構わない。
【０１１３】
次に、実施例にて、身体リフトシステム１００の柔軟部材６０の下方への空間形成部材６１の挿入による挿入空間Ｓｐの形成、挿入部材１１、１２、１３の挿入、荷重支持部材１４による荷重の支持、昇降機構による臥床者Ｋと臥床面１５ａ間の空間Ｓの形成、医療又は看護又は介護を含む処置の各種例を説明する。
尚、以下の実施例では、新生児人形（臥床者Ｋの一例）としては、「京都科学社、沐浴人形、新太郎、型番１１２７８−０００、身長５３ｃｍ、重さ２．７ｋｇ」を用い、成人人形（臥床者Ｋの一例）としては、「株式会社坂本モデル製、清子さん、身長１６０ｃｍ、体重約１３ｋｇ」を用いるものとした。
更に、実施例１〜１６は、第１実施形態に対応するものであり、実施例１７〜２０は、第２実施形態に対応するものである。
【実施例１】
【０１１４】
市販のストレッチャー（村中医療器株式会社、ナーシングストレッチャー、ＮＳＴ−１）に、表面のシーツが糸で部分的に縫いつけられている市販の布団（１００ｃｍ×２００ｃｍ、厚みは約５ｃｍ、圧縮すると約３ｃｍ）を載せ、本布団上のシーツのフラットな部分に（縫合加工など無い部分に）、市販の新生児人形を載せ、実験を行った。該新生児人形には、木綿を素材としたガウン状の寝衣（所謂長肌着）を着せ、毛髪部を模擬的に覆うため（人形のため坊主頭であり実際には毛は無いが）介護サポーターを頭部にかぶせ、挿入補助板１１を挿入する実験を行った。
尚、挿入補助板１１には、市販の文房具のプラスチックの定規２種、ステンレスの定規１種を使用した。これら定規の寸法特性を〔表１〕に示す。【０１１５】
【表１】
2019027037.tif 000003
【０１１６】
（１）新生児人形には寝衣をたるみなく着衣し、人形の背中にはしわが認められない状態に着せ、手は指を絡ませ人が手を組んでいる形にし、布団上のシーツのフラットな面上に、仰臥位の体位にして臥床させた。
（２）新生児人形の正中面の頭頂から約２９ｃｍの新生児人形の腰部の下に、左側（人形の左手の側）から右側にプラスチック定規ＴＣＣ０−１０２を臥床面１５ａと水平に挿入したところ（本定規の断面は台形であるが、台形の長い辺が新生児人形の側に面し、短い辺が布団に面する形で、又、上下反対の両方のやり方で）、新生児人形の背面を抵抗なく貫通した。
（３）上記（２）のプラスチック定規ＴＣＣ０−１０２を引き抜き、（２）と同様に、プラスチック定規ＪＩＳ  ＮＯ  ５６９０４７ＹＫの刻印付きの物を、頭頂から約２９ｃｍの新生児人形の腰部の下に、左側（人形の左手側）から右側に臥床面１５ａと水平に挿入したところ、新生児人形の背面を抵抗なく貫通した。
（４）上記（２）、（３）と同様に、ステンレスの定規を円弧の形状を有する部分を先端に、頭頂から約２９ｃｍの新生児人形の腰部の下に、左側から右側に臥床面１５ａと水平に挿入したところ、新生児人形の背面を抵抗なく貫通した。本実験により、厚みが１〜２ｍｍの略３０ｃｍの文房具の定規が抵抗なく、木綿の寝衣を着た新生児人形と、ベッドの布団上のシーツのフラットな臥床面１５ａの間に挿入できることを確認した。
【実施例２】
【０１１７】
実施例１と同様に、市販のストレッチャー（村中医療器株式会社、ナーシングストレッチャー、ＮＳＴ−１）に、表面のシーツが糸で部分的に縫いつけられている市販の布団（１００ｃｍ×２００ｃｍ、厚みは約５ｃｍ、圧縮すると約３ｃｍ）を載せ、本布団上のシーツのフラットな部分（縫合加工などない部分）に、市販の新生児人形を載せ実験を行った。該新生児人形には、木綿を素材としたガウン状の寝衣を着せ、毛髪部を模擬的に覆うため（人形のため坊主頭であり実際には毛は無いが）介護サポーターを頭部にかぶせ、挿入補助板１１を挿入し、挿入補助板１１の下の直下に支持板１２を挿入する実験を行った。
支持板１２は市販の金網入り硬質ポリ塩化ビニルの板（タキロン株式会社製ＳＡＫＫ６０８）を用いた。市販の該硬質ポリ塩化ビニルの板は平板で、該板を鋸、小刀、やすりを用いて加工し、概略、〔表２〕の寸法に仕上げた。
【表２】
2019027037.tif 000004
【０１１８】
本材料は、金網入りの硬質塩化ビニルの板であるため、鋸などでカットした折、針金が端面に出現する時があるが、針金はペンチなどで切断し、針金の突出面はやすりでなめらかに仕上げ、素手でこすってもなめらかに滑ることを確認し、以降の支持板１２の挿入実験に用いた。
（１）新生児人形には木綿製の寝衣をたるみなく着衣させ、人形の背中にしわが認められない状態に着せ、手は指を絡ませ人が手を組んでいる形にし、布団上のシーツのフラットな面に仰臥位の体位にして臥床させた。
（２）新生児人形の正中面の頭頂から約３２ｃｍの新生児人形の腰部に、左側から右側にプラスチック定規ＴＣＣ０−１０２を臥床面１５ａと水平に挿入したところ、実施例１と同様、新生児人形の背面を抵抗なく貫通した。
（３）引き続き、支持板１２（挿入先端と両側面はテーパー加工あり、挿入先端の左右角部位は面取り加工ありのもの）を挿入補助板１１の直下、挿入補助板１１とベッド上のシーツのフラットな臥床面１５ａの間に、略水平に挿入したところ、挿入補助板１１の下を抵抗なく貫通し、支持板１２の上に挿入補助板１１が、挿入補助板１１の上に新生児人形が載る形に板が挿入できた。本実験により、新生児人形の腰部の下に、厚み１．５ｍｍ、幅３３ｍｍ、長さが約３０ｃｍの挿入補助板１１がまず挿入でき、本挿入補助板１１の下に、厚み３ｍｍ、幅１０ｃｍ、長さ９０ｃｍの支持板１２が挿入できることを確認した。
【実施例３】
【０１１９】
実施例２の結果を引き継ぎ、新生児人形の正中面の頭頂から約３２ｃｍの腰部の下に、厚み１．５ｍｍ、幅３３ｍｍ、長さが約３０ｃｍの挿入補助板１１が挿入され、挿入補助板１１の下に、厚み３ｍｍ、幅１０ｃｍ、長さ９０ｃｍの支持板１２が挿入された状態から実験を開始した。尚、支持板１２は、１０ｃｍの幅があるので、人形の腰部から大腿部にかけて挿入されている状態であった。
（１）まず、人形の腰部直下にある挿入補助板１１を腰部から引き抜いた。挿入補助板１１は抵抗なく引き抜けた。
（２）次に挿入補助板１１、プラスチック定規ＴＣＣ０−１０２を、実施例１、２と同様に、人形の正中面の頭頂から約１５ｃｍの新生児人形の肩部の下に、人形の左側（左手の側）から右側に向けて臥床面１５ａと水平に挿入した。挿入補助板１１は実施例１、２と同様に新生児人形の背面を抵抗なく貫通した。
（３）その後、肩部の下に挿入された挿入補助板１１の直下に、２枚目の支持板１２（実施例２で使用したのと同一仕様）を人形の左側（左手の側）から右側に水平に挿入した。２枚目の支持板１２は少し人形の足方向にも滑りながら挿入され、貫通した状態では、挿入補助板１１の長手方向の中心線は略最初に挿入した位置にあったが、２枚目の支持板１２の長手方向の中心線は挿入補助板１１の長手方向の中心線から人形の足側へ約２．５ｃｍずれたが、本支持板１２は挿入補助板１１の全域を載せる形で挿入された。その後、挿入補助板１１を抜去した。挿入補助板１１は抵抗なく抜去された。
（４）ベッド上のシーツのフラットな面と臥床人形の腰部の間に挿入した１枚目の支持板１２の端と、シーツのフラットな面と臥床人形の肩部の間に挿入した２枚目の支持板１２の端の間に、約４．５ｃｍの距離ができたが、２枚目に挿入した支持板１２を人形の背面下を、即ち、臥床人形と布団上のシーツのフラットな面の間を、先に挿入した腰部下の支持板１２の方向へ滑らせるように移動し、大腿部から肩部にかけて、２枚の支持板１２を敷き詰めた。
支持板１２の臥床人形とベッド上のシーツのフラットな面の間の滑り移動は、抵抗なく実施でき、結果として、幅２０ｃｍ、長さ９０ｃｍの支持板１２を新生児人形の背面、即ち、臥床人形と布団上のシーツのフラットな面の間に敷き詰めることができた。
（５）その後、人形の正中面の頭頂から約１０ｃｍの頚部の直下に、再度、挿入補助板１１、プラスチック定規ＴＣＣ０−１０２を、人形の左側（左手の側）から右側へ挿入した。頚部は、実質、頭部と肩部に支えられ、ベッド上のシーツ面から浮き上がっているので、頚部の下のすき間を挿入補助板１１は問題なく貫通した。３枚目の支持板１２（実施例２で使用したのと同一仕様）の挿入に際しては、挿入補助板１１は、臥床人形に押さえられている訳ではないので、人形の左側に出ている挿入補助板１１の端を実験者の片手で押さえながら、もう一方の手で３枚目の支持板１２を持ち、挿入補助板１１の下に左側（人形の左手の側）から右側に支持板１２を挿入した。臥床人形とベッド上のシーツの間にすき間の多い頚部の下においては、挿入補助板１１の下に、支持板１２は抵抗なく挿入できた。
（６）新生児人形の頚部の下へ３枚目の支持板１２の挿入完了後、挿入補助板１１を抜去した。挿入補助板１１は抵抗なく抜去された。上記（４）と同様に、先に挿入した大腿部から肩部下を敷き詰めている２枚の支持板１２の端部と、今次頚部の下に挿入された３枚目の支持板１２の端部にはすき間があったので、本すき間を埋めるために、２枚目の支持板１２と同様に、頚部の下に挿入された３枚目の支持板１２を臥床人形とベッド上のシーツの間を水平に、人形の足方向に滑らせてすき間を埋めた。結果として、幅３０ｃｍ、長さ９０ｃｍの支持板１２を、概略上部頸椎から大腿部に渡る新生児人形の背面の部分と、布団上のシーツのフラットな面の間に敷き詰めることができた。
（７）頭部直下への支持板１２の敷き込みに関しては、頚部は屈曲するので、挿入補助板１１の挿入を省略し、頭部を少し持ち上げ、４枚目の支持板１２（実施例２で使用したのと同一仕様）を左側（左手の側）から右側へ挿入し、水平方向への滑り移動も合わせ、大腿部から上部頸椎部まで敷き詰めた支持板１２に頭部の支持板１２を接続した。結果として、幅４０ｃｍ、長さ９０ｃｍの支持板１２を、概略頭部から大腿部に渡る新生児人形の背面の部分と、布団上のシーツのフラットな面の間に敷き詰めることができた。
（８）大腿部直下への支持板１２の敷き込みに関しては、大腿部の直下は頚部同様、ベッド上のシーツ面との間のすき間が多く、挿入補助板１１なしで、５枚目の支持板１２の先端をベッドに押し付けながら挿入すると問題なく貫通できた。その後、支持板１２の水平方向への滑り移動を合わせ、頭部から大腿部まで敷き詰められた支持板１２に、大腿部直下へ敷いた支持板１２を接続した。結果として、幅５０ｃｍ、長さ９０ｃｍの支持板１２を、概略頭部から膝部に渡る新生児人形の背面の部分と、布団上のシーツのフラットな面の間に敷き詰めることができた。
（９）踵部への支持板１２の敷き込みに関しては、新生児人形では股関節が屈曲するので、挿入補助板１１の挿入を省き、足根の部分を少し持ち上げ、６枚目の支持板１２を左側（左手の側）から右側へ挿入し、水平方向への滑り移動も合わせ、頭部から膝部まで敷き詰めた支持板１２に、踵部の支持板１２を接続した。結果として、幅６１ｃｍ、長さ９０ｃｍの支持板１２を、頭部から踵部に渡る新生児人形の背面の部分と、布団上のシーツのフラットな面の間に敷き詰めることができた。
本実施例３により、挿入補助板１１を必要に応じて使用し、又、頚部や大腿部、膝部など屈曲する部位を少し持ち上げることも含め、厚さ３ｍｍのプラスチックの板を身長５３ｃｍの人形の直下に敷き詰めることが可能であることを確認した。
又、臥床者Ｋ（本実施例３では臥床人形）の屈曲部の有無や、臥床者Ｋとベッド上のシーツなどの臥床面１５ａの特性に応じ、挿入補助板１１なしで、支持板１２から挿入が開始できる場合があることを確認した。
【実施例４】
【０１２０】
実施例１〜３と同様に、市販のストレッチャー（村中医療器株式会社、ナーシングストレッチャー、ＮＳＴ−１）に、市販の表面のシーツが糸で部分的に縫いつけられている市販の布団（１００ｃｍ×２００ｃｍ、厚みは約５ｃｍ、圧縮すると約３ｃｍ）を載せ、本布団上のシーツのフラットな部分に（縫合加工などない部分に）、市販の新生児人形を仰臥位の体位にして載せ、実験を行った。該新生児人形には、木綿を素材とした寝衣を着せ、人形の背中にしわが認められない状態に着せ、手は指を絡ませ人が手を組んでいる形にし、毛髪部を模擬的に覆うため（人形のため坊主頭であり実際には毛は無いが）介護サポーターを頭部にかぶせ、〔表３〕に示す、厚みの薄い直方体で近似される色々な種類の材料を新生児人形の胸部から腰部にかけて挿入する実験を行った。
使用した板は、ステンレス板（株式会社久宝金属製）、アルミニウム板（株式会社久宝金属製）、ポリカーボネート板（タキロン株式会社製、ＰＣ１６００）、ポリ塩化ビニル板（タキロ硬質ＰＶＣ（タキロン株式会社製、ＴＳ６０８及びＳＡＫＫ６０８）、変性ポリエチレンテレフタレート板（アクリルサンデー株式会社製、ＰＧ−１透明）、メタクリル樹脂板（三菱レーヨン株式会社製、アクリライト（登録商標））を使用した。各板の寸法、テーパーや面取りの加工の有無、挿入実験の結果を〔表３〕に示す。
木綿の寝衣を着せ仰臥位に横たわらせた新生児人形と布団のシーツからなる臥床面１５ａの間に、板を水平に、又は、板の先端で布団の上のシーツを押しながら貫通させた。貫通したものは、〔表３〕では〇で、挿入途中で新生児の寝衣などにひっかかり挿入を停止したものは〔表３〕では×で示した。本実施例４では、金属の板に関しては、加工（挿入先端のテーパーや先端の角の面取り）無しで実施し、プラスチックの板に関しては、加工したものも挿入した。そのまま挿入が不可のものに関しては、挿入補助板１１（実施例１の市販の定規（ＴＣＣ  ０−１０２））を使用し、挿入補助板１１と布団のシーツの臥床面１５ａの間に〔表３〕の実験用の板を挿入した。挿入補助板１１を使用しても挿入補助板１１からはみ出した部分の角部位などが新生児の寝衣や布団のシーツとひっかかり貫通しない板に関しては、該角部位を先頭とし挿入補助板１１の下をくぐらせた。挿入先端の加工有無、挿入補助板１１の有無、平板の幅方向又は角部を先頭にした挿入など３種の挿入モードを使用して、各板の貫通を試みた。又、貫通した金属の板と一部のプラスチックの板に関し、臥床面１５ａに沿う方向で、且つ挿入方向とは直角な方向で、新生児人形の頭部から足方向への板の滑り可否も実験し、これらデータを〔表３〕にまとめた。【０１２１】
【表３】
2019027037.tif 000005
【０１２２】
尚、上記材料７は、長手方向の両側、挿入先端にテーパー、挿入先端の両角部位を面取りしており、上記材料８は、市販の定規（ＴＣＣ  ０−１０２）では長手方向両側に両側面約４５度でテーパーを設けてあり、上記実施例１の材料（市販の定規（ＪＩＳ  ＮＯ  ５６９０４７ＹＫ））では、長手方向両側に、両側面逆方向に約４５度でテーパーを設けてあり、上記実施例１の材料（市販のステンレス定規）では、挿入先端片方に半径約３０ｍｍの円弧を設けている。
また、上記※１）では、長手方法の両側と幅方向の先端にテーパー。〔表２〕の挿入先端稜線部位の図と同様、厚みを底辺とした二等辺三角形状のテーパーを付けた。
上記※２）では、※１）と同様、長手方向の両側と幅方向の先端に厚みを底辺とした二等辺三角形状のテーパーを付け、且つ、〔表２〕の挿入先端角部位の図と同様幅方向の先端の角部位は隅角から２ｍｍカットした。
上記※３）では、〔表２〕の挿入先端稜線部位の図と同様、幅方向先端部に厚みを底辺とした二等辺三角形状のテーパーを付け、且つ、〔表２〕の挿入先端角部位の図と同様幅方向の先端の角部位は隅角から２ｍｍカットした。【０１２３】
本実施例４の結果より、金属及びプラスチックの板は、臥床面１５ａの状態にも依存するが、無条件に挿入できるものではなく、材料を適切に選び、テーパーと角の面取など加工のないときは０．３ｍｍ〜２ｍｍ厚で、テーパーと角の面取など加工はないが挿入補助板１１を使用し、且つ／又は、先端の角から挿入補助板１１の下に挿入する時は０．５〜３ｍｍ厚でより厚い板も挿入でき、テーパーと角の面取りのある時は１．５ｍｍ以上の更に厚い板が挿入でき、挿入補助板１１や支持板１２として使用できることが確認された。
【実施例５】
【０１２４】
実施例１〜４で使用したのと同じ新生児人形、硬質ポリ塩化ビニルの支持板１２（タキロン株式会社製ＳＡＫＫ６０８、厚み３ｍｍ、幅１００ｍｍ、長さ９００ｍｍ、挿入先端と両側面はテーパー加工、挿入先端の左右角部位は面取り加工）、市販のベッド（パナソニック電工株式会社、在宅用電動介護用ベッドＲＳ、大きさ１９７５ｍｍ×９９８ｍｍ）上に市販のマットレス（約１９４ｃｍ×約９６ｃｍ）が載ったものを用いて、新生児人形のリフトアップ実験を実施した。
（１）ベッドのマットレス上に、表面のシーツが糸で部分的に縫いつけられている市販の布団（１００ｃｍ×２００ｃｍ、厚みは約５ｃｍ、圧縮すると約３ｃｍ）を載せ、本布団上のシーツのフラットな部分に（縫合加工などない部分に）、新生児人形を載せた。新生児人形は、木綿製の寝衣をたるみなく着衣させ、人形の背中にはしわが認められない状態に着せ、毛髪部を模擬的に覆うため（人形のため坊主頭であり実際には毛は無いが）介護サポーターを頭部にかぶせ、手は指を絡ませ人が手を組んでいる形にし、布団上のシーツのフラットな面に仰臥位の体位にして臥床させた。
（２）本実施例５では、挿入補助板１１の挿入は省略し、新生児人形の正中面の頭頂から約３０ｃｍの人形の腰部に支持板１２の長手方向の中心線が重なるように、支持板１２の先端部をベッド上の布団に押し付けながら挿入した。挿入は大きな抵抗もなく実施できた。
（３）同様に、新生児人形の正中面の頭頂から約４４ｃｍの膝下の位置に、支持板１２の長手方向の中心線が重なるように２枚目の支持板１２を挿入した。本挿入も大きな抵抗なく実施できた。
（４）次に、人形の身体とベッド上のシーツの臥床面１５ａにすき間のある頚部下に、３枚目の支持板１２の挿入先端の角部位を先頭に、ベッド上の布団を挿入先端で少し押しながら挿入し、その後、支持板１２の長さ方向とは略直角の、人形の頭部の方向へ、支持板１２を滑り移動させた。人形の毛髪部は介護サポーターで覆ってあるため人形の後頭部と少し段差があり、この部分と考えられるが、板の滑り移動時ひっかかり、一度、支持板１２の移動を中断させた。人形の頭部を少し持ち上げ、支持板１２を問題なく人形の後頭部へ移動した。３枚目の板の位置は、人形の正中面の頭頂から約９ｃｍであった。人形の正中面と支持板１２の長手方向の中心線が交わる位置の人形の頭頂からの概略の距離、即ち、支持板１２の挿入位置を〔表４〕に示す。【０１２５】
【表４】
2019027037.tif 000006
【０１２６】
（５）（２）〜（４）の支持板１２の挿入で、新生児人形は、微調整も含め、３枚の支持板１２の略中央に載っており、これら３枚の支持板１２の左右端部の直下に、臥床人形の頭から足の軸と略平行な方向に、荷重支持部材１４の一部として、支持板１２と同じ仕様の板を左に１枚、右に１枚、これらの板の長手方向が人形の頭から足の軸方向に略平行な方向に挿入した。実験参加者が１人ずつ、ベッドの左右に立ち、支持板１２の端部の直下に挿入されたプラスチックの支持補助板１３を手・腕で支え、もう１人の実験参加者（実験参加者は合計３名）がベッドの昇降機構として使用する当初新生児人形が載っていたベッドの床面を降下させると、新生児人形とベッドの布団上のシーツの臥床面１５ａの間に空間Ｓが形成された。新生児人形と臥床面１５ａの距離は約２ｃｍであった。
（６）本空間Ｓを利用して、体位変換などに使用するシート（本実験では、特願２０１６−１３７７９９記載の身体ホルダー；当該品は大きさが約５０ｃｍ×５０ｃｍ×２ｃｍ。臥床者Ｋ側からバスタオルの緩衝断熱材／ポリエチレンの袋に包まれた加熱により硬軟変化するシート（パラフィンワックス１１５Ｆ（Ｐａｒａｆｆｉｎ  Ｗａｘ−１１５）使用）、シートを加熱するフィルムヒーターからなる）を臥床人形の下へ敷き込んだ。
（７）その後、電動ベッドの昇降機構を調整しながら上昇させ、支持板１２が、体位変換などに使用するシート（本実験では身体ホルダー）の表面のバスタオルの緩衝断熱材などと接触した時点で上昇を停止し、新生児人形が載っている３枚の支持板１２が、身体ホルダーの上で、又、該ホルダーはベッドの床面の上で支えられていることを確認し３枚の支持板１２を足側から順に抜去した。
（８）支持板１２の挿入開始から３枚の支持板１２の挿入完了までが、約４０秒、荷重支持部材１４の組み立て準備完了までが、約１７秒、昇降機構で臥床面１５ａを下降させ、医療、看護、又は介護を含む処置に使用する器具（本実施例５では、体位変換などに使用する身体ホルダー）の挿入に約８秒、昇降機構の上昇に約１７秒、支持板１２の抜去に約１７秒、合計約１分４０秒で全ての作業を完了した。これら作業時間を〔表５〕にまとめて示す。【０１２７】
【表５】
2019027037.tif 000007
【０１２８】
本実施例５により、医療又は看護又は介護を含む処置の必要性に応じ、プラスチック製の支持板１２を敷き詰めることなく新生児人形とベッド上のシーツの間に挿入し、プラスチックの支持板１２と人の手腕からなる荷重支持部材１４、電動ベッドの昇降機構１５からなる身体リフトシステム１００にて、新生児人形とベッド上のシーツの間に空間Ｓが形成され、本空間Ｓに、容易に、医療、看護、又は介護を含む処置に使用する器具が挿入できることを確認した。
【実施例６】
【０１２９】
実施例２と同様、挿入補助板１１として市販のプラスチック定規ＴＣＣ０−１０２を用い、支持板１２として、硬質ポリ塩化ビニルの板（タキロン株式会社製ＳＡＫＫ６０８、厚み３ｍｍ、幅１００ｍｍ、長さ９００ｍｍ、挿入先端と両側面はテーパー加工、挿入先端の左右角部位は面取り加工）を３枚用いて実験を行った。
（１）ストレッチャーとして使用される木村寝台工業株式会社製ｋｐ  ＰＡＲＡＭＡＵＮＴ  ＢＥＤは金属の床面を有しており、本床面の上に新生児人形を載せた。該新生児人形には、木綿を素材とした寝衣を着衣させ、人形の背中にはしわが認められない状態に着せ、毛髪部を模擬的に覆うため（人形のため坊主頭であり実際には毛は無いが）介護サポーターを頭部にかぶせ、手は指を絡ませ人が手を組んでいる形にし、仰臥位の体位にして臥床させた。
（２）市販のプラスチック定規ＴＣＣ０−１０２を挿入補助板１１として使用し、腰部に本定規の断面の台形の短い辺が新生児人形の側に面し、長い辺が金属面に面する形で挿入を試みたが、床面が硬いためか挿入に抵抗があり、挿入補助板１１は、一旦抜去した。挿入補助板１１の挿入位置を変え、首部直下の自然に形成される空間から再度、本定規の断面の台形の短い辺が新生児人形の側に面し、長い辺が金属面に面する形で挿入し、貫通させ、その後、挿入方向とは直角な頭部から足部の軸に平行に、脚部方向へ挿入補助板１１を平行移動すると新生児形の寝衣と金属の床面の間を滑り移動し、腰部に貫通させた形が形成できた。
（３）腰部の挿入補助板１１の直下に、挿入補助板１１の端を持ち上げながら支持板１２を挿入した。支持板１２は大きな抵抗もなく挿入補助板１１の下に挿入できた。その後挿入補助板１１は抜去した。抜去は問題なく実施できた。
（４）（３）と同様に、首部の下にまず挿入補助板１１を、続いて２枚目の支持板１２を挿入し、同様に、大腿部から膝部にかけて挿入補助板１１、３枚目の支持板１２を挿入し、その後、支持板１２を水平方向、直角方向に滑り移動させ、微調整し、実施例５で新生児の荷重を支持したのと略同様の板の配置を形成した。
（５）（１）から（４）と同様に、災害時を想定し、実験室の床を臥床面１５ａとして実験を実施した。実験室の床は、ポリ塩化ビニルのタイルであった。
（６）市販のプラスチック定規ＴＣＣ０−１０２を挿入補助板１１として使用し、腰部に、本定規の断面の台形の短い辺が新生児人形の側に面し、長い辺がポリ塩化ビニルのタイルに面する形で挿入を試みたが、床面が硬く腰部直下では挿入抵抗が大きく困難であったため、（２）と同じく首部の下の自然に形成される空間から再度、本定規の断面の台形の短い辺が新生児人形の側に面し、長い辺がポリ塩化ビニルのタイルに面する形で挿入、貫通させ、その後挿入方向とは直角な脚部方向へ平行移動すると新生児形の寝衣と実験室の床面の間を滑り移動し、腰部に貫通させた形が形成できた。腰部の挿入補助板１１の直下に、挿入補助板１１の端を持ち上げながら支持板１２を挿入した。支持板１２は大きな抵抗もなく挿入補助板１１の下に挿入できた。その後挿入補助板１１は抜去した。抜去は問題なく実施できた。
（７）（４）と同様に、挿入補助板１１を繰り返し使用して、２枚目、３枚目の支持板１２を挿入し、実施例４で新生児の荷重を支持したのと同様の板の配置を形成した。
（８）又、戸外の災害時を想定し、モデル臥床面１５ａとして実験室の外側の林の地面、土と石が露出している比較的フラットな露出面を使用した。定規からなる挿入補助板１１の腰部からの挿入が戸外の地面でも困難であったので、首部の下の空間からまず本定規の断面の台形の短い辺が新生児人形の側に面し、長い辺が地面に面する形で挿入し、その後、足側へ平行移動し腰部に挿入した。
（９）腰部の挿入補助板１１の下に、挿入補助板１１の端を持ち上げながら支持板１２を挿入した。支持板１２は地面との抵抗はあったが、問題なく挿入補助板１１の下に挿入できた。
（１０）腰部から挿入補助板１１を抜去し、抜去した挿入補助板１１を使用し、（９）と同様に、首部の下に挿入し、その下に、２枚目の支持板１２を挿入し、又、首部から挿入補助板１１を抜去し、抜去した挿入補助板１１を大腿部から膝部に挿入し、３枚目の支持板１２を挿入した。その後、３枚の支持板１２を水平方向、直角方向に移動微調整し、実施例４で新生児の荷重を支持したのと略同様の配置とした。
本実施例６により、金属面、コンクリート面、戸外の地面などの臥床面１５ａも、身体リフトシステム１００の構成要素である挿入補助板１１、支持板１２が挿入可能であることが確認された。例えば人の手・腕からなる荷重支持部材１４、昇降機構１５と組み合わせることにより、臥床者Ｋの下に、例えば担架などの災害時の看護、介護器具が挿入可能となる。
【実施例７】
【０１３０】
（１）実施例１〜４と同様、市販のストレッチャー（村中医療器株式会社製、ナーシングストレッチャー、ＮＳＴ−１）に、市販の表面のシーツは糸で縫いつけられている布団（１００ｃｍ×２００ｃｍ、厚みは約５ｃｍ、圧縮すると約３ｃｍ）を載せ、今回は、荷重支持部材１４を設置して行う実験であるため、ストレッチャー（縦１９４ｃｍ、横５４ｃｍ）の上に、実施例１〜３で使用した表面のシーツは糸で縫いつけられている市販の布団を二つ折にし、略２００ｃｍ×５０ｃｍ、厚みは約１０ｃｍ、圧縮すると約５ｃｍの布団を一つの布団のように使用し、実験を行った。その上に市販のパジャマを着用させ、毛髪を覆うため介護サポーターを頭部に被せた身長１６２ｃｍ、体重６９ｋｇの臥床者役の成人男子実験者を、手掌を組んだ形で仰臥位に臥床させた。成人は新生児人形より大きいので、挿入補助板１１の挿入は省略し、実施例２で使用したのと同仕様の支持板１２（挿入先端と両側面はテーパー加工あり、挿入先端の左右角部位は面取り加工ありのもの）を頭から足側へ、順番に、成人の左側（左手の側）から７本挿入した。挿入先端をストレッチャー上の布団に糸で縫い付けられているシーツを押しながらゆっくり挿入した。下腿部と足首部の挿入時、右脚のパジャマのズボンの筒のたるみを支持板１２が巻き込み（支持板１２の先端を布が覆う形）、挿入抵抗が大きい事態も発生したが、介護者（本実施例７では支持板１２の挿入者）が、素手で、挿入先端から布を外すことで、挿入は続行でき、７枚の支持板１２の挿入は完成した。臥床者Ｋの正中面と支持板１２の長手方向の中心線の交点の臥床者Ｋの頭頂からの距離、即ち、支持板１２の挿入の概略の位置を〔表６〕に示す。【０１３１】
【表６】
2019027037.tif 000008
【０１３２】
これら支持板１２は、臥床者Ｋの背面を全域ではなく部分的に覆っている。これら支持板１２を使用し、以下の（２）のリフトアップ実験を取り進めた。
（２）杉の木の板で（厚み、厚み１４ｍｍ、幅９０ｍｍ、長さ９７５ｍｍ）、挿入先端にテーパーを付けたものを支持補助板１３として準備した。挿入先端のテーパーは、鋸を用いて切削加工した。支持補助板１３の仕様を〔表７〕に示す。【０１３３】
【表７】
2019027037.tif 000009
【０１３４】
支持板１２の配置に合わせその直下に、支持板１２をガイドとして、支持補助板１３を、即ち、支持板１２と、ストレッチャー（臥床面１５ａを有する昇降機構１５の一例）の上のシーツは糸で縫いつけられている市販の布団を二つ折にしたものの臥床者側表面との間に、臥床者Ｋの左側（左手の側）から右側へ、頭側から足側へ順番に挿入した。支持補助板１３は大きな抵抗なく挿入できた。
（３）支持板１２の長さが９００ｍｍ、支持補助板１３の長さが９７５ｍｍ、成人臥床者Ｋが臥床しているストレッチャーの幅が５４０ｍｍであり、支持板１２と支持補助板１３は臥床者Ｋの乗っているストレッチャーからはみ出しているが、それぞれの板の左右へのはみ出し幅を均等に調整した後、成人臥床者Ｋが乗っているストレッチャーの臥床者Ｋの右側（右手の側）に、荷重支持部材１４として別のストレッチャー、ＰＡＲＡＭＡＵＮＴ  ＢＥＤ  ＫＫ−７００−０９５Ｄをまず１台配置し、臥床者Ｋ右側にはみ出している支持補助板１３の底面がほぼ、右側のストレッチャーに接する高さにストレッチャーの高さを調整し、その後、臥床者Ｋの左側に（左手の側に）更に荷重支持部材１４として、別の１台のストレッチャー、ＰＡＲＡＭＯＮＴ  ＢＥＤ  ＫＡ−８８１を配置し、右側と同じく、臥床者Ｋの左側にはみ出している支持補助板１３の底面がほぼ、左側のストレッチャーに接する高さになるようにストレッチャーの高さを調整した。
（４）臥床者Ｋが乗っているストレッチャーの左右にある荷重支持部材１４としてのストレッチャーの高さを微調整し、支持補助板１３が左右のストレッチャーに支えられていることを確認し、即ち、支持補助板１３が水平に支えられていることを確認し、結果として、支持補助板１３の上に載っている支持板１２、支持板１２の上に乗っている臥床者Ｋが水平に支えられていることを確認し、昇降機構１５でもある、臥床者Ｋの乗っているストレッチャーを床面の昇降ハンドルをゆっくり回し、下降させ、臥床者Ｋの背面全域に空間Ｓを形成した。本実施例７では、臥床者Ｋ直下の空間Ｓの大きさは、深さが約１６ｃｍ、幅が約６３ｃｍ、長さが約２００ｃｍであった。
（５）本実施例７では、臥床者Ｋが臥床面１５ａから相対的にリフトアップした状態で（実際は、臥床者Ｋが乗っているストレッチャーをリフトダウン）約１分経過後、臥床者Ｋの乗った昇降機構であるストレッチャーをゆっくり上昇させ、荷重支持部材１４である別の２機のストレッチャーにより支えられている７本の支持補助板１３を、ストレッチャー上の、表面のシーツが糸で縫いつけられている市販の布団の表面に接触させ、ストレッチャー下降直前の状態に戻し、臥床者Ｋが当初乗っていたストレッチャーにより、支持補助板１３の自重、支持板１２の自重、臥床者Ｋの体重が支えられていることを確認後、臥床者Ｋの左側（左手側）の荷重支持部材１４として使用中のストレッチャーの高さを下降させ、臥床者Ｋが乗っているストレッチャーから板を抜去する次の操作に支障のない距離だけ離した。左側の荷重支持部材１４が外れたことにより、臥床者Ｋの体が傾くことがないか確認し、右側の荷重支持部材１４の高さを微調整し、その後、臥床者Ｋの左側の足側から支持補助板１３を順番に頭側へと抜去し、支持補助板１３が全て抜去されてから、支持板１２を足側から順次頭側へ抜去し、臥床者Ｋを元の臥床状態に復帰した。
本実施例７で、昇降機構の降下開始から復帰まで、臥床者Ｋの直下全域に渡る空間Ｓが、少なくとも約２分間形成できたことが確認された。支持板１２の挿入から、１６ｃｍの空間Ｓを形成するまでの時間が５分半、その後、復帰に約２分要した。実験参加の臥床者Ｋは合計７分半は板の上に乗っていたことになるが、痛み、疲れは特になしとのことであった。
本実施例７により、本発明の身体リフトシステム１００は、医療、看護、又は介護を含む処置に使用するに十分な空間Ｓを、臥床者Ｋ直下に形成できることが確認された。
【実施例８】
【０１３５】
実施例７と同様、市販のストレッチャー（村中医療器株式会社製、ナーシングストレッチャー、ＮＳＴ−１）に、表面のシーツは糸で縫いつけられている市販の布団を二つ折にした、略２００ｃｍ×５０ｃｍ、厚みは約１０ｃｍ、圧縮すると約５ｃｍの布団を載せて使用した。本二つ折にした布団の上に、更にシーツを一枚被せ、ベッドメイキングの要領で、シーツの四方は布団の下に折り込んだ。臥床者Ｋとして市販の成人人形を使用した。成人人形には和風の寝間着を着せ、しわなく展開され、且つ、ベッドの下に折り込まれたシーツの上に手を組んだ状態で臥床させた。当成人人形には毛髪はないが、枕の代わりとして折り曲げたバスタオル（２５ｃｍ×３５ｃｍ、厚み２〜３ｃｍ）を後頭部に敷いた。その後、成人人形の直下、即ち、成人人形とシーツの間に、実施例７で用いたのと同じ支持板１２（挿入先端と両側面はテーパー加工あり、挿入先端の左右角部位は面取り加工ありのもの）を腰部、胸部、臀部、肩部、足首部、頭部のバスタオルとシーツの間、大腿部の順に７枚挿入した。支持板１２の長手方向の中心線と、成人人形身体の正中面との交点の頭頂からの概略の距離を〔表８〕にまとめる。【０１３６】
【表８】
2019027037.tif 000010
【０１３７】
その後、支持板１２の下に、腰部、胸部、臀部、頭部、肩部、大腿部、足首部の順に、実施例７で用いたのと同じ支持補助板１３を７枚挿入した。
臥床者Ｋの乗っているストレッチャーの右側（人形の右手方向）と左側に荷重支持部材１４として、それぞれ木村寝台工業株式会社製ｋｐ  ＰＡＲＡＭＡＵＮＴ  ＢＥＤとＰＡＲＡＭＡＵＮＴ  ＢＥＤ  ＫＫ−７００−０９５Ｄを配置し、成人人形の載っている昇降機構１５としてのストレッチャーを使用し、臥床面１５ａを低下させ、成人人形の直下、臥床面１５ａとの距離が約１０ｃｍの空間Ｓを形成した。
本空間Ｓを利用して、医療、看護、又は介護を含む処置の一であるシーツ交換を実施した。ストレッチャー上の二つ折にした布団の上に被せたシーツを外し、別のシーツを被せ、ベッドメイキングの要領で、シーツのしわは除去し、シーツの四方は布団の下に折り込んだ。
その後、実施例７と同様に、昇降機構として使用中のストレッチャーの床面を上昇させ支持補助板１３の底面と接触させ、ストレッチャー床面を下降直前の状態に戻した。成人人形が乗っているストレッチャーにて支持補助板１３の自重、支持板１２の自重、臥床者Ｋである人形の体重が支えられていることを確認後、臥床者Ｋの左側（左手側）の荷重支持部材１４として使用しているストレッチャーを下降させ、左側の荷重支持部材１４が外れたことにより、臥床者Ｋの体が傾くことがないかを確認しつつ、右側の荷重支持部材１４の高さを微調整し、臥床人形と、その下の支持板１２、支持板１２の下の支持補助板１３がほぼ水平状態で安定していることを確認し、足側から支持補助板１３を順番に頭側へと抜去し、支持補助板１３が全て抜去されてから、支持板１２を足側から順次頭側へ抜去し、臥床者Ｋを元の臥床状態に復帰した。
本実施例８により、本発明の身体リフトシステム１００で臥床者Ｋと臥床面１５ａの間に１０ｃｍの空間Ｓを作ることで、臥床者Ｋを臥床状態そのままの体位で、シーツ交換が可能なこと、又、シーツ交換時にも実施したが、シーツのしわ除去の作業ができることを確認した。
【実施例９】
【０１３８】
実施例７で用いたのと同じ市販のストレッチャー（村中医療器株式会社製、ナーシングストレッチャー、ＮＳＴ−１）に、表面のシーツは糸で縫いつけられている市販の布団を二つ折にした、略２００ｃｍ×５０ｃｍ、厚みは約１０ｃｍ、圧縮すると約５ｃｍの布団を載せ、臥床者Ｋとして市販の成人人形を使用した。成人人形には和風の寝衣を着せ、手を組んだ状態で、ストレッチャー上の布団に臥床させた。成人人形の頭部には毛髪に当たる鬘を被せ、板の挿入時の毛髪の影響を避けるために、バスタオルを折り（２５ｃｍ×３５ｃｍ、厚み２〜３ｃｍ）、枕代わりに、人形の頭部の下に敷いた。
（１）その後、成人人形の直下、即ち、成人人形と布団に糸で縫い付けられているシーツの間に、頭の方から実施例７で用いたのと同じ支持板１２（挿入先端と両側面はテーパー加工あり、挿入先端の左右角部位は面取り加工ありのもの）を、頭部、肩部、腰部、臀部、大腿上部、大腿下部、踵部の順に７枚挿入した。その後、支持板１２の下に、支持板１２の挿入順と同じ順序で、実施例７で用いたのと同じ支持補助板１３を挿入した。〔表９〕に、支持板１２の挿入位置と、支持板１２、支持補助板１３の挿入順序を示す。尚、挿入位置は、支持板１２の長手方向の中心線と正中面の交点の頭頂からの概略の距離で示してある。【０１３９】
【表９】
2019027037.tif 000011
【０１４０】
（２）板の挿入後、臥床者Ｋの乗っているストレッチャーの右側（人形の右手方向）と左側に荷重支持部材１４として、それぞれ木村寝台工業株式会社製ｋｐ  ＰＡＲＡＭＡＵＮＴ  ＢＥＤとＰＡＲＡＭＡＵＮＴ  ＢＥＤ  ＫＫ−７００−０９５Ｄを配置し、身体リフトシステム１００の昇降機構として使用しているストレッチャーの昇降機構を使用し、臥床面１５ａを下降させ成人人形の直下に空間Ｓを形成した。布団上のシーツ面と支持補助板１３の下側面の距離は、頭側で７．５ｃｍ、足側で８．５ｃｍであった。
（３）本空間Ｓを利用して、２枚重ねに折った布団の上側の１枚を成人人形の左半身が載る予定の箇所にずらし、布団の長手方向に渡り、人形の右側には１枚、左側には２枚布団が重なる形に段差をつけ、又、２枚重ねになった布団の下には長手方向に２枚ずつ支持補助板１３に使用している杉の板を重ねて置き（縦方向に２枚、天地方向に２枚、合計４枚）布団に左右段差を付けた。本段差のついた布団を介護マットとして使用し、以下を実施した。
（４）段差のついた布団を載せた昇降機構をゆっくり上昇させ、板とその上の成人人形は少し傾くが、段差のついた布団を支持補助板１３の下面に接触させた。その後、荷重支持部材１４として使用している左右のストレッチャーを下げると、板とその上に載っている成人人形の傾きは大きくなるが、滑り落ちることはなかった。
（５）成人人形の体が持ち上がっている左サイド（人形の左手側）から、足側から頭側の方向に、支持補助板１３と支持板１２を合わせて抜去し、成人人形の左側が少し上がる側臥位が形成できた。傾斜角度を計測すると、足側１６°、頭側１５°であった。約１５°側臥位が形成できた。
本実施例９により、身体リフトシステム１００と布団や介護用マットを組み合わせることにより臥床者Ｋの体位変換に使用できることを確認した。
【実施例１０】
【０１４１】
本実施例１０から実施例１２までは、一人の看護師や介護者が一人の自ら動けない寝たきり者を看護、介護するとの前提で実施し、看護師や介護者役として１人の実験者が介助を行った。
市販のストレッチャー（ＰＡＲＡＭＡＵＮＴ  ＢＥＤ  ＫＫ−７００−０９５Ｄ、縦；１９０ｃｍ、横；５４ｃｍ上）に、実施例７と同様、表面のシーツは糸で縫いつけられている市販の布団を二つ折にして略２００ｃｍ×５０ｃｍ、厚みは約１０ｃｍ、圧縮すると約５ｃｍの大きさを有する布団を載せて使用した。その上に市販のパジャマを着用させ、頭部にはバスタオルを折り畳んだものを（２５ｃｍ×３５ｃｍ、厚み２〜３ｃｍ）枕の代わり使用し、臥床者役の成人男子実験者（身長１７６ｃｍ、体重６５ｋｇ）が手掌を組んだ形で仰臥位に横たわった。尚、本実施例１０の実験目的は、下半身の下着（ズボンやパンツ）の着脱であり、成人には、柄の異なるパジャマのズボンを２枚穿かせてあり、１枚のズボンの着脱可否を実験した。
（１）頭部、肩部、胸部、大腿上部と腰部の直下の順に、実施例７で使用した支持板１２（タキロン株式会社製ＳＡＫＫ６０８のプラスチックの板、挿入先端と両側面はテーパー加工あり、挿入先端の左右角部位は面取り加工ありのもの）を、成人臥床者Ｋの右側（右手の側）から挿入した。
（２）その後、下半身の下着脱衣のため、臀部の直下に空間を作るべく、腰部と大腿部の直下に挿入したプラスチックの支持板１２の下に、実施例７で使用した支持補助板１３と同仕様の杉の木の板（厚み１４ｍｍ）を支持補助板１３として、まず１枚ずつ挿入し、その後、臀部直下の空間を拡大するために、支持補助板１３と同仕様の杉の木の板を第４の板としてもう１枚、先に挿入した支持補助板１３の下に挿入した。
（３）その後、腰部、大腿部が支持板１２及び支持補助板１３と第４の板で支えられ、その間に挟まれた臀部の下は、支持板１２、支持補助板１３、第４の板の板厚分、理論値では、（３＋１４×２）ｍｍ空間が形成されている。布団が盛り上がるので空間の深さは小さくなるが、空間の拡大は可能であった。
（４）２枚穿いているパジャマのズボンの上側のズボンを、支持板１２のプラスチック部分は滑らせて脱がせ、臀部は、あまり抵抗なく移動でき、大腿部は、支持板１２のプラスチック表面を滑らせながら、少し脚も持ち上げながら、臥床者Ｋと大腿部の直下に敷いた板の間を通過し、パジャマのズボンを脱衣させた。尚、支持板１２の挿入開始から、パジャマのズボンの脱衣までの所要時間は、２分半弱であった。
本実施例１０にて、支持板１２、支持補助板１３、第４の板を使用する身体リフトシステム１００にて、看護師や介護者が一人で、自ら動けない寝たきり者に対し、着替え、清拭、排泄や各種の処置に必要なパジャマのズボンなどの衣服や下着の脱衣ができることが確認された。
【実施例１１】
【０１４２】
実施例１０に続き、成人臥床者Ｋは、２枚穿いていた上側のパジャマのズボンが脱衣され、頭部、肩部、胸部には支持板１２が挿入され、腰部と大腿部には、支持板１２及び支持補助板１３、第４の板が挿入されている状態から、継続して、以下の実験を行った。尚、（１）〜（４）までは、実施例７とほぼ同様である。
（１）まず、腰部と大腿部に挿入されている第４の板、即ち２枚ある支持補助板１３の下側、臥床面側の１枚を臥床成人の右側（右手の側）から、大腿部、腰部の順に抜去した。
（２）その後、下腿部直下に支持板１２を挿入し、頭部、肩部、胸部の順に、すでに挿入されている支持板１２の直下に支持補助板１３を挿入し、パジャマのズボンを脱衣するために板を挿入していなかった臀部にも、支持板１２、当該支持板１２の直下に支持補助板１３を挿入し、最後に下腿部の支持板１２の直下に支持補助板１３を挿入し、合計７本の支持板１２、その直下への７本の支持補助板１３の挿入を完了し、頭部から下腿部直下に挿入した板の左右バランスを確認した。
（３）成人臥床者Ｋが乗っているストレッチャーの左側に、ストレッチャー（村中医療器株式会社製、ナーシングストレッチャー、ＮＳＴ−１）、右側にストレッチャー（木村寝台工業株式会社製ｋｐ  ＰＡＲＡＭＡＵＮＴ  ＢＥＤ）を、荷重支持部材１４として配置し、それぞれ７枚の板の端が、即ち、支持補助板１３の下面の端が水平に左右の荷重支持部材１４に載るように調整した。
（４）その後、成人臥床者Ｋが乗っているストレッチャーの昇降機構を、身体リフトシステム１００の昇降機構として利用し、臥床面１５ａを降下させた。降下後、支持補助板１３の下面と、ストレッチャー上の布団のシーツの臥床面１５ａとの距離は、約１８ｃｍであった。
（５）その後、当初成人臥床者Ｋが乗っていたストレッチャーのキャスターのロックを外し、ストレッチャーは臥床者Ｋの頭方向へ移動し、ストレッチャーの足側の端にすき間なく、図５に示すような背もたれを倒し、倒れた背もたれと座面の上に載せた便座の高さが概略同じになるように調整して準備した車椅子を連結し、車椅子の座面の上に載せた便座がリフトアップされた臥床者Ｋの臀部直下に来る位置まで移動した。
（６）尚、（５）の座面に便座を載せた車椅子は、トイレ移動用の車椅子として使用するものであり、トイレ移動用の車椅子は既に市販されているが（例えばＴＯＴＯ、トイレ、“水まわり用車椅子”、［ｏｎｌｉｎｅ］、［２０１７年２月２８日検索］＜ｕｒｌ：ｈｔｔｐ：／／ｗｗｗ．ｔｏｔｏ．ｃｏ．ｊｐ／ｐｒｏｄｕｃｔｓ／ｕｄ／ｔｏｉｌｅｔ／ｉｎｄｅｘ．ｈｔｍ＞）、本実施例１１では、本発明の身体リフトシステム１００と高さを調整し、座面を水平に倒す必要もあるため、図５に示すものを自製した。車椅子２１（ＭＥＹＲＡ製、Ｍｏｄｅｌｌ  ３．８００）の背もたれ１８（長さ１７ｃｍ）を倒し、倒すと看護師や介護者が使用するグリップ１９が下方を向くが、グリップ１９を脚立２０で支え、座面には４本足の便座１７（株式会社吉野商会製、ベンラック、本器は和式の便器の上に置いたり、床上差し込み便器の上に置き臥床者Ｋの臀部を載せるタイプの便座で、高さ約１６．５ｃｍ、幅約４０ｃｍ、奥行き約２８ｃｍで前が空いているもの）を載せ、便座１７の高さはアームの高さ（床面から６３ｃｍ）と同レベルにすべく、椅子２１の座面７に座布団（図示せず）とその上に金属の板（図示せず）を載せることにより調整した。本車椅子２１をストレッチャー３０の端部に連結した。
（７）左右に配置した別のストレッチャーの昇降機構を荷重支持部材１４の昇降機構として利用し、臥床者Ｋを支持補助板１３の下面が、当初、臥床者Ｋが乗っていたストレッチャー３０、該ストレッチャー３０の端に連結した車椅子２１上の便座に接触するまで降下させ、降下後、それぞれ７本の支持補助板１３、支持板１２が左右バランスよく当初臥床者Ｋが乗っていたストレッチャーに支えられていることを確認しつつ微調整した。
（８）その後、腰部、胸部、臀部の支持補助板１３をこの順序でゆっくり抜去し、臥床者Ｋの臀部を車椅子２１上の便座１７に降ろした。次に、大腿部、肩部、頭部の支持補助板１３を抜去し、更に、頭部、肩部、腰部、胸部、臀部、大腿部の順に支持板１２を抜去し、この時点で、臥床者Ｋの臀部は車椅子２１上の便座１７に乗り移った。下腿部はその直下は、車椅子２１のフットレスト１６の上にあり、落差があるので、最後に看護師や介護者役の実験者が臥床者Ｋの下腿を支えながら、支持補助板１３と支持板１２を同時に抜去し、車椅子２１の座面から、中途にあるレッグレスト、レッグレストの下にあるフットレスト１６の斜面に沿う形で、便座に座っている臥床者Ｋの脚をフットレスト１６に降ろした。
（９）この時点で臥床者Ｋは腰から上は仰臥位の姿勢で、臀部は車椅子２１上の便座１７に乗っており、大腿、下腿、踵は、車椅子２１の脚部からレッグレスト、フットレスト１６に沿う形で上半身が曲がった姿勢であるが、臥床者Ｋの左側（左手側）にある荷重支持部材１４の一として使用したストレッチャーを臥床者Ｋのサイドから離し、看護師や介護者役の実験者が臥床者Ｋの左側に立ち、車椅子２１の背もたれに乗っている臥床者Ｋの上半身を背もたれ共々持ち上げ、背もたれ１８のロックをかけ、臥床者Ｋを完全に車椅子２１に移乗させた。
（１０）その後、車椅子２１のホイールのロックを外し、トイレを想定した実験室のコーナーに車椅子２１上の臥床者Ｋを移動した。本試作トイレ用車椅子２１は、便座１７の下が座面になっており穴が空いていないが、市販のトイレ用車椅子２１では、穴が空いており、例えば、洋式便器の上に移動することができ、実施例１０で下半身の下着を脱衣している臥床者Ｋは、用を足すことができる。
（１１）排泄の処理後、当初臥床者Ｋの乗っていたストレッチャーの右側（右手側）に配置されていた荷重支持部材１４として使用中のストレッチャーは片側へ寄せ、当初臥床者Ｋが横たわっていた右側に看護師や介護者役の実験者の作業スペースを形成した。当初臥床者Ｋが乗っていたストレッチャー３０と車椅子２１のグリップ１９を支持していた脚立２０が移動せずにそのままの状態で配置されてあり、該ストレッチャー３０の端部にあり、車椅子２１の背もたれ１８のグリップ１９を支える脚立２０の位置調整を再度行い、その後、車椅子２１をストレッチャー３０並びに脚立２０の端部に連結し、車椅子２１のホィールをロックし、背もたれ１８のロックを外し、臥床者Ｋの背中を支えながら背もたれを倒し、背もたれ１８のグリップ１９は脚立２０で支持し、臥床者Ｋの下半身は車椅子２１に座り、上半身は、車椅子２１の背もたれ１８とストレッチャー３０上で仰臥位の姿勢を取り、ストレッチャー３０には枕の代用として折り畳んだバスタオルを置き、臥床者Ｋの頭を載せた形の体位を形成した。
（１２）臥床者Ｋの右側（右手側）から、下記の実施例１２との関連で、臀部の少し上側（上方臀部と呼ぶことにする）に支持板１２を挿入した。次に大腿部への挿入を実施したが大腿部から上方臀部の直下には、便座１７があり、便座１７の部分には穴があり、本自製のトイレ用車椅子２１では便座１７は上に凸の曲面であり頂点の手前で挿入先端が面に当たった為、看護師や介護者役の実験者が臥床者Ｋの大腿部を少し持ち上げながら支持板１２を挿入した。
（１３）その後、臥床者Ｋの頭部が乗っているストレッチャー３０上のタオルを折った枕の直下に支持板１２を、車椅子２１とストレッチャー３０の境目にある肩部の下に支持板１２を挿入した。
（１４）次に、支持補助板１３を頭部、肩部、上方臀部に挿入し、腰部に支持板１２、続いて支持補助板１３を挿入し、胸部にも支持板１２、続いて支持補助板１３を挿入した。この時点で、臥床者Ｋの下半身は車椅子２１に座っていた。
（１５）次に、下半身の大腿部の支持板１２の下に支持補助板１３を、大腿部を少し持ち上げながら挿入し、臥床者Ｋが乗っているのとは別のストレッチャーからなる２台の荷重支持部材１４を臥床者Ｋの上半身が乗っているストレッチャーの左右に配置し、即ち、左側に村中医療器株式会社製、ナーシングストレッチャー、ＮＳＴ−１を、右側に、木村寝台工業株式会社製ｋｐ  ＰＡＲＡＭＡＵＮＴ  ＢＥＤを配置し、臥床者Ｋの足首を持ち上げながら、支持補助板１３の上に支持板１２を重ねたものを、下腿部直下に同時に挿入し、該支持補助板１３の両端部を荷重支持部材１４で支え、全ての板の挿入は完了した。
（１６）７枚の支持補助板１３、支持板１２の左右均等を確認し、荷重支持部材１４の昇降機構を上昇させ、臥床者Ｋの体重を支持補助板１３で支え、これら板の直下に空間を形成し、板の下のストレッチャー３０を臥床者Ｋの頭側から足側へ押し、車椅子２１と脚立２０を押し出し、臥床者Ｋが当初乗っていたストレッチャー３０の上に全身が来たことを確認し、該ストレッチャー３０の昇降機構を上昇させ、ストレッチャー３０上の布団が支持補助板１３、その上の支持板１２、これら板の上の臥床者Ｋの体重を支えていることを確認し、臥床者Ｋの右側（右手側）のストレッチャーを傍らへ寄せ、臥床者Ｋの乗っているストレッチャー３０の右側（右手側）に作業スペースを作り、下腿部の支持板１２、その下の支持補助板１３を一度に抜去した。この時点で、大腿部から頭部へ合計それぞれ６枚の支持板１２、支持補助板１３が抜去されずに残っており、実施例７と同様、これら板を抜去して臥床者Ｋを臥床面１５ａに横たわった状態に戻すこともできるが、臥床者Ｋは下半身の下着を脱衣した状態であるので、臥床者Ｋの臥床状態への復帰作業は、この時点で中断し、下半身の下着の着衣の実施例１２に移行した。
尚、実施例１０と本実施例１１は連続しており、実施例１０の最初の支持板１２の挿入から下半身の下着を除去し、車椅子２１への移乗までの経過時間は、約１０分半、トイレへ移動し用を足し、車椅子２１に再度ドッキングするまでの経過時間が約１３分、臥床者Ｋをベッドに臥床させ、下半身の下着を着衣する操作の直前までの経過時間が約２２分であった。
本実施例１１により、身体リフトシステム１００を利用して、看護師や介護者が一人で、自ら動けない寝たきり者が臥床しているベッドやストレッチャーの入れ替え、他のベッドやストレッチャーへの移動、使用中のベッドの床面上での上下（頭方向、足方向）、左右（左手方向、右手方向）の移動など臥床者Ｋとベッドの相対位置の変更、調整、自ら動けない寝たきり者を車椅子２１へ移乗させることが可能となった。本発明による車椅子２１への移乗を、既に市販されているトイレ用車椅子２１、入浴用車椅子２１など各種車椅子２１と連携させることにより、自ら動けない寝たきり者におかれても、トイレで用を足し、入浴も可能になることを確認した。
【実施例１２】
【０１４３】
実施例１１から引き続き、市販のストレッチャー（ＰＡＲＡＭＡＵＮＴ  ＢＥＤ  ＫＫ−７００−０９５Ｄ）上に、表面のシーツは糸で縫いつけられている市販の布団を二つ折にして略２００ｃｍ×５０ｃｍ、厚みは約１０ｃｍ、圧縮すると約５ｃｍの大きさを有する布団を載せ、その上に大腿部、上方臀部、腰部、胸部、肩部、頭部の直下に支持板１２、その下に支持補助板１３が挿入された臥床者Ｋが横たわっている状態から、本実施例１２は開始した。
（１）実施例１０で脱衣させたパジャマのズボンを、まず、臥床者Ｋの両脚の膝の少し上まで穿かせ、枕の下の頭部の支持板１２、支持補助板１３を合わせて抜去した。
（２）その後、大腿部の支持補助板１３の下に、続いて上方臀部の支持補助板１３の下に、仕様は支持補助板１３と全く同じ仕様の第４の板をそれぞれ挿入した。
（３）膝上まで穿かせたパジャマのズボンを、大腿部の支持板１２の上を滑らせながら、臥床者Ｋの身体と板の間に挟まって移動抵抗を感じる時は、介護者が臀部を少し持ち上げながらズボンを穿かせた。
（４）その後、大腿部の第４の板、大腿部のもう１枚の支持補助板１３の順に、続いて上方臀部の第４の板、上方臀部のもう１枚の支持補助板１３を抜去し、引き続き、腰部、胸部、肩部の支持補助板１３を抜去した。
（５）肩部、胸部、腰部、上方臀部、大腿部の支持板１２を抜去し、臥床者Ｋを安静臥床状態に戻した。
尚、実施例１０の最初の支持板１２の挿入開始時から、本実施例１２の臥床者Ｋが支持板１２、支持補助板１３が敷かれた状態でのベッドへ復帰後、臥床者Ｋの下着の着用までの経過時間は約２３分半、板を全て抜去し、臥床者Ｋを安静臥床状態に戻すまでの経過時間は約２４分半であった。
本実施例１２により、身体リフトシステム１００を使用することで、寝たきり者など自ら動けない臥床者Ｋに看護師や介護者が一人でパジャマのズボンなど、衣服、下着の着衣が可能なることを確認した。
以上、実施例１０から実施例１２の各操作と概略の経過時間、所要時間を〔表１０〕にまとめて示す。【０１４４】
【表１０】
2019027037.tif 000012
【実施例１３】
【０１４５】
実施例５で使用したのと同様、新生児人形、支持板１２として硬質ポリ塩化ビニルの板（タキロン株式会社製ＳＡＫＫ６０８、厚み３ｍｍ、幅１００ｍｍ、長さ９００ｍｍ、挿入先端と両側面はテーパー加工、挿入先端の左右角部位は面取り加工）、市販のベッド（パナソニック電工株式会社、在宅用電動介護用ベッドＲＳ、１９７５ｍｍ×９９８ｍｍ）上に市販のマットレス（約１９４ｃｍ×約９６ｃｍ）を載せたものを用い、その上に表面のシーツが糸で部分的に縫いつけられている市販の布団（１００ｃｍ×２００ｃｍ、厚みは約５ｃｍ、圧縮すると約３ｃｍ）を載せ、図６に示すように、新生児人形のオムツ交換を実施した。
ベッド上のシーツの縫い目のない平な部分に、新生児人形に木綿を素材とした寝衣をたるみなく着衣させ、人形の背中にはしわが認められない状態に着せ、毛髪部を模擬的に覆うため（人形のため坊主頭であり実際には毛は無いが）介護サポーターを頭部にかぶせ、人形の手は左右に広げ仰臥している体位にし、実験を行った。
（１）新生児人形の直下、すなわち布団のシーツとの間に、支持板１２を挿入し（板の長手方向の中線が頭頂から約２１ｃｍの人形の正中面と交わる位置に）、その後、脚部の寝衣をたくし上げ、針金入り発泡プラスチックシート（ＳＡＭ  ＭＥＤＩＣＡＬ製、ＳＡＭ  ＳＰＬＩＮＴ）を巻いて円筒形にし、継ぎ目部を粘着テープで固定したシリンダー４０（外径約３５ｍｍ）を新生児人形の膝下に挿入し、膝から大腿部が持ち上がる形にした。
（２）支持板１２の端部を持ち上げ、約４０ｍｍ厚の長方形状部材２２（本実験では書籍を使用）を荷重支持部材１４として使用し、その下に滑り込ませ、又、同様にシリンダー４０の端を持ち上げ、厚さの異なる長方形状部材２２を荷重支持部材１４として用い、布団のシーツ面から人形の背面までの高さ、膝関節下面までの高さが概略同じ高さの約４５ｍｍに調整し、人形を支えた。尚、人形は胸部の直下と膝部で支えられているのみで、胸部から膝が挙上し、頭部と下腿部から踵部は垂れ下がっているが、臀部の部分のオムツの交換実験であるため、その他の板を挿入することなく実験を実施した。
（３）その後、大腿部と臀部の下、シリンダー４０とシーツの間に形成された空間を使用して、人形が当初穿いていたテープとめ型のオムツのテープを外し、人形の下部の空間の下方へオムツを引いて脱衣し、ウェットテイッシューで臀部を清拭し、脱衣させたオムツと同じタイプのテープとめ型のオムツを人形の臀部の下に敷き、臀部、陰部と膝の間の空間を通してオムツの前に当てる部分を人形の上部に引きだし、人形の背面にあるオムツの人形の臀部に当てる部分の腰側についているテープを人形身体の側面に形成された空間を通して下から引き上げ、オムツの前後左右が適正に重なるように、又、強過ぎず、弱過ぎず、オムツが人形の臀部を包む形に調整しテープを止めた。人形の体重が支えられているので、両手でオムツの位置調整ができ、オムツの締め付け、緩みに影響するテープ止めの調節も容易に実施できた。
その後、たくしあげてあった寝衣をシリンダー４０の下をくぐらせ、ベッドのシーツ面に沿って引き延ばし、シリンダー４０を抜去し、人形の身体の上部の荷重支持部材１４を左側、右側の順に除去し、円筒形の発泡シートを当初支えていた人形の下半身側の荷重支持部材１４（書籍）を左側、右側の順に除去し、寝衣を整え、胸部下の支持板１２を抜去し、操作を完了した。本実施例１３では支持板１２の挿入からオムツ交換などの処置、その後の復帰までの所要時間は約３分であった。本実施例１３により、身体リフトシステム１００により、看護師や介護者は両手を自由に使用してオムツの交換、陰部の清拭ができること、オムツの代わりに差し込み便器や陰部洗浄器を臀部直下に挿入すれば、臥床者Ｋの臀部を身体リフトシステム１００で支えながら、必要な時間両手を使って排泄補助が可能となることを確認した。又、医療、看護、又は介護を含む処置の必要に応じ、身体の一部を意識的に持ち上げる装置として身体リフトシステム１００が使用できることも合わせ確認した。
【実施例１４】
【０１４６】
実施例６で使用した市販のストレッチャー（木村寝台工業株式会社製ｋｐ  ＰＡＲＡＭＡＵＮＴ  ＢＥＤとＰＡＲＡＭＡＵＮＴ）に、表面のシーツが糸で部分的に縫いつけられている市販の布団（１００ｃｍ×２００ｃｍ、厚みは約５ｃｍ、圧縮すると約３ｃｍ）を載せ、本布団上のシーツのフラットな部分に（縫合加工などない部分に）、市販の新生児人形を載せ、実験を行った。該新生児人形には、木綿を素材とした寝衣をたるみなく着衣させ、人形の背中にはしわが認められない状態に着せ、毛髪部を模擬的に覆うため（人形のため坊主頭であり実際には毛は無いが）介護サポーターを頭部にかぶせ、人形の手は指を絡ませる形にし、人が手を組んで仰臥している体位で実施し、枕の代わりとして折り曲げたバスタオル（２５ｃｍ×３５ｃｍ、厚み２〜３ｃｍ）を後頭部に敷いた。
本実験では、挿入補助板１１は使用せず、支持板１２は市販の金網入り硬質ポリ塩化ビニルの板（タキロン株式会社製ＳＡＫＫ６０８）で、厚さ３ｍｍ、幅約５８ｃｍ、長さ約１００ｃｍのものを用いて行った。尚、幅約５８ｃｍの挿入先端、挿入先端に略直角な両サイドには、実施例２の〔表２〕に記載したものと同じテーパーを付け、挿入先端の左右の左右角部位は、実施例２と同様な面取りを行った。
支持板１２は、新生児人形の足首を少し持ち上げ、足側から板の先端で布団のシーツを軽く押さえつける形で滑り込ませた。枕の部分まではスムーズに滑り移動し、挿入先端が枕を押したので、枕の反対側（支持板１２の挿入側の反対側）を、支持板１２を持たないもう一方の手で押さえながら支持板１２を挿入し、新生児の頭部から踵部までの全体を一枚の支持板１２に載せることができた。
又、同じ板の先端を看護、介護で使用するスリップシート（パラマウントベッド製、マルチグローブＫＺ−１５９０３３）で覆い、即ち、５０ｃｍ×２０ｃｍのグローブを２つに折り、５０ｃｍ×１０ｃｍのシートを先端に被せ、粘着テープで端部を止め、上記と同様に新生児人形の足首を少し持ち上げ足側から挿入した。挿入は抵抗も少なく推移し、挿入先端が枕を押した段階で、枕の反対側（支持板１２の挿入側の反対側）を、支持板１２を持たないもう一方の手で押さえながら支持板１２を挿入し、新生児の頭部から踵部までの全体を一枚の支持板１２に載せることができた。支持板１２の挿入は、スリップシートを被せた方が軽く楽に挿入できた。
本実施例１４により、大きな支持板１２（３ｍｍ、約５８ｃｍ、約１００ｃｍ）、１枚物の板も挿入可能であること、又、スリップシートが挿入を助けることが確認できた。又、厚さ３ｍｍ、幅約５８ｃｍ、長さ約１００ｃｍの板では、人形の背面は通過するが、枕など形状により物体を押し出すことも確認できた。
【実施例１５】
【０１４７】
実施例７と同じく、市販のストレッチャー（村中医療器株式会社製、ナーシングストレッチャー、ＮＳＴ−１、縦１９４ｃｍ、横５４ｃｍ）に、市販の表面のシーツは糸で縫いつけられている布団（１００ｃｍ×２００ｃｍ、厚みは約５ｃｍ、圧縮すると約３ｃｍ）を載せ、該布団のシーツの上に、身長１７６ｃｍ、体重５８ｋｇの成人男子を乗せた。本実施例１５では、挿入補助板１１として実施例１で使用した市販のプラスチック定規ＴＣＣ０−１０２を、支持板１２として実施例２で使用した硬質ポリ塩化ビニルの板（タキロン株式会社製ＳＡＫＫ６０８、厚み３ｍｍ、幅１００ｍｍ、長さ９００ｍｍ、挿入先端と両側面はテーパー加工、挿入先端の左右角部位は面取り加工）を用いた。
（１）ストレッチャーの布団の上に仰臥位に横たわった臥床者Ｋは、自ら挿入補助板１１を頭部直下に挿入した。毛髪があるので、臥床者Ｋは、頭頂方向から顎部の方向へ市販のプラスチック定規ＴＣＣ０−１０２のテーパーを利用する形で、即ち、本定規の断面の台形の短い辺が臥床者の身体の側に面し、長い辺がストレッチャー上の布団に面する形で、自ら頭部も少し浮かす形で挿入した。
（２）その後、臥床者Ｋが自ら挿入した挿入補助板１１の直下に、介護者が支持板１２を挿入した。支持板１２は挿入補助板１１と布団のシーツの間を滑り移動し、特に問題なく貫通した。
（３）介護者は、頭部の挿入補助板１１と支持板１２を抜去し、その後、臥床者Ｋは、（１）と同様に首部直下に挿入補助板１１を挿入した。首部は布団のシーツ面との間に空間があるので、介護者は、挿入補助板１１を押さえながら、挿入補助板１１の直下、挿入補助板１１と布団のシーツ面の間に支持板１２を滑り込ませた。本支持板１２は特に問題なく貫通した。
（４）（３）と同様に、介護者が首部の挿入補助板１１と支持板１２を抜去し、その後、被介護者は自ら肩部の直下に挿入補助板１１を挿入し、介護者は挿入補助板１１の直下、挿入補助板１１と布団のシーツの間に支持板１２を挿入した。本支持板１２は特に問題なく貫通した。
（５）上記と同様に、臥床者Ｋは、身体直下の各部所に自ら挿入補助板１１を挿入し、介護者は、臥床者Ｋが挿入した挿入補助板１１の直下に支持板１２を挿入し、挿入が確認されれば、一度全板を抜去し、順次、腰部、臀部、大腿部直下への挿入を繰り返した。身体各部所直下への挿入補助板１１、支持板１２の挿入、貫通は、特に問題なく実施できた。
本実施例１５により、臥床者Ｋの健康度によるが、状況が許せば、長さ約３０ｃｍの挿入補助板１１を、臥床者Ｋが自ら侵襲を調整しながら挿入することが可能なることを確認した。挿入補助板１１が挿入されていると、支持板１２の挿入は困難なく、又、支持板１２の直下に支持補助板１３を挿入することもできるので、被介護者と介護者の連携による床上生活のＡＤＬ、ＱＯＬの向上が可能となることが確認された。
【実施例１６】
【０１４８】
図１０に示すように、ストレッチャー１５を２台縦長に並べ、即ち頭側に実施例７で使用したのと同じ村中医療器株式会社、ナーシングストレッチャー、ＮＳＴ−１（縦１９４ｃｍ×横５４ｃｍ、高さ５８〜９９ｃｍ）を、脚側に実施例７で使用したのと同じＰＡＲＡＭＡＵＮＴ  ＢＥＤ  ＫＫ−７００−０９５Ｄ（縦１９０ｃｍ×横５４ｃｍ、高さ５５〜８７ｃｍ）を配置し、該２台のストレッチャー１５の間に幅１２ｃｍ、長さ３６ｃｍの平板を持ち昇降機能を有する支持器２４（部分昇降部の一例：オーバーベッドテーブルＰＡＲＡＭＡＵＮＴ  ＢＥＤ  ＫＦ−２７０−００９５Ｄからテーブル板を外したもの）を挟み、ストレッチャー１５、２台の接続部分が昇降するベッドを自製した。オーバーベッドテーブルから作成した支持器２４は、図１０に示すように２台のストレッチャー１５の間に置き、前後左右の空間も含め対称な形に配置した。ストレッチャー１５の間の距離は２２ｃｍであり、その間に前後左右が対称になるように幅１２ｃｍ、長さ３６ｃｍの支持台を配置し、頭側のストレッチャー１５、支持器２４、脚側のストレッチャー１５の高さが同一になるように高さを調整した。
自製のベッドに、実施例１で使用したのと同じ市販の表面のシーツは糸で縫いつけられている布団（１００ｃｍ×２００ｃｍ、厚みは約５ｃｍ、圧縮すると約３ｃｍ）を載せ、頭側のストレッチャー１５の支持器２４とは反対側の端面から１０６ｃｍの位置に布団の先端部が来るように敷き、自製ベッドに布団が左右対称になるように調整した。その上に身長１７６ｃｍ、体重６５ｋｇの患者役の成人男子の実験者が、臀部が支持器２４の上になるように臥床し（具体的には、大転子が頭側のストレッチャー１５の支持器２４側端面に、大転子と膝の中間部分が脚側のストレッチャー１５の支持器２４側の端面に乗る形に配置し）、自製ベッドに対して患者役の臥床者Ｋの位置が左右対称になるように微調整し、実験準備は完了とした。尚、患者役の実験者は実施例１０で用いたのと同じ市販のパジャマを着用し、頭部にはバスタオルを折り畳んだ枕を敷いた。
（１）本実施例１６は、支持器２４を下げた時の支持板１２や支持補助板１３の挿入難易性を確かめることを目的としているが、比較のため、２台のストレッチャー１５と支持器２４の高さが同一の時点での板の挿入難易を測る実験も行った。
（２）もう一人の看護師や介護者役の実験者は、臥床者Ｋの臀部の直下に実施例２で使用した支持板１２（タキロン株式会社製ＳＡＫＫ６０８のプラスチックの板、挿入先端と両側面はテーパー加工あり、挿入先端の左右角部位は面取り加工ありのもの）を患者役の実験者と布団の上表面の間へ挿入した。挿入は問題なく行われ、次に支持板１２を挿入のガイドとして、実施例７で使用した支持補助板１３と同仕様の杉の木の板（厚み１４ｍｍ）を支持補助板１３として挿入した。挿入は問題なく行われた。その後、支持補助板１３を抜去し、続いて支持板１２を抜去した。
（３）次に支持器２４の昇降機能を利用して、支持器２４の高さをストレッチャー１５の上面から８ｃｍ降下させた。患者役実験者は、支持器２４が降下したため、大転子から大転子と膝の中間部分までは支えがない状態であるが、大転子と大腿部で支えられ、又、本身体部分直下の布団がハンモックの機能を有していると考えられ、患者役の臥床者Ｋの臥床状態は目視では変化なく、臥床者本人からは、やや違和感あるが不安定さなし、安寧は得られるとのコメントがあった。
看護師や介護者役の実験者は、患者役の実験者と布団の上表面の間に支持板１２を挿入した。患者役の臥床者Ｋからは、支持板１２の挿入に関し抵抗感はなかったとのことであった。続いて支持補助板１３を挿入したが、支持補助板１３も板の挿入に関し抵抗感はなかったとのことであった。
（４）その後、支持器２４の昇降機構を利用して、支持器２４を上げ、２台のストレッチャー１５と同じ高さにし、支持器２４の昇降が無い時と同じ挿入状態、（２）の状態を再現した。
（５）再度支持器２４を下げ、支持板１２、支持補助板１３を合わせて抜去した。抜去時にも看護師や介護者役の実験者は、抵抗感なかった。
（６）以下では、支持板１２として（２）から（５）で使用した、即ち、実施例２で使用した支持板１２（タキロン株式会社製ＳＡＫＫ６０８のプラスチックの板、挿入先端と両側面はテーパー加工あり、挿入先端の左右角部位は面取り加工ありのもの）と、これも（２）から（５）で使用した、即ち、実施例７で使用した支持補助板１３と同仕様の杉の木の板（厚み１４ｍｍ）を支持板１２として使用するので、区別のために、支持板１２（プラスチックの板）、支持板１２（杉の板）と材料を明示しつつ使用する。
（２）、（３）と同じ方法で、支持器２４がストレッチャー１５と同じ高さの時と、支持器２４を８ｃｍ降下させた時の２つの状態で、今次は（２）から（５）で支持補助板１３として使用した杉の木の板（厚み１４ｍｍ）を支持板１２として用い挿入難易の比較実験を行った。
（２）、（３）の支持板１２（プラスチックの板）、支持補助板１３の挿入実験と合わせ、結果を〔表１１〕に示す。
（７）（３）の支持台を下げた状態で、患者役の実験者自ら、臥床状態で支持板１２（プラスチックの板）を左手でつかみ、患者の臀部と布団の上表面の間にたぐり入れる形で挿入した。該支持板１２は大きな抵抗もなく臀部下を貫通した。その後、左右両手を用いて板の左右のはみ出し部分が均等になるように調整し、その後抜去した。本結果も合わせ〔表１１〕に示す。
（８）（７）と同様に、（３）の支持器２４を下げた状態で、患者役の実験者自ら、臥床状態で支持板１２（杉の板）を左手でつかみ、自ら挿入、抜去実験を実施した。本結果も合わせ〔表１１〕に示す。
尚、本実施例１６では支持板１２はプラスチックの板と、杉の板の２種使用しており、本表では、支持板１２（プラスチックの板）、支持板１２（杉の板）と材料を指定して記載した。【０１４９】
【表１１】
2019027037.tif 000013
【０１５０】
本実施例１６により、医療又は看護又は介護を含む処置に必要な支持板１２（プラスチックの板）や支持板１２（杉の板）、支持補助板１３の挿入に関し、これら板の挿入必要個所に該当するベッド床板が部分的に降下することにより、支持板１２（プラスチックの板）や支持板１２（杉の板）、支持補助板１３の挿入に際して、ベッド機能としての臥床者Ｋの体重保持機能を保ちつつ、臥床者Ｋへの侵襲の低下が可能なること、又、看護師や介護者の挿入作業が軽量化、容易化されること、又、臥床者Ｋの健康状態にもよるが、臥床者Ｋ自らも自身と臥床ベッド上の布団との間へ支持板１２（プラスチックの板）や支持板１２（杉の板）、支持補助板１３を挿入できることが確認された。以下の〔表１２〕に上記実施例１〜１６の概要を示す。【０１５１】
【表１２】
2019027037.tif 000014
【実施例１７】
【０１５２】
（１）実施例７と同様、市販のストレッチャー（村中医療器株式会社製、ナーシングストレッチャー、ＮＳＴ−１、縦１９４ｃｍ、横５４ｃｍ）に、市販の表面のシーツは糸で縫いつけられている布団（１００ｃｍ×２００ｃｍ、厚みは約５ｃｍ、圧縮すると約３ｃｍ）を二つ折にして載せ、略２００ｃｍ×５０ｃｍ、厚みは約１０ｃｍ、圧縮すると約５ｃｍの布団を一つの布団のように使用し、模擬マットレス面とした。その上に、袋式のベッドシーツに入れた夏布団（縦１８５ｃｍ、横１２０ｃｍ、厚み約２ｃｍ）を、これも長さ方向に二つ折にして重ね、その上面を臥床者が横たわる模擬敷布団面とした。本模擬布団面は布団の一般的性質であるが、柔軟部材６０として柔軟性を有す。
（２）上記の模擬敷布団面の上に、市販のパジャマを着用させ、身長１７７ｃｍ、体重６８ｋｇの臥床者Ｋ役の成人男子実験者を、手掌を組んだ形で仰臥位に臥床させた。又、枕の代わりとして折り曲げたバスタオル（２５ｃｍ×３５ｃｍ、厚み２〜３ｃｍ）を後頭部に敷いた。
（３）尚、模擬マットレス面、模擬敷布団面ともに、布団を二つ折にしたものを使用しており、折り畳んだ背の部分（看護、介護用語では“わ”と言うが）、模擬マットレス面の“わ”は、臥床者の左手方向、模擬敷布団面の“わ”は、臥床者Ｋの右手方向であった。
（４）看護師・介護者役の成人男性が、臥床者役の実験者の右側に立ち、実施例７で使用した支持板１２と同仕様の空間形成支持板６１ｂを、本実施例では、模擬マットレス面（臥床面１５ａ）と模擬敷布団面の間に、頭側から足側へ略敷き詰める形で、合計１６枚挿入した。
（５）次に、空間形成支持板６１ｂの直下に、空間形成支持板６１ｂをガイドとして、これも実施例７で使用したのと同様仕様の空間形成支持補助板６１ｃを空間形成部材６１として１６枚挿入した。挿入はスムーズに抵抗なく実施された。
次に、空間形成支持板６１ｂ及び空間形成支持補助板６１ｃを、挿入部材（挿入支持部材）としての支持板１２及び支持補助板１３として利用する工程について説明する。
（６）この時点で、模擬敷布団面は、空間形成支持板６１ｂと空間形成支持補助板６１ｃの厚み相当分、略１７ｍｍ持ち上がった状態にあるが、この状態で、まず、頭側の空間形成支持板６１ｂを模擬敷布団面と模擬マットレス面の間から抜去し、抜去した空間形成支持板６１ｂを臥床者Ｋの枕と模擬敷布団面の間（挿入空間Ｓｐ）へ支持板１２として挿入した。挿入は大きな抵抗もなく、スムーズに実施された。
（７）次に、頭側の空間形成支持補助板６１ｃを模擬敷布団面と模擬マットレス面の間から抜去し、該空間形成支持補助板６１ｃを、臥床者Ｋの枕と模擬敷布団面の間へ挿入した支持板１２の直下に、支持板１２をガイドとして挿入した。挿入は大きな抵抗もなく、スムーズに実際された。
（８）次に、肩部にて、空間形成支持板６１ｂを模擬敷布団面と模擬マットレス面の間から抜去し、空間形成支持板６１ｂを臥床者Ｋと模擬敷布団面の間へ支持板１２として挿入し、次に、肩部にて空間形成支持補助板６１ｃを模擬敷布団面と模擬マットレス面の間から抜去し、該空間形成支持補助板６１ｃを支持補助板１３として、模擬敷布団面の間へ挿入した支持板１２の直下に支持板１２をガイドとして挿入する操作を行い、順次、腰上部、臀上部、大腿上部、下腿上部、踵部にて同様の操作を繰り返し実施した。肩部から足首部の挿入に関しても大きな抵抗もなく、スムーズに実際された。
（９）（８）の操作終了後の、袋式のベッドシーツに入れた夏布団を二つ折にした柔軟部材６０上下の空間形成支持板６１ｂ、空間形成支持補助板６１ｃ、支持板１２、支持補助板１３の配置を〔表１３〕に示す。
（１０）その後、袋式のベッドシーツに入れた夏布団を二つ折にした柔軟部材６０、模擬敷布団面の下にある空間形成支持板６１ｂ、空間形成支持補助板６１ｃを足側から頭側へ順次抜去し、実施例７の荷重支持装置と結合直前の支持板１２、支持補助板１３の配置が形成できた。この後、実施例７と同様に、荷重支持装置と結合すると臥床者Ｋと臥床面１５ａの間に、医療、看護、又は介護を含む処置に使用される空間が形成できる。本状態までの所要時間は、１０分弱であった。
（１１）本実施例１７により、空間形成支持板６１ｂや空間形成支持補助板６１ｃを抜去した部分の柔軟部材の模擬敷布団面は、少し下方へ向かって弛む傾向があること、又、本弛みを挿入空間Ｓｐとして利用すると挿入部材（支持板１２や支持補助板１３）がより容易に臥床者Ｋと模擬布団面との間に挿入できることが確認された。又、臥床者Ｋ役の成人男子実験者からも、本法での支持板１２、支持補助板１３の挿入は実施例７の挿入方法に比べ、挿入空間Ｓｐにより挿入時の圧力が軽減されるためか、挿入時の異物感は減少していると思うとのコメントがあった。
（１２）尚、布団（柔軟部材）の下面から布団の上への板の移動は、本実施例で示した７本に限らず、臥床者Ｋの背面の状態（褥瘡、傷害部など）を勘案し、本数や場所は適宜選択して実施しても良い。又、本実施例では、柔軟部材６０の下に空間形成支持板６１ｂと空間形成支持補助板６１ｃを略敷き詰めたが、挿入空間Ｓｐの形成には必ずしも敷き詰める必要はなく、適宜間引いても良い。【０１５３】
【表１３】
2019027037.tif 000015
【実施例１８】
【０１５４】
（１）実施例１７と同様にストレッチャー、模擬マットレス面、模擬敷布団面を使用し、当該実施例１８では、実施例７で使用した杉の板を、柔軟部材６０との組み合わせであることを配慮し、空間形成支持板６１ｂ及び杉の板からなる支持板１２として用いた。最初に、模擬マットレス面と模擬敷布団面の間に、臥床者Ｋの頭側から空間形成支持板６１ｂを略敷き詰める形で踵部まで１７本挿入した。挿入は大きな抵抗もなく、スムーズに実際された。尚、実施例１７では空間形成支持板６１ｂ（幅１００ｍｍ）を挿入し、その直下に空間形成支持補助板６１ｃ（幅９０ｍｍ）を挿入したが、本実験では空間形成支持板６１ｂ（幅９０ｍｍ）のみ挿入した。これら板の幅に差があるため、本実験では空間形成支持板６１ｂは１７本の挿入となった。
（２）この時点で、疑似敷布団面は、空間形成支持板６１ｂの厚み相当分、略１４ｍｍ持ち上がった状態にあるが、まず、頭側の空間形成支持板６１ｂを模擬敷布団面と模擬マットレス面の間から抜去し、臥床者Ｋの枕と模擬敷布団面の間へ挿入した。挿入は大きな抵抗もなく、スムーズに実際された。
（３）次に、肩上部にて空間形成支持板６１ｂを模擬敷布団面と模擬マットレス面の間から抜去し、臥床者Ｋと模擬敷布団との間（挿入空間Ｓｐ）に、当該空間形成支持板６１ｂを支持板１２として挿入した。順次、腰上部、腰下部、臀上部、大腿上部、膝下部、足首部にて同様の操作を繰り返し実施した。肩上部から足首部の挿入に関しても大きな抵抗もなく、スムーズに実際された。
（４）本実施例１８により、空間形成支持板６１ｂを抜去した部分の柔軟部材６０の模擬敷布団面は、少し下方へ向かって弛む傾向があること、又、本弛みを挿入空間Ｓｐとして利用すると空間形成支持板６１ｂが支持板１２として直接、容易に、臥床者Ｋと模擬布団面との間に挿入できることが確認された。
（５）（４）の操作終了後の、袋式のベッドシーツに入れた夏布団を二つ折にした柔軟部材６０上下の空間形成支持板６１ｂ及び支持板１２の配置を表１４に示す。
（６）その後、空間形成支持板６１ｂを足側から頭側へ順次抜去し、実施例７の荷重支持部材１４と結合直前の支持補助板１３の配置が形成できた。実施例７と同様に、荷重支持部材１４と結合すると臥床者Ｋと臥床面１５ａとの間に、医療、看護、又は介護を含む処置に使用される空間Ｓが形成できる。本状態までの所要時間は、約５分半であった。
（７）本実施例１８により、空間形成支持板６１ｂを抜去した部分の柔軟部材６０の模擬敷布団面は、少し下方へ向かって弛む傾向があること、又、本弛みを挿入空間Ｓｐとして利用すると支持板１２もより容易に臥床者Ｋと模擬布団面との間に挿入できることが確認された。又、臥床者Ｋ役の成人男子実験者からも、本法での支持板１２の挿入は、実施例１７の支持板１２＋支持補助板１３の挿入方法に比べ、挿入空間Ｓｐにより挿入時の圧力が軽減されるためか、支持板１２のみの挿入でも、挿入時の異物感に違いは感じられなかったとのコメントがあった。
（８）尚、布団（柔軟部材６０）の下面から布団の上面への板の移動は、本実施例１８で示した８本に限らず、臥床者Ｋの背面の状態（褥瘡、傷害部など）を勘案し、本数や場所は適宜選択して実施しても良い。又、本実施例１８では、柔軟部材６０の下に空間形成支持板６１ｂを略敷き詰めたが、挿入空間Ｓｐの形成には必ずしも敷き詰める必要はなく、適宜間引いても良い。【０１５５】
【表１４】
2019027037.tif 000016
【実施例１９】
【０１５６】
（１）実施例１８と同様のストレッチャー、模擬マットレス面、模擬敷布団面を使用し、実施例１８と同様に、杉の板を空間形成支持板６１ｂとして使用し、実験を行った。模擬マットレス面と模擬敷布団面の間に、臥床者Ｋの頭側から空間形成支持板６１ｂを略敷き詰める形で踵部まで１７本挿入した。
（２）次に、肩上部の下の模擬マットレス面と模擬敷布団面の間に挿入した空間形成支持板６１ｂの一部を抜去し、空間形成支持板６１ｂを抜去することにより模擬布団（柔軟部材６０）が弛み、挿入空間Ｓｐが形成できるので、本空間Ｓｐを利用して、市販のスーツケースベルト１３（挿入支持部材の一例、Ｓｍａｒｔｉｐ製、ワンタッチスーツケースベルト。幅５ｃｍ、長さ約２ｍを１９０ｃｍに附属のコキで長さを調整し、口金の凹凸を篏合した形で使用。約９５ｃｍのリングを折り畳んだ平板矩形状。口金を篏合すると、バックルの先端部に面取り加工がしてあり、臥床者Ｋと模擬布団面との間へ挿入することができる）を挿入した。
（３）同様に腰中部の個所の模擬マットレス面と模擬敷布団面の間に挿入した空間形成支持板６１ｂを抜去し、空間形成支持板６１ｂを抜去することにより模擬布団（柔軟部材）が弛み、挿入空間Ｓｐが形成できるので、本空間Ｓｐを利用して、市販のスーツケースベルを挿入した。
（４）臥床者Ｋと模擬布団面との間にスーツケースベルト２本が挿入された状態での、袋式のベッドシーツに入れた夏布団を二つ折にした柔軟部材６０の下の空間形成支持板６１ｂ、当該空間形成支持板６１ｂの上の挿入支持部材としてのスーツケースベルトの配置を〔表１５〕に示す。
（４）本実施例１９にて、空間形成支持板６１ｂと柔軟部材６０を使用し、挿入空間Ｓｐを形成することで、スーツケースベルトのような可撓性の大きい挿入部材（挿入支持部材）も臥床者Ｋと模擬布団面との間に困難なく挿入できることが確認された。【０１５７】
【表１５】
2019027037.tif 000017
【実施例２０】
【０１５８】
（１）実施例１９で使用したのと同様の市販のスーツケースベルト１６本と、市販のストレッチャー（村中医療器株式会社製、ナーシングストレッチャー、ＮＳＴ−１、縦１９４ｃｍ、横５４ｃｍ）、ストレッチャー（ＰＡＲＡＭＯＮＴ  ＢＥＤ  ＫＫ−７００-０９５Ｄ）、ストレッチャー（ＰＡＲＡＭＯＮＴ  ＢＥＤ  ＫＡ−８８１）、それに、市販の表面のシーツは糸で縫いつけられている布団（柔軟部材の一例、１００ｃｍ×２００ｃｍ、厚みは約５ｃｍ、圧縮すると約３ｃｍ）、袋式のベッドシーツに入れた夏布団（縦１８５ｃｍ、横１２０ｃｍ、厚み約２ｃｍ）を使用して実験を行った。
（２）市販のストレッチャー（村中医療器株式会社製、ナーシングストレッチャー、ＮＳＴ−１）に、市販の表面のシーツは糸で縫いつけられている布団（１００ｃｍ×２００ｃｍ、厚みは約５ｃｍ、圧縮すると約３ｃｍ）を載せ、ストレッチャーＮＳＴ−１の幅と該ストレッチャーに載せる布団の幅が異なるが、今次は二つ折りにせず、ストレッチャー（幅５４ｃｍ）からはみ出した分（布団１００ｃｍ）は、臥床者Ｋ役の成人男子実験者が横たわった時に、臥床者Ｋの右側に垂らす形にし、模擬マットレス面とした。該布団の上に、袋式のベッドシーツに入れた夏布団（縦１８５ｃｍ、横１２０ｃｍ、厚み約２ｃｍ）を、これは長さ方向に二つ折にして重ね、“わ”が臥床者Ｋ役の成人男子実験者が横たわった時に、臥床者Ｋの左側に来る配置にし、模擬布団面として実験を行った。
（３）ストレッチャー（ＰＡＲＡＭＯＮＴ  ＢＥＤ  ＫＡ−８８１）とストレッチャー（ＰＡＲＡＭＯＮＴ  ＢＥＤ  ＫＫ−７００-０９５Ｄ）は、それらの側面にストレッチャーの長さ方向に沿ってパイプ状の金具（荷重支持部材の一例）を有するが、これらパイプ状の金具を利用する形で、それぞれのストレッチャーを長手方向に平行に約６０ｃｍ離して対置し、それぞれのパイプにリング状のスーツケースベルト（空間形成部材及び挿入支持部材の一例）が通る形に配置し（スーツケースベルトの口金を使用すると脱着可能）、本実施例２０では、該リング状のスーツケースベルトを空間形成部材及び挿入部材（挿入支持部材）として使用する。尚、対置した２台のストレッチャーの間に臥床者Ｋが乗る市販のストレッチャー（村中医療器株式会社製、ナーシングストレッチャー、ＮＳＴ−１）を配置して実験を行った。
（４）市販のストレッチャー（村中医療器株式会社製、ナーシングストレッチャー、ＮＳＴ−１）の面の高さを８６ｃｍに調整し、その上に市販の表面のシーツは糸で縫いつけられている布団、その上に袋式のベッドシーツに入れた二つ折した夏布団が載っており、その上に実施例１７と同じ臥床者Ｋ役の成人男子実験者が乗った形で、又、枕の代わりとして折り曲げたバスタオル（２５ｃｍ×３５ｃｍ、厚み２〜３ｃｍ）を後頭部に敷いて実験はスタートした。
（５）臥床者Ｋの左手側に配置するストレチャーのパイプには、スーツケースベルトを通し、口金を閉め、リング状のスーツケースベルトを１６本ぶら下げた形に、前もって準備した。
（６）実施例１７と同様に、看護師・介護者役の成人男性が、臥床者Ｋ役の実験者の左側に立ち、スーツケースベルトをストレッチャー（ＰＡＲＡＭＯＮＴ  ＢＥＤ  ＫＡ−８８１）越しではあるが、模擬マットレス面と模擬敷布団面の間に、頭側から足側へ略均等に挿入し、その後、臥床者Ｋの右側に移動し、模擬マットレス面と模擬敷布団面の間にある口金で篏合されたリング状のスーツケースベルトを引き出し、合計１６本、臥床者Ｋの右側に到達させた。
（７）この時点で、もう１台のストレッチャー（ＰＡＲＡＭＯＮＴ  ＢＥＤ  ＫＫ−７００-０９５Ｄ）を臥床者Ｋの右側に接するように配置し、該ストレッチャーが長手方向に有するパイプに、引き出されたスーツケースベルトの口金を一度外し、パイプを囲む形で再度口金を篏合させ、下から上へ、市販の表面のシーツは糸で縫いつけられている布団／両端がパイプ状の金具で吊り下げられたリング状のスーツケースベルト／袋式のベッドシーツに入れた夏布団／臥床者Ｋ、の配置を形成した。
（８）スーツケースベルトでは、空間形成支持板６０ｂのような段差が付かないので、臥床者Ｋが乗っているストレッチャーを１２ｃｍ下げ、１６本のスーツケースベルトからなるハンモックが模擬敷布団面と臥床者Ｋを支える形を形成した。
（９）実施例１７や１８で、空間形成支持板６０ｂや空間形成支持補助板６１ｃを模擬敷布団面と模擬マットレス面の間から抜去し、空間形成支持板６０ｂや空間形成支持補助板６１ｃを、支持板１２や支持補助板１３として臥床者Ｋと模擬敷布団面の間へ挿入したように、模擬敷布団面を支えている１６本のスーツケースベルトを１本ずつ、模擬布団面の下から上へ、即ち、臥床者Ｋと模擬布団との間（挿入空間Ｓｐ）へ移動した。移動は、臥床者Ｋの右側にあるリング状のスーツケースベルトの口金を一度外し、結合しているパイプから解放し、その後、再度口金を篏合しリング状にし、臥床者Ｋの左側へ抜き出し、次に、模擬布団面の上部と臥床者Ｋの間を通し、再度、臥床者Ｋの右側に持ち来たし、右側にあるパイプの所で口金を外し、パイプを囲む形にしてから、再度篏合し、両端がパイプで支えられたリング状のスーツケースベルトが臥床者Ｋと模擬布団面の間に存在する形を形成した。スーツケースベルトの模擬布団面の下部から上部への移動は、肩部、胸上部、頭部の順に、又、その後は、胸中部から足首部へ順次実施した。当初、頭部の垂れを懸念した順番であるが、臥床者Ｋの乗っているストレッチャーの面を１２ｃｍ下げても、ハンモックの状に全体が下方に向かって垂れるので、頭部はいつも支えられていた。本実験では、スーツケースベルトを１本外しても、残りの１５本で臥床者Ｋを乗せた模擬布団面は支えられており、臥床者の支持に関する不安定さは見られなかった。
（１０）１６本のスーツケースベルトの模擬布団面の下部から上部への移動を終了した状態でのスーツケースベルトの配置を〔表１６〕に示す。又、この状態までの所要時間は約１５分であった。
（１１）その後、臥床者の背面の空間形成を確認するために、更に６ｃｍ臥床者の乗っているストレッチャーを降下させ（合計１８ｃｍ）、模擬布団面を臥床者の頭側から抜き出した。模擬布団面の抜き出しは抵抗なく行え、模擬布団面を抜き出した後に、臥床者と模擬布団面との間に空間（挿入空間Ｓｐ）を確認した。
（１２）その後、模擬マットレス面（市販の表面のシーツは糸で縫いつけられている布団）がむき出しになっているストレッチャーの床面を上昇させ、体重が該ストレッチャーに移動したことを確認後、臥床者Ｋの右側のパイプに結合されているスーツケースベルトの篏合を１６個全て外し、臥床者Ｋの右側のパイプとの結合を外した後、口金は再度篏合し、スーツケースベルトのリング状を矩形状に押しつぶした形態にした後、看護師・介護者役の実験者が臥床者の左側へ移動し、リング状を矩形状に押しつぶした形のスーツケースベルトを左側からゆっくり引っ張る形で抜き出した。口金が面取りされており、抜き出しは大きな抵抗もなく実施出来た。本（１２）の過程の所用時間は約３分であった。
（１３）臥床者Ｋ役の実験者の感触は、抜き出し時には、特に侵襲もなく、背中の部分に何かが通っている感じで、「ベルトを抜きます」との声かけで十分ではないかとのことであった。
（１４）本実施例２０と実施例１９にて、スーツケースベルトのような帯状構造体と模擬敷布団面のような柔軟部材６０を使用することによっても、臥床者Ｋと模擬布団面との間に挿入空間Ｓｐを形成できることが確認され、又、本挿入空間Ｓｐを利用すると、より可撓性の大きいスーツケースベルトのような繊維製材料や網状材料なども空間形成部材及び挿入部材（挿入支持部材）として使用可能なることが確認された。【０１５９】
【表１６】
2019027037.tif 000018
【０１６０】
〔別実施形態〕
（１）これまで説明してきたように、挿入部材は、挿入補助板１１（挿入支持部材の一例）、支持板１２（挿入支持部材の一例）、及び支持補助板１３から構成することができるが、本願に係る身体リフトシステム１００にあっては、挿入補助板１１、支持板１２、及び支持補助板１３の夫々は、臥床面方向（図１、２で矢印Ｙに沿う方向）で複数設けても構わない。また、挿入補助板１１、支持板１２、及び支持補助板１３の夫々は、臥床面方向に直交する直交方向（図１、２で矢印Ｚに沿う方向）において、複数が重層する形態で設ける構成を採用しても構わない。【０１６１】
（２）上記第１、２実施形態では、昇降機構１５は、臥床面１５ａを、直接昇降させるストレッチャー等の臥床面昇降装置である構成例を主に示した。
しかしながら、昇降機構１５は、臥床面１５ａと臥床者Ｋとの間への挿入状態にある挿入部材（支持板１２．挿入補助板１１及び支持補助板１３を含む場合もある）の挿入方向での両端部を支持する荷重支持部材１４の挿入部材との結束部を、鎖等の紐状部材を介して吊り下げ支持する共に、紐状部材を巻き上げ又は巻き下げする形態で荷重支持部材１４を昇降するホイスト等から構成しても構わない。【０１６２】
（３）上記第１、２実施形態において、臥床面１５ａとしては、昇降機構１５を有するストレッチャー等を含むベッドの上面を主に示した。
しかしながら、当該臥床面１５ａは、室内床の上面、ベッド又は室内床に敷かれた寝具の上面（第２実施形態は除く）、及び屋外の路面の少なくとも１つを含むものである。【０１６３】
具体的には、臥床者が臥床している臥床面としては、ベッド上の布団やシーツのみならず、和室に敷かれた布団、麻酔薬や筋弛緩剤の投与により短時間の寝たきり臥床状態にある患者が載っている手術台、家庭生活の場で、例えば、人が転倒した場合のカーペット、畳、ゴザ、災害時の傷害者が臥床している道路、路面、地面など、又、人以外では、医学実験用の豚や羊で麻酔薬や筋弛緩剤が投与され、短時間の寝たきり臥床動物が載っているＸ線撮影台やＭＲＩ撮影台など、人や動物が動けなくなり、又は、ほとんど動けなくなり横たわり、臥床している生活空間中のあらゆる臥床面が含まれる。【０１６４】
（４）尚、挿入補助板１１、支持板１２、支持補助板１３の挿入先端部は、挿入先端角部位と挿入先端稜線部位の一部が、面取り加工されている構成も、本願の権利範囲に含むものである。
より詳しくは、２つある挿入先端角部位は、何れか一方のみが面取り加工されていても構わないし、両方が面取り加工されていても構わない。また、挿入先端稜線部位が面取り加工されている場合には、すべての挿入先端角部位は、面取り加工されていなくても構わない。
６つある挿入先端稜線部位は、少なくとも１つ以上、面取り加工されていれば、すべて本願の権利範囲に含むものとする。また、挿入先端角部位が面取り加工されている場合、すべての挿入先端稜線部位が、面取り加工されていなくても構わない。【０１６５】
（５）身体ホルダー２００は、主材料５４及び加熱冷却装置５５のみを備える構成を採用しても構わない。【０１６６】
（６）身体ホルダー２００は、当該主材料５４及び加熱冷却装置５５を備える構成に加え、緩衝材５１と断熱材５２と軟質の袋様容器５３のうち、何れか１つを備える構成を採用しても構わない。【０１６７】
（７）身体ホルダー２００は、当該主材料５４及び加熱冷却装置５５を備える構成に加え、緩衝材５１と断熱材５２と軟質の袋様容器５３のうち、何れか２つを備える構成を採用しても構わない。【０１６８】
（８）上記第１、２実施形態においては、緩衝材５１と断熱材５２とを別部材にて構成する例を示したが、これらは、一部材から構成しても構わない。
即ち、緩衝材５１と断熱材５２に替えて、操作対象部位を把持又は被覆し操作対象部位の形状に応じて賦形した状態において操作対象部位への侵襲や浮動不安定性を低減する緩衝機能と、操作対象部位を把持又は被覆し操作対象部位の形状に応じて賦形した状態において低温加熱に伴う温熱及び冷却に伴う冷熱が操作対象部位へ伝導することを抑制する断熱機能とを有する緩衝断熱材を有する構成を採用しても構わない。【０１６９】
即ち、緩衝材５１と断熱材５２としては、ともに、布やタオル地、プラスチックの発泡体が使えるため、材料により緩衝材５１と断熱材５２の性質を兼ね備えた緩衝断熱材として一体化して使用することもできる。但し、これらの例によって、緩衝断熱材に使用できる材料が限定されるものではない。【０１７０】
（９）身体ホルダー２００は、体位固定具、体位変換具、移動補助具、バックレスト、フットボート、体圧分散クッション、床板硬軟変化ベッドの何れか一つに用いられることが好ましい。【０１７１】
（１０）本願の身体ホルダー２００は、支持、固定、把持、被覆、或いは移動を伴う医療又は看護又は介護処置以外にも使用でき、例えば、健常者用のバックレストや体圧分散クッション等にも使用できる。【０１７２】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０１７３】
本発明は、寝たきり者用ベッドや災害時の負傷者の搬送装置などに作り込むことが可能で、その結果、寝たきりの臥床者Ｋや災害時の負傷者が、看護師や介護者の援助を得て、又は、看護師や介護者と協力して、衣服の着脱や車椅子、担架へ移動が可能となる。又、車椅子との連携で、トイレへの移動・用足し、入浴も可能となり、加えて、ベッド上のケアーが必要な場合、シーツの交換やシーツのしわ除去、体位変換、清拭、排泄補助なども身体リフトシステム１００によって形成された自由な空間を利用することでより安全、安楽に実施することができる。加えて、介護者や救助者も臥床者Ｋや被災者の重量から解放され、腰痛防止にも貢献できる。
【符号の説明】
【０１７４】
１１                ：挿入補助板
１２                ：支持板
１２ａ、１２ｄ      ：挿入先端角部位
１２ｂ、１２ｃ、１２ｄ、１２ｅ、１２ｆ：挿入先端稜線部位
１３                ：支持補助板
１４                ：荷重支持部材
１４ａ              ：荷重支持部位
１５                ：昇降機構
１５ａ              ：臥床面
２４                ：支持器（部分昇降部）
５１                ：緩衝材
５２                ：断熱材
５３                ：袋様容器
５４                ：主材料
１００              ：身体リフトシステム
２００              ：身体ホルダー
Ｋ                  ：臥床者
【図１】
2019027037.tif 000019
【図２】
2019027037.tif 000020
【図３】
2019027037.tif 000021
【図４】
2019027037.tif 000022
【図５】
2019027037.tif 000023
【図６】
2019027037.tif 000024
【図７】
2019027037.tif 000025
【図８】
2019027037.tif 000026
【図９】
2019027037.tif 000027
【図１０】
2019027037.tif 000028
【図１１】
2019027037.tif 000029
【図１２】
2019027037.tif 000030
【国際調査報告】
2019027037.tif 000031
2019027037.tif 000032